(57)【要約】本発明は、例えばビデオドアベル及び防犯カメラ等の音声／ビデオ（Ａ／Ｖ）記録通信装置によって記録されるビデオ映像のシェアリングに関する。Ａ／Ｖ記録通信装置が、疑わしい活動または犯罪活動のビデオ映像をも記録するとき、映像を見るユーザーは、ビデオのシェアリングによって自分の隣人に警告し得る。本発明の種々の実施形態では、ユーザーは、隣人、友人、及び家族を含む、ユーザーが選択する人と映像をシェアし得る。【選択図】図１６
2019514239.tif 000002
【特許請求の範囲】
【請求項１】
第１の音声／ビデオ（Ａ／Ｖ）記録通信装置、前記第１のＡ／Ｖ記録通信装置と関連付けられた第１のクライアント装置、複数の他のＡ／Ｖ記録通信装置、ならびにネットワーク装置の間で通信するためのシステムであって、
プロセッサ及びメモリを有する前記ネットワーク装置であって、前記メモリが、
前記第１のクライアント装置から、前記第１のＡ／Ｖ記録通信装置のカメラによって取り込まれる画像が、前記他のＡ／Ｖ記録通信装置と関連付けられた１人以上のユーザーとシェアされることを示すシェア信号を受信するための、
前記第１のクライアント装置から前記シェア信号を受信することに応えて、前記複数の他のＡ／Ｖ記録通信装置の中から、前記第１の記録通信装置が第２のＡ／Ｖ記録通信装置から所定距離内にあると判断するための、
前記第２のＡ／Ｖ記録通信装置と関連付けられた第２のクライアント装置にシェア通知信号を送信するための前記プロセッサによって操作可能なコードを記憶する、前記ネットワーク装置、
を備える、前記システム。
【請求項２】
前記メモリがさらに、前記シェア通知信号に応えて前記第２のクライアント装置からプレイバック要求信号を受信するための前記プロセッサによって操作可能なコードを記憶する、請求項１に記載のシステム。
【請求項３】
前記メモリがさらに、前記プレイバック要求信号に応えて前記第２のクライアント装置に、前記第１のＡ／Ｖ記録通信装置の前記カメラによって取り込まれる前記画像を含んだビデオ信号を送信するための前記プロセッサによって操作可能なコードを記憶する、請求項２に記載のシステム。
【請求項４】
前記第１のクライアント装置からの前記シェア信号が、前記第１のＡ／Ｖ記録通信装置の前記カメラによって取り込まれる前記画像を説明するテキストを含む、請求項３に記載のシステム。
【請求項５】
前記メモリがさらに、前記第２のクライアント装置に、前記シェア通知信号とともに前記テキストを送信するための前記プロセッサによって操作可能なコードを記憶する、請求項４に記載のシステム。
【請求項６】
前記所定距離が、前記第２のＡ／Ｖ記録通信装置のユーザーによって構成可能である、請求項１に記載のシステム。
【請求項７】
前記第１のＡ／Ｖ記録通信装置及び前記第２のＡ／Ｖ記録通信装置のうちの少なくとも１つが音声／ビデオ通信ドアベルである、請求項１に記載のシステム。
【請求項８】
前記第１のクライアント装置及び前記第２のクライアント装置のうちの少なくとも１つがスマートフォンである、請求項１に記載のシステム。
【請求項９】
前記ネットワーク装置がサーバである、請求項１に記載のシステム。
【請求項１０】
前記ネットワーク装置が、１つ以上のネットワークサービスを備える、請求項１に記載のシステム。
【請求項１１】
第１の音声／ビデオ（Ａ／Ｖ）記録通信装置、前記第１のＡ／Ｖ記録通信装置と関連付けられた第１のクライアント装置、複数の他のＡ／Ｖ記録通信装置、ならびにネットワーク装置の間で通信するための方法であって、
前記ネットワーク装置が、前記第１のクライアント装置から、前記第１のＡ／Ｖ記録通信装置のカメラによって取り込まれる画像が、前記他のＡ／Ｖ記録通信装置と関連付けられた１人以上のユーザーとシェアされることを示すシェア信号を受信することと、
前記第１のクライアント装置から前記シェア信号を受信することに応えて、前記ネットワーク装置が、前記複数の他のＡ／Ｖ記録通信装置の中から、前記第１の記録通信装置が第２のＡ／Ｖ記録通信装置から所定距離内にあると判断することと、
前記ネットワーク装置が、前記第２のＡ／Ｖ記録通信装置と関連付けられた第２のクライアント装置にシェア通知信号を送信することと、
を含む、前記方法。
【請求項１２】
さらに、前記ネットワーク装置が、前記シェア通知信号に応えて前記第２のクライアント装置からプレイバック要求信号を受信することを含む、請求項１１に記載の方法。
【請求項１３】
さらに、前記ネットワーク装置が、前記プレイバック要求信号に応えて前記第２のクライアント装置に、前記第１のＡ／Ｖ記録通信装置の前記カメラによって取り込まれる前記画像を含んだビデオ信号を送信することを含む、請求項１２に記載の方法。
【請求項１４】
前記第１のクライアント装置からの前記シェア信号が、前記第１のＡ／Ｖ記録通信装置によって取り込まれる前記画像を説明するテキストを含む、請求項１３に記載の方法。
【請求項１５】
さらに、前記ネットワーク装置が、前記第２のクライアント装置に前記シェア通知信号とともに前記テキストを送信することを含む、請求項１４に記載の方法。
【請求項１６】
前記所定距離が、前記第２のＡ／Ｖ記録通信装置のユーザーによって構成可能である、請求項１１に記載の方法。
【請求項１７】
前記第１のＡ／Ｖ記録通信装置及び前記第２のＡ／Ｖ記録通信装置のうちの少なくとも１つが音声／ビデオ通信ドアベルである、請求項１１に記載の方法。
【請求項１８】
前記第１のクライアント装置及び前記第２のクライアント装置のうちの少なくとも１つがスマートフォンである、請求項１１に記載の方法。
【請求項１９】
前記ネットワーク装置がサーバである、請求項１１に記載の方法。
【請求項２０】
前記ネットワーク装置が、１つ以上のネットワークサービスを備える、請求項１１に記載の方法。
【請求項２１】
第１の音声／ビデオ（Ａ／Ｖ）記録通信装置、前記第１のＡ／Ｖ記録通信装置と関連付けられた第１のクライアント装置、複数の他のＡ／Ｖ記録通信装置、ならびに１つ以上のネットワーク装置を含んだネットワークの間で通信するためのシステムであって
プロセッサ及びメモリを有する前記１つ以上のネットワーク装置のそれぞれであって、前記メモリのうちの１つ以上が、
前記第１のＡ／Ｖ記録通信装置から、第１のアラート信号、及び前記第１のＡ／Ｖ記録通信装置のカメラによって取り込まれる画像を含んだ第１のビデオ信号を受信するための、
前記第１のアラート信号及び前記第１のビデオ信号を受信することに応えて前記第１のクライアント装置に、第２のアラート信号、及び前記第１のＡ／Ｖ記録通信装置の前記カメラによって取り込まれる前記画像を含んだ第２のビデオ信号を送信するための、
前記第１のクライアント装置からシェア信号を受信するための、
前記第１のクライアント装置から前記シェア信号を受信することに応えて、前記複数の他のＡ／Ｖ記録通信装置の中から、前記第１の記録通信装置が第２のＡ／Ｖ記録通信装置から所定距離内にあると判断するための、
前記第２のＡ／Ｖ記録通信装置と関連付けられた第２のクライアント装置にシェア通知信号を送信するための
前記プロセッサのうちの１つ以上によって操作可能なコードを記憶する、前記１つ以上のネットワーク装置のそれぞれ、
を備える、前記システム。
【請求項２２】
前記メモリのうちの１つ以上がさらに、前記シェア通知信号に応えて前記第２のクライアント装置からプレイバック要求信号を受信するための前記プロセッサのうちの１つ以上によって操作可能なコードを記憶する、請求項２１に記載のシステム。
【請求項２３】
前記メモリのうちの１つ以上がさらに、前記プレイバック要求信号に応えて前記第２のクライアント装置に、前記第１のＡ／Ｖ記録通信装置の前記カメラによって取り込まれる前記画像を含んだ第３のビデオ信号を送信するための前記プロセッサのうちの１つ以上によって操作可能なコードを記憶する、請求項２２に記載のシステム。
【請求項２４】
前記第１のクライアント装置からの前記シェア信号が、前記第１のＡ／Ｖ記録通信装置の前記カメラによって取り込まれる前記画像を説明するテキストを含む、請求項２３に記載のシステム。
【請求項２５】
前記メモリのうちの前記１つ以上がさらに、前記第２のクライアント装置に、前記シェア通知信号とともに前記テキストを送信するための前記１つ以上のプロセッサによって操作可能なコードを記憶する、請求項２４に記載のシステム。
【請求項２６】
前記所定距離が、前記第２のＡ／Ｖ記録通信装置のユーザーによって構成可能である、請求項２１に記載のシステム。
【請求項２７】
前記第１のＡ／Ｖ記録通信装置及び前記第２のＡ／Ｖ記録通信装置のうちの少なくとも１つが音声／ビデオ通信ドアベルである、請求項２１に記載のシステム。
【請求項２８】
前記第１のクライアント装置及び前記第２のクライアント装置のうちの少なくとも１つがスマートフォンである、請求項２１に記載のシステム。
【請求項２９】
前記１つ以上のネットワーク装置が、１つ以上のサーバを含む、請求項２１に記載のシステム。
【請求項３０】
前記ネットワーク装置が、１つ以上のネットワークサービスを備える、請求項２１に記載のシステム。
【請求項３１】
第１の音声／ビデオ（Ａ／Ｖ）記録通信装置、前記第１のＡ／Ｖ記録通信装置と関連付けられた第１のクライアント装置、複数の他のＡ／Ｖ記録通信装置、ならびに１つ以上のネットワーク装置を含んだネットワークの間で通信するための方法であって、
前記１つ以上のネットワーク装置が、前記第１のＡ／Ｖ記録通信装置から、第１のアラート信号、及び前記第１のＡ／Ｖ記録通信装置の前記カメラによって取り込まれる画像を含んだ第１のビデオ信号を受信することと、
前記１つ以上のネットワーク装置が、前記第１のアラート信号及び前記第１のビデオ信号を受信することに応えて前記第１のクライアント装置に、第２のアラート信号、及び前記第１のＡ／Ｖ記録通信装置の前記カメラによって取り込まれる前記画像を含んだ第２のビデオ信号を送信することと、
前記１つ以上のネットワーク装置が、前記第１のクライアント装置からシェア信号を受信することと、
前記第１のクライアント装置から前記シェア信号を受信することに応えて、前記１つ以上のネットワーク装置が、前記複数の他のＡ／Ｖ記録通信装置の中から、前記第１の記録通信装置が第２のＡ／Ｖ記録通信装置から所定距離内にあると判断することと、
前記１つ以上のネットワーク装置が、前記第２のＡ／Ｖ記録通信装置と関連付けられた第２のクライアント装置にシェア通知信号を送信することと、
を含む、前記方法。
【請求項３２】
さらに、前記１つ以上のネットワーク装置が、前記シェア通知信号に応えて前記第２のクライアント装置からプレイバック要求信号を受信することを含む、請求項３１に記載の方法。
【請求項３３】
さらに、前記１つ以上のネットワーク装置が、前記プレイバック要求信号に応えて前記第２のクライアント装置に、前記第１のＡ／Ｖ記録通信装置の前記カメラによって取り込まれる前記画像を含んだ第３のビデオ信号を送信することを含む、請求項３２に記載の方法。
【請求項３４】
前記第１のクライアント装置からの前記シェア信号が、前記第１のＡ／Ｖ記録通信装置の前記カメラによって取り込まれる前記画像を説明するテキストを含む、請求項３３に記載の方法。
【請求項３５】
さらに、前記１つ以上のネットワーク装置が、前記第２のクライアント装置に前記シェア通知信号とともに前記テキストを送信することを含む、請求項３４に記載の方法。
【請求項３６】
前記所定距離が、前記第２のＡ／Ｖ記録通信装置のユーザーによって構成可能である、請求項３１に記載の方法。
【請求項３７】
前記第１のＡ／Ｖ記録通信装置及び前記第２のＡ／Ｖ記録通信装置のうちの少なくとも１つが音声／ビデオ通信ドアベルである、請求項３１に記載の方法。
【請求項３８】
前記第１のクライアント装置及び前記第２のクライアント装置のうちの少なくとも１つがスマートフォンである、請求項３１に記載の方法。
【請求項３９】
前記１つ以上のネットワーク装置が、１つ以上のサーバを含む、請求項３１に記載の方法。
【請求項４０】
前記ネットワーク装置が、１つ以上のネットワークサービスを備える、請求項３１に記載の方法。
【請求項４１】
第１の音声／ビデオ（Ａ／Ｖ）記録通信装置、前記第１のＡ／Ｖ記録通信装置と関連付けられた第１のクライアント装置、少なくとも１つの第２のＡ／Ｖ記録通信装置、前記第２のＡ／Ｖ記録通信装置と関連付けられた少なくとも１つの第２のクライアント装置、ならびにネットワーク装置の間で通信するためのシステムであって、
プロセッサ及びメモリを有する前記ネットワーク装置であって、前記メモリが、
前記第１のクライアント装置から、前記第１のＡ／Ｖ記録通信装置の位置を含んだ前記第１のＡ／Ｖ記録通信装置と関連付けられた情報を受信するための、
前記第１のクライアント装置から、前記第１のＡ／Ｖ記録通信装置のシェア機能のためのイネーブル信号を受信するための、
前記第１のクライアント装置から、前記第１のＡ／Ｖ記録通信装置の前記シェア機能と関連付けられた通知距離を受け取るための、
前記受信した情報及び前記受け取った通知距離で、前記ネットワーク装置によって維持される少なくとも１つのデータ構造を更新するための、
前記第２のクライアント装置からシェア信号を受信するための、
前記第２のクライアント装置から前記シェア信号を受信することに応えて、前記第２のＡ／Ｖ記録通信装置が、前記第１のＡ／Ｖ記録通信装置の前記シェア機能と関連付けられた前記通知距離内にあると判断するための、
前記第１のクライアント装置にシェア通知信号を送信するための、
前記プロセッサによって操作可能なコードを記憶する、前記ネットワーク装置と、
を備える、前記システム。
【請求項４２】
前記不揮発性メモリがさらに、前記シェア通知信号に応えて前記第１のクライアント装置からプレイバック要求信号を受信するための前記プロセッサによって操作可能なコードを記憶する、請求項４１に記載のシステム。
【請求項４３】
前記不揮発性メモリがさらに、前記プレイバック要求信号に応えて前記第１のクライアント装置に、前記第２のＡ／Ｖ記録通信装置のカメラによって取り込まれた画像を含んだビデオ信号を送信するための前記プロセッサによって操作可能なコードを記憶する、請求項４２に記載のシステム。
【請求項４４】
前記第２のクライアント装置からの前記シェア信号が、前記第２のＡ／Ｖ記録通信装置の前記カメラによって取り込まれる前記画像を説明するテキストを含む、請求項４３に記載のシステム。
【請求項４５】
前記不揮発性メモリがさらに、前記第１のクライアント装置に、前記シェア通知信号とともに前記テキストを送信するための前記プロセッサによって操作可能なコードを記憶する、請求項４４に記載のシステム。
【請求項４６】
前記通知距離が、前記第１のＡ／Ｖ記録通信装置のユーザーによって構成可能である、請求項４１に記載のシステム。
【請求項４７】
前記第１のＡ／Ｖ記録通信装置及び前記第２のＡ／Ｖ記録通信装置のうちの少なくとも１つが音声／ビデオ通信ドアベルである、請求項４１に記載のシステム。
【請求項４８】
前記第１のクライアント装置及び前記第２のクライアント装置のうちの少なくとも１つがスマートフォンである、請求項４１に記載のシステム。
【請求項４９】
前記ネットワーク装置がサーバである、請求項４１に記載のシステム。
【請求項５０】
前記ネットワーク装置が、１つ以上のネットワークサービスを備える、請求項４１に記載のシステム。
【請求項５１】
第１の音声／ビデオ（Ａ／Ｖ）記録通信装置、前記第１のＡ／Ｖ記録通信装置と関連付けられた第１のクライアント装置、少なくとも１つの第２のＡ／Ｖ記録通信装置、前記第２のＡ／Ｖ記録通信装置と関連付けられた少なくとも１つの第２のクライアント装置、ならびにネットワーク装置の間で通信するための方法であって、
前記第１のクライアント装置から、前記第１のＡ／Ｖ記録通信装置の位置を含んだ前記第１のＡ／Ｖ記録通信装置と関連付けられた情報を受信することと、
前記第１のクライアント装置から、前記第１のＡ／Ｖ記録通信装置のシェア機能のためのイネーブル信号を受信することと、
前記第１のクライアント装置から、前記第１のＡ／Ｖ記録通信装置の前記シェア機能と関連付けられた通知距離を受け取ることと、
前記受信した情報及び前記受け取った通知距離で、前記ネットワーク装置によって維持される少なくとも１つのデータ構造を更新することと、
前記第２のクライアント装置からシェア信号を受信することと、
前記第２のクライアント装置から前記シェア信号を受信することに応えて、前記第２のＡ／Ｖ記録通信装置が、前記第１のＡ／Ｖ記録通信装置の前記シェア機能と関連付けられた前記通知距離内にあると判断することと、
前記第１のクライアント装置にシェア通知信号を送信することと、
を含む前記方法。
【請求項５２】
さらに、前記シェア通知信号に応えて前記第１のクライアント装置からプレイバック要求信号を受信することを含む、請求項５１に記載の方法。
【請求項５３】
さらに、前記プレイバック要求信号に応えて前記第１のクライアント装置に、前記第２のＡ／Ｖ記録通信装置のカメラによって取り込まれる画像を含んだビデオ信号を送信することを含む、請求項５２に記載の方法。
【請求項５４】
前記第２のクライアント装置からの前記シェア信号が、前記第２のＡ／Ｖ記録通信装置の前記カメラによって取り込まれる前記画像を説明するテキストを含む、請求項５３に記載の方法。
【請求項５５】
さらに、前記第１のクライアント装置に前記シェア通知信号とともに前記テキストを送信することを含む、請求項５４に記載の方法。
【請求項５６】
前記通知距離が、前記第１のＡ／Ｖ記録通信装置のユーザーによって構成可能である、請求項５１に記載の方法。
【請求項５７】
前記第１のＡ／Ｖ記録通信装置及び前記第２のＡ／Ｖ記録通信装置のうちの少なくとも１つが音声／ビデオ通信ドアベルである、請求項５１に記載の方法。
【請求項５８】
前記第１のクライアント装置及び前記第２のクライアント装置のうちの少なくとも１つがスマートフォンである、請求項５１に記載の方法。
【請求項５９】
前記ネットワーク装置がサーバである、請求項５１に記載の方法。
【請求項６０】
前記ネットワーク装置が、１つ以上のネットワークサービスを備える、請求項５１に記載の方法。
【請求項６１】
音声／ビデオ（Ａ／Ｖ）記録通信装置からの記録されたビデオ映像をシェアするためのコンピュータプログラムアプリケーションであって、前記コンピュータプログラムアプリケーションが、クライアント装置のプロセッサによって実行可能なコードで実施され、該コードが、実行時、前記クライアント装置に、
ユーザーアラートを提供し、前記クライアント装置のディスプレイに、前記Ａ／Ｖ記録通信装置のカメラによって記録されるストリーミングビデオ映像を表示させ、
前記ユーザーアラートに対する回答の入力を受け取らせ、
前記ユーザーアラートに対する前記回答に応えて、前記クライアント装置の前記ディスプレイに、近隣シェアボタンを含んだライブコール画面を表示させ、
前記ライブコール中に、前記近隣シェアボタンの選択の入力を受け取らせ、
前記近隣シェアボタンの前記選択の前記入力に応えて、及び前記ライブコール終了後に、前記クライアント装置の前記ディスプレイに、前記ライブコールの記録されたビデオ映像が１人以上の他のユーザーとシェアされることを示すシェア情報を表示させ、
シェアコマンドの入力を受け取らせ、
ネットワークが前記シェアされた記録ビデオ映像を通知される前記１人以上の他のユーザーを識別できるようにするための情報を含んだシェア信号を前記ネットワークに送信させる、
クライアント装置のプロセッサによって実行可能なコードで実施される、前記コンピュータプログラムアプリケーション。
【請求項６２】
前記シェアコマンドの前記入力を受け取ることが、シェアボタンの選択の入力を受け取ることを含む、請求項６１に記載のコンピュータプログラムアプリケーション。
【請求項６３】
前記クライアント装置がスマートフォンである、請求項６１に記載のコンピュータプログラムアプリケーション。
【請求項６４】
前記ライブコール画面がさらに、コール終了ボタン、音量調整ボタン、ミュートボタン、フルスクリーンボタン、及びメニューボタンのうちの少なくとも１つを含む、請求項６１に記載のコンピュータプログラムアプリケーション。
【請求項６５】
前記コンピュータプログラムアプリケーションコードが、前記クライアント装置の前記プロセッサによる実行時、さらに前記クライアント装置に、前記近隣シェアボタンの前記選択の前記入力に応えて前記クライアント装置の前記ディスプレイに、前記ライブコールの前記記録されたビデオ映像を前記１人以上の他のユーザーとシェアするためにプロンプトが前記ライブコール後に提供される旨の通知を表示させる、請求項６１に記載のコンピュータプログラムアプリケーション。
【請求項６６】
前記通知が、前記ライブコールのバナー部分に表示される、請求項６５に記載のコンピュータプログラムアプリケーション。
【請求項６７】
前記通知が前記ライブコールを中断しない、請求項６５に記載のコンピュータプログラムアプリケーション。
【請求項６８】
前記シェア情報がさらに、前記記録されたビデオ映像からの静止画像を含む、請求項６１に記載のコンピュータプログラムアプリケーション。
【請求項６９】
前記シェア情報がさらに、前記記録されたビデオ映像が、前記記録されたビデオ映像が記録された場所についての一般的な表示とともにシェアされる旨の通知を含む、請求項６１に記載のコンピュータプログラムアプリケーション。
【請求項７０】
前記シェア情報が、さらにテキスト入力ボックスを含む、請求項６１に記載のコンピュータプログラムアプリケーション。
【請求項７１】
前記コンピュータプログラムアプリケーションコードが、前記クライアント装置の前記プロセッサによる実行時、さらに前記クライアント装置に、前記記録されたビデオ映像のコンテンツを説明するテキストを入力として受け取らせる、請求項７０に記載のコンピュータプログラムアプリケーション。
【請求項７２】
前記シェア信号がさらに、前記記録されたビデオ映像の前記コンテンツを説明する前記テキストを含む、請求項７１に記載のコンピュータプログラムアプリケーション。
【請求項７３】
前記コンピュータプログラムアプリケーションコードが、前記クライアント装置の前記プロセッサによる実行時、さらに前記クライアント装置に、前記シェアボタンの前記選択の前記入力に応えて、前記記録されたビデオ映像がシェアされている旨の確認を表示させる、請求項６１に記載のコンピュータプログラムアプリケーション。
【請求項７４】
音声／ビデオ（Ａ／Ｖ）記録通信装置からの記録されたビデオ映像をシェアするための方法であって、
ユーザーアラートを提供し、クライアント装置のディスプレイに、前記Ａ／Ｖ記録通信装置のカメラによって記録されるストリーミングビデオ映像を表示することと、
前記ユーザーアラートに対する回答の入力を受け取ることと、
前記ユーザーアラートに対する前記回答に応えて、前記クライアント装置の前記ディスプレイに、近隣シェアボタンを含んだライブコール画面を表示することと、
前記ライブコール中に、前記近隣シェアボタンの選択の入力を受け取ることと、
前記近隣シェアボタンの前記選択の前記入力に応えて、及び前記ライブコール終了後に、前記クライアント装置の前記ディスプレイに、前記ライブコールの記録されたビデオ映像が１人以上の他のユーザーとシェアされることを示すシェア情報を表示することと、
シェアコマンドの入力を受け取ることと、
ネットワークが前記シェアされた記録ビデオ映像を通知される前記１人以上の他のユーザーを識別できるようにするための情報を含んだシェア信号を前記ネットワークに、送信することと、
を含む、前記方法。
【請求項７５】
前記シェアコマンドの前記入力を受け取ることが、シェアボタンの選択の入力を受け取ることを含む、請求項７４に記載の方法。
【請求項７６】
前記クライアント装置がスマートフォンである、請求項７４に記載の方法。
【請求項７７】
前記ライブコール画面がさらに、コール終了ボタン、音量調整ボタン、ミュートボタン、フルスクリーンボタン、及びメニューボタンのうちの少なくとも１つを含む、請求項７４に記載の方法。
【請求項７８】
さらに、前記近隣シェアボタンの前記選択の前記入力に応えて、前記クライアント装置の前記ディスプレイに、前記ライブコールの前記記録されたビデオ映像を前記１人以上の他のユーザーとシェアするためにプロンプトが前記ライブコール後に提供される旨の通知を表示することを含む、請求項７４に記載の方法。
【請求項７９】
前記通知が、前記ライブコールのバナー部分に表示される、請求項７８に記載の方法。
【請求項８０】
前記通知が前記ライブコールを中断しない、請求項７８に記載の方法。
【請求項８１】
前記シェア情報がさらに、前記記録されたビデオ映像からの静止画像を含む、請求項７４に記載の方法。
【請求項８２】
前記シェア情報がさらに、前記記録されたビデオ映像が、前記記録されたビデオ映像が記録された場所についての一般的な表示とともにシェアされる旨の通知を含む、請求項７４に記載の方法。
【請求項８３】
前記シェア情報が、さらにテキスト入力ボックスを含む、請求項７４に記載の方法。
【請求項８４】
さらに、前記記録されたビデオ映像のコンテンツを説明するテキストを入力として受け取ることを含む、請求項８３に記載の方法。
【請求項８５】
前記シェア信号がさらに、前記記録されたビデオ映像の前記コンテンツを説明する前記テキストを含む、請求項８４に記載の方法。
【請求項８６】
さらに、前記シェアボタンの前記選択の前記入力に応えて、前記クライアント装置の前記ディスプレイに、前記記録されたビデオ映像がシェアされている旨の確認を表示することを含む、請求項７４に記載の方法。
【請求項８７】
音声／ビデオ（Ａ／Ｖ）記録通信装置からの記録されたビデオ映像をシェアするためのコンピュータプログラムアプリケーションであって、前記コンピュータプログラムアプリケーションが、クライアント装置のプロセッサによって実行可能なコードで実施され、該コードが、実行時、前記クライアント装置に、
前記クライアント装置のディスプレイの近隣シェアボタンを含んだビデオプレイバック画面に、前記記録されたビデオ映像の少なくとも一部分をプレイバックさせ、
前記近隣シェアボタンの選択の入力を受け取らせ、
前記近隣シェアボタンの前記選択の前記入力に応えて、前記クライアント装置の前記ディスプレイに、前記記録されたビデオ映像が１人以上の他のユーザーとシェアされることを示すシェア情報を表示させ、
シェアコマンドの入力を受け取らせ、
ネットワークが前記シェアされた記録ビデオ映像を通知される前記１人以上の他のユーザーを識別できるようにするための情報を含んだシェア信号を前記ネットワークに送信させる、
クライアント装置のプロセッサによって実行可能なコードで実施される、前記コンピュータプログラムアプリケーション。
【請求項８８】
前記シェアコマンドの前記入力を受け取ることが、シェアボタンの選択の入力を受け取ることを含む、請求項８７に記載のコンピュータプログラムアプリケーション。
【請求項８９】
前記クライアント装置がスマートフォンである、請求項８７に記載のコンピュータプログラムアプリケーション。
【請求項９０】
前記ビデオプレイバック画面がさらに、音量調整スライダウィジェット、巻き戻しボタン、再生ボタン、早送りボタン、削除ボタン及びシェアボタンのうちの少なくとも１つを含む、請求項８７に記載のコンピュータプログラムアプリケーション。
【請求項９１】
前記ビデオプレイバック画面がさらに、プログレスバー、及び前記記録されたビデオ映像のどの部分が現在再生しているのかを示すスライダウィジェットを含む、請求項８７に記載のコンピュータプログラムアプリケーション。
【請求項９２】
前記シェア情報がさらに、前記記録されたビデオ映像からの静止画像を含む、請求項８７に記載のコンピュータプログラムアプリケーション。
【請求項９３】
前記シェア情報がさらに、前記記録されたビデオ映像が、前記記録されたビデオ映像が記録された場所についての一般的な表示とともにシェアされる旨の通知を含む、請求項８７に記載のコンピュータプログラムアプリケーション。
【請求項９４】
前記シェア情報が、さらにテキスト入力ボックスを含む、制球項８７に記載のコンピュータプログラムアプリケーション。
【請求項９５】
前記コンピュータプログラムアプリケーションコードが、前記クライアント装置の前記プロセッサによる実行時、さらに前記クライアント装置に、前記記録されたビデオ映像のコンテンツを説明するテキストを入力として受け取らせる、請求項９５に記載のコンピュータプログラムアプリケーション。
【請求項９６】
前記シェア信号がさらに、前記記録されたビデオ映像の前記コンテンツを説明する前記テキストを含む、請求項９５に記載のコンピュータプログラムアプリケーション。
【請求項９７】
前記コンピュータプログラムアプリケーションコードが、前記クライアント装置の前記プロセッサによる実行時、さらに前記クライアント装置に、前記シェアボタンの前記選択の前記入力に応えて、前記記録されたビデオ映像がシェアされている旨の確認を表示させる、請求項８７に記載のコンピュータプログラムアプリケーション。
【請求項９８】
前記コンピュータプログラムアプリケーションコードが、前記クライアント装置の前記プロセッサによる実行時、さらに前記クライアント装置に、前記シェアコマンドの前記入力の受け取り後に、前記記録されたビデオ映像のシェアを解除するオプションを提供するメッセージを表示させる、請求項８７に記載のコンピュータプログラムアプリケーション。
【請求項９９】
音声／ビデオ（Ａ／Ｖ）記録通信装置からの記録されたビデオ映像をシェアするための方法であって、
前記クライアント装置のディスプレイの近隣シェアボタンを含んだビデオプレイバック画面に、前記記録されたビデオ映像の少なくとも一部分をプレイバックすることと、
前記近隣シェアボタンの選択の入力を受け取ることと、
前記近隣シェアボタンの前記選択の前記入力に応えて、前記クライアント装置の前記ディスプレイに、前記記録されたビデオ映像が１人以上の他のユーザーとシェアされることを示すシェア情報を表示することと、
シェアコマンドの入力を受け取ることと、
ネットワークが前記シェアされた記録ビデオ映像を通知される前記１人以上の他のユーザーを識別できるようにするための情報を含んだシェア信号を前記ネットワークに送信することと、
を含む、前記方法。
【請求項１００】
前記シェアコマンドの前記入力を受け取ることが、シェアボタンの選択の入力を受け取ることを含む、請求項９９に記載の方法。
【請求項１０１】
前記クライアント装置がスマートフォンである、請求項９９に記載の方法。
【請求項１０２】
前記ビデオプレイバック画面がさらに、音量調整スライダウィジェット、巻き戻しボタン、再生ボタン、早送りボタン、削除ボタン及びシェアボタンのうちの少なくとも１つを含む、請求項９９に記載の方法。
【請求項１０３】
前記ビデオプレイバック画面がさらに、プログレスバー、及び前記記録されたビデオ映像のどの部分が現在再生しているのかを示すスライダウィジェットを含む、請求項９９に記載の方法。
【請求項１０４】
前記シェア情報がさらに、前記記録されたビデオ映像からの静止画像を含む、請求項９９に記載の方法。
【請求項１０５】
前記シェア情報がさらに、前記記録されたビデオ映像が、前記記録されたビデオ映像が記録された場所についての一般的な表示とともにシェアされる旨の通知を含む、請求項９９に記載の方法。
【請求項１０６】
前記シェア情報が、さらにテキスト入力ボックスを含む、請求項９９に記載の方法。
【請求項１０７】
前記コンピュータプログラムアプリケーションコードが、前記クライアント装置の前記プロセッサによる実行時、さらに前記クライアント装置に、前記記録されたビデオ映像のコンテンツを説明するテキストを入力として受け取らせる、請求項１０６に記載の方法。
【請求項１０８】
前記シェア信号がさらに、前記記録されたビデオ映像の前記コンテンツを説明する前記テキストを含む、請求項１０７に記載の方法。
【請求項１０９】
前記コンピュータプログラムアプリケーションコードが、前記クライアント装置の前記プロセッサによる実行時、さらに前記クライアント装置に、前記シェアボタンの前記選択の前記入力に応えて、前記記録されたビデオ映像がシェアされている旨の確認を表示させる、請求項９９に記載の方法。
【請求項１１０】
前記コンピュータプログラムアプリケーションコードが、前記クライアント装置の前記プロセッサによる実行時、さらに前記クライアント装置に、前記シェアコマンドの前記入力の受け取り後に、前記記録されたビデオ映像のシェアを解除するオプションを提供するメッセージを表示させる、請求項９９に記載の方法。
【発明の詳細な説明】
【技術分野】
【０００１】
本出願は、２０１６年８月１８日に出願された仮出願第６２／３７６，８２６号、及び２０１６年２月２６日に出願された仮出願第６２／３００，５４７号の優先権を主張する。優先権出願の内容全体は、完全に記載されたかのように参照により本明細書に援用される。
【０００２】
本実施形態は、Ａ／Ｖ記録通信ドアベルシステムを含んだ、音声／ビデオ（Ａ／Ｖ）記録通信装置に関する。特に、本実施形態は、係る装置によって記録されたビデオ映像の容易なシェアリングを促進することによってＡ／Ｖ記録通信装置の機能性を改善する。
【背景技術】
【０００３】
自宅の安全は、多くの住宅所有者及び賃借人にとって懸念事項である。自身の自宅を保護または監視しようとする人は、例えば外部ドアまたは出入口を訪ねる人等のビジターとのビデオ通信及び音声通信を有することを希望する場合がある。例えばドアベル等の音声／ビデオ（Ａ／Ｖ）記録通信装置は、この機能性を提供し、犯罪の検出及び防止に役立つ場合もある。例えば、Ａ／Ｖ記録通信装置によって取り込まれた音声及び／またはビデオは、クラウドにアップロードし、リモートサーバに記録することができる。Ａ／Ｖ映像のその後の再検討は、法執行機関が住宅侵入窃盗及び他の犯罪の犯人を捕らえるのを支援する場合がある。さらに、住宅の玄関でのドアベルユニット等の住宅の外部での１つ以上のＡ／Ｖ記録通信装置は、住宅侵入窃盗をする可能性のある者に対する強力な抑止手段としての役割を果たす。
【発明の概要】
【０００４】
音声／ビデオ（Ａ／Ｖ）記録通信装置からのビデオ映像をシェアするための本装置、本システム、及び本方法の種々の実施形態は、いくつかの特徴を有し、該特徴のうちのただの１つの特徴もその所望される属性についての全責任を負わない。以下に続く特許請求の範囲により示す本実施形態の範囲を制限することなく、そのより顕著な特徴をここで簡略に説明する。本説明を考慮した後、及び特に「発明を実施するための形態」と題する項を読んだ後、本実施形態の特徴が本明細書に記載する優位点をどのようにして提供するのかが理解される。
【０００５】
本実施形態の一態様は、音声／ビデオ（Ａ／Ｖ）記録通信装置のユーザーが、自分の装置によって記録されるビデオ映像をシェアすることをときどき所望する場合があるという理解を含む。例えば、Ａ／Ｖ記録通信装置が、疑わしい活動または犯罪活動のビデオ映像を記録するとき、フィルム映像を見るユーザーは、隣人に疑わしい活動または犯罪活動に関与する人（複数可）が呈する危険の可能性を警告することを所望する場合がある。そのとき、係る装置によって記録されたビデオ映像の隣人との容易なシェアリングを促進することによってＡ／Ｖ記録通信装置の機能性を強化することは有利であろう。別の例では、Ａ／Ｖ記録通信装置は、ユーザーの友人及び家族にとって関心がある場合がある活動のビデオ映像（例えば、庭で遊んでいる子供たちの画像）を記録してよい。そのとき、係る装置によって記録されたビデオ映像の友人及び家族との容易なシェアリングを促進することによってＡ／Ｖ記録通信装置の機能性を改善することは有利であろう。本実施形態は、以下に詳細に説明するように、これらの強化及び他の拡張機能を提供する。特に、本実施形態は、Ａ／Ｖ記録通信装置によって取り込まれたビデオ映像を、クラウドに容易にアップロードし、隣人、友人、及び家族を含んだユーザーの選ぶ誰とでもシェアすることを可能にする。さらに、本実施形態は、Ａ／Ｖ記録通信装置が犯罪を止める能力を制限する係る装置の所有者だけしかアクセスできないＡ／Ｖ記録通信装置によって取り込まれるビデオ映像の問題を改善し、解決する。
【０００６】
第１の態様では、第１のＡ／Ｖ記録通信装置、第１の第１のＡ／Ｖ記録通信装置と関連付けられた第一のクライアント装置、複数の他のＡ／Ｖ記録通信装置、ならびにネットワーク装置の間で通信するためのシステムが提供され、システムはプロセッサ及びメモリを有するネットワーク装置を含み、メモリは、第１のクライアント装置から、第１のＡ／Ｖ記録通信装置のカメラによって取り込まれる画像が、他のＡ／Ｖ記録通信装置と関連付けられた１人以上のユーザーとシェアされることを示すシェア信号を受信するための、複数の他のＡ／Ｖ記録通信装置の中から、第１のＡ／Ｖ記録通信装置が第２のＡ／Ｖ記録通信装置から所定距離内にあると判断するための、ならびに第２のＡ／Ｖ記録通信装置と関連付けられた第２のクライアント装置にシェア通知信号を送信するためのプロセッサによって操作可能なコードを記憶する。
【０００７】
第１の態様の実施形態では、メモリは、シェア通知信号に応えて第２のクライアント装置からプレイバック要求信号を受信するためのプロセッサによって操作可能なコードをさらに記憶する。
【０００８】
第１の態様の別の実施形態では、メモリは、プレイバック要求信号に応えて第２のクライアント装置に、第１のＡ／Ｖ記録通信装置のカメラによって取り込まれる画像を含んだビデオ信号を送信するためのプロセッサによって操作可能なコードをさらに記憶する。
【０００９】
第１の態様の別の実施形態では、第１のクライアント装置からのシェア信号は、第１のＡ／Ｖ記録通信装置のカメラによって取り込まれる画像を説明するテキストを含む。
【００１０】
第１の態様の別の実施形態では、メモリはさらに、第２のクライアント装置に、ビデオシェア通知信号とともにテキストを送信するためのプロセッサによって操作可能なコードを記憶する。
【００１１】
第１の態様の別の実施形態では、所定距離は、第２のＡ／Ｖ記録通信装置のユーザーによって構成可能である。
【００１２】
第１の態様の別の実施形態では、第１のＡ／Ｖ記録通信装置及び第２のＡ／Ｖ記録通信装置のうちの少なくとも１つは、Ａ／Ｖ記録通信ドアベルである。
【００１３】
第１の態様の別の実施形態では、第１のクライアント装置及び第２のクライアント装置のうちの少なくとも１つは、スマートフォンである。
【００１４】
第１の態様の別の実施形態では、ネットワーク装置はサーバである。
【００１５】
第１の態様の別の実施形態では、ネットワーク装置は、１つ以上のネットワークサービスを含む。
【００１６】
第２の態様では、第１のＡ／Ｖ記録通信装置、第１のＡ／Ｖ記録通信装置と関連付けられた第１のクライアント装置、複数の他のＡ／Ｖ記録通信装置、ならびにネットワーク装置の間で通信するための方法が提供され、方法は、ネットワーク装置が第１のクライアント装置から、第１のＡ／Ｖ記録通信装置のカメラによって取り込まれる画像が、他のＡ／Ｖ記録通信装置と関連付けられた１つ以上のユーザーとシェアされることを示すシェア信号を受信することと、第１のクライアント装置からシェア信号を受信することに応えて、ネットワーク装置が、複数の他のＡ／Ｖ記録通信装置の中から、第１のＡ／Ｖ記録通信装置が、第２のＡ／Ｖ記録通信装置から所定距離内にあると判断することと、ネットワーク装置が、第２のＡ／Ｖ記録通信装置と関連付けられた第２のクライアント装置にシェア通知信号を送信することとを含む。
【００１７】
第２の態様の１つの実施形態では、方法はさらに、ネットワーク装置が、シェア通知信号に応えて第２のクライアント装置からプレイバック要求を受信することを含む。
【００１８】
第２の態様の別の実施形態では、方法はさらに、ネットワーク装置が、プレイバック要求信号に応えて第２のクライアント装置に、第１のＡ／Ｖ記録通信装置によって取り込まれる画像を含んだビデオ信号を送信することを含む。
【００１９】
第２の態様の別の実施形態では、第１のクライアント装置からのシェア信号は、第１のＡ／Ｖ記録通信装置によって取り込まれる画像を説明するテキストを含む。
【００２０】
第２の態様の別の実施形態では、方法はさらに、ネットワーク装置が、第２のクライアント装置にビデオシェア通知信号とともにテキストを送信することを含む。
【００２１】
第２の態様の別の実施形態では、所定距離は、第２のＡ／Ｖ記録通信装置のユーザーによって構成可能である。
【００２２】
第２の態様の別の実施形態では、第１の記録通信装置及び第２のＡ／Ｖ記録通信装置のうちの少なくとも１つは、Ａ／Ｖ記録通信ドアベルである。
【００２３】
第２の態様の別の実施形態では、第１のクライアント装置及び第２のクライアント装置のうちの少なくとも１つは、スマートフォンである。
【００２４】
第２の態様の別の実施形態では、ネットワーク装置はサーバである。
【００２５】
第２の態様の別の実施形態では、ネットワーク装置は、１つ以上のネットワークサービスを含む。
【００２６】
第３の態様では、第１のＡ／Ｖ記録通信装置、第１のＡ／Ｖ記録通信装置と関連付けられた第１のクライアント装置、複数の他のＡ／Ｖ記録通信装置、ならびに１つ以上のネットワーク装置を含んだネットワークの間で通信するためのシステムが提供され、システムは、プロセッサ及びメモリを有する１つ以上のネットワーク装置のそれぞれを含み、メモリのうちの１つ以上は、第１のＡ／Ｖ記録通信装置から、第１のアラート信号、及び第１のＡ／Ｖ記録通信装置のカメラによって取り込まれる画像を含んだ第１のビデオ信号を受信するための、第１のアラート信号及び第１のビデオ信号を受信することに応えて第１のクライアント装置に、第２のアラート信号、及び第１のＡ／Ｖ記録通信装置のカメラによって取り込まれる画像を含んだ第２のビデオ信号を送信するための、第１のクライアント装置からシェア信号を受信するための、第１のクライアント装置からシェア信号を受信することに応えて、複数の他のＡ／Ｖ記録通信装置の中から、第１のＡ／Ｖ記録通信装置が第２のＡ／Ｖ記録通信装置から所定距離内にあると判断するための、ならびに第２のＡ／Ｖ記録通信装置と関連付けられた第２のクライアント装置にシェア通知信号を送信するためのプロセッサのうちの１つ以上によって操作可能なコードを記憶する。
【００２７】
第３の態様の１つの実施形態では、メモリのうちの１つ以上はさらに、シェア通知信号に応えて第２のクライアント装置からプレイバック要求信号を受信するためのプロセッサのうちの１つ以上によって操作可能なコードを記憶する。
【００２８】
第３の態様の別の実施形態では、メモリのうちの１つ以上はさらに、プレイバック要求信号に応えて、第２のクライアント装置に第３のビデオ信号を送信するためのプロセッサのうちの１つ以上によって操作可能なコードを記憶し、第３のビデオ信号は、第１のＡ／Ｖ記録通信装置のカメラによって取り込まれる画像を含む。
【００２９】
第３の態様の別の実施形態では、第１のクライアント装置からのシェア信号は、第１のＡ／Ｖ記録通信装置のカメラによって取り込まれる画像を説明するテキストを含む。
【００３０】
第３の態様の別の実施形態では、メモリのうちの１つ以上はさらに、第２のクライアント装置に第３のビデオシェア通知信号とともにテキストを送信するためのプロセッサのうちの１つ以上によって操作可能なコードを記憶する。
【００３１】
第３の態様の別の実施形態では、所定距離は、第２のＡ／Ｖ記録通信装置のユーザーによって構成可能である。
【００３２】
第３の態様の別の実施形態では、第１のＡ／Ｖ記録通信装置及び第２のＡ／Ｖ記録通信装置のうちの少なくとも１つは、Ａ／Ｖ記録通信ドアベルである。
【００３３】
第３の態様の別の実施形態では、第１のクライアント装置及び第２のクライアント装置のうちの少なくとも１つは、スマートフォンである。
【００３４】
第３の態様の別の実施形態では、１つ以上のネットワーク装置は、１つ以上のネットワークサーバを含む。
【００３５】
第３の態様の別の実施形態では、ネットワーク装置は、１つ以上のネットワークサービスを含む。
【００３６】
第４の態様では、第１のＡ／Ｖ記録通信装置、第１のＡ／Ｖ記録通信装置と関連付けられた第１のクライアント装置、複数の他のＡ／Ｖ記録通信装置、ならびに１つ以上のネットワーク装置を含んだネットワークの間で通信するための方法が提供され、方法は、１つ以上のネットワーク装置が、第１のＡ／Ｖ記録通信装置から第１のアラート信号及び第１のビデオ信号を受信することであって、第１のビデオ信号は第１のＡ／Ｖ記録通信装置のカメラによって取り込まれる画像を含む、該受信することと、１つ以上のネットワーク装置が、第１のアラート信号及び第１のビデオ信号を受信することに応えて、第１のクライアント装置に第２のアラート信号及び第２のビデオ信号を送信することであって、第２のビデオ信号が、第１のＡ／Ｖ記録通信装置のカメラによって取り込まれる画像を含む、該送信することと、１つ以上のネットワーク装置が、第１のクライアント装置からシェア信号を受信することと、第１のクライアント装置からシェア信号を受信することに応えて、１つ以上のネットワーク装置が、複数の他のＡ／Ｖ記録通信装置の中から、第１のＡ／Ｖ記録通信装置が第２のＡ／Ｖ記録通信装置から所定距離内にあると判断することと、１つ以上のネットワーク装置が、第２のＡ／Ｖ記録通信装置と関連付けられた第２のクライアント信号にシェア通知信号を送信することとを含む。
【００３７】
第４の態様の１つの実施形態では、方法はさらに、１つ以上のネットワーク装置が、シェア通知信号に応えて第２のクライアント装置からプレイバック要求を受信することを含む。
【００３８】
第４の態様の別の実施形態では、方法はさらに、１つ以上のネットワーク装置が、プレイバック要求信号に応えて第２のクライアント装置に、第１のＡ／Ｖ記録通信装置のカメラによって取り込まれる画像を含んだ第３のビデオ信号を送信することを含む。
【００３９】
第４の態様の別の実施形態では、第１のクライアント装置からのシェア信号は、第１のＡ／Ｖ記録通信装置のカメラによって取り込まれる画像を説明するテキストを含む。
【００４０】
第４の態様の別の実施形態では、方法はさらに、１つ以上のネットワーク装置が、第２のクライアント装置に第３のビデオシェア通知信号とともにテキストを送信することを含む。
【００４１】
第４の態様の別の実施形態では、所定距離は、第２のＡ／Ｖ記録通信装置のユーザーによって構成可能である。
【００４２】
第４の態様の別の実施形態では、第１の記録通信装置及び第２のＡ／Ｖ記録通信装置のうちの少なくとも１つは、Ａ／Ｖ記録通信ドアベルである。
【００４３】
第４の態様の別の実施形態では、第１のクライアント装置及び第２のクライアント装置のうちの少なくとも１つは、スマートフォンである。
【００４４】
第４の態様の別の実施形態では、１つ以上のネットワーク装置は１つ以上のサーバを含む。
【００４５】
第４の態様の別の実施形態では、ネットワーク装置は、１つ以上のネットワークサービスを含む。
【００４６】
第５の態様では、第１のＡ／Ｖ記録通信装置、第１のＡ／Ｖ記録通信装置と関連付けられた第１のクライアント装置、少なくとも１つの第２のＡ／Ｖ記録通信装置、第２のＡ／Ｖ記録通信装置と関連付けられた少なくとも１つの第２のクライアント装置、ならびにネットワーク装置の間で通信するためのシステムが提供され、システムは、プロセッサ及びメモリを有するネットワーク装置を含み、メモリは、第１のクライアント装置から、第１のＡ／Ｖ記録通信装置の場所を含んだ、第１のＡ／Ｖ記録通信装置と関連付けられた情報を受信するため、第１のクライアント装置から、第１のＡ／Ｖ記録通信装置のシェア機能のためのイネーブル信号を受信するため、第１のクライアント装置から第１のＡ／Ｖ記録通信装置のシェア機能と関連付けられた通知距離を受信するため、受信した情報及び受信した通知距離で、ネットワーク装置によって維持される少なくとも１つのデータ構造を更新するため、第２のクライアント装置からシェア信号を受信するため、第２のクライアント装置からシェア信号を受信することに応えて、第２のＡ／Ｖ記録通信装置が、第１のＡ／Ｖ記録通信装置のシェア機能と関連付けられた通知距離内にあると判断するための、ならびに第１のクライアント装置にシェア通知信号を送信するためのプロセッサによって操作可能なコードを記憶する。
【００４７】
第５の態様の１つの実施形態では、不揮発性メモリはさらに、シェア通知信号に応えて第１のクライアント装置からプレイバック要求信号を受信するためのプロセッサによって操作可能なコードを記憶する。
【００４８】
第５の態様の別の実施形態では、不揮発性メモリはさらに、プレイバック要求信号に応えて第１のクライアント装置に、第２のＡ／Ｖ記録通信装置のカメラによって取り込まれる画像を含んだビデオ信号を送信するためのプロセッサによって操作可能なコードを記憶する。
【００４９】
第５の態様の別の実施形態では、第２のクライアント装置からのシェア信号は、第２のＡ／Ｖ記録通信装置のカメラによって取り込まれる画像を説明するテキストを含む。
【００５０】
第５の態様の別の実施形態では、不揮発性メモリはさらに、第１のクライアント装置に、ビデオシェア通知信号とともにテキストを送信するためのプロセッサによって操作可能なコードを記憶する。
【００５１】
第５の態様の別の実施形態では、通知距離は、第１のＡ／Ｖ記録通信装置のユーザーによって構成可能である。
【００５２】
第５の態様の別の実施形態では、第１の記録通信装置及び第２のＡ／Ｖ記録通信装置のうちの少なくとも１つは、Ａ／Ｖ記録通信ドアベルである。
【００５３】
第５の態様の別の実施形態では、第１のクライアント装置及び第２のクライアント装置のうちの少なくとも１つは、スマートフォンである。
【００５４】
第５の態様の別の実施形態では、ネットワーク装置はサーバである。
【００５５】
第５の態様の別の実施形態では、ネットワーク装置は、１つ以上のネットワークサービスを含む。
【００５６】
第６の態様では、第１のＡ／Ｖ記録通信装置、第１のＡ／Ｖ記録通信装置と関連付けられた第１のクライアント装置、少なくとも１つの第２のＡ／Ｖ記録通信装置、第２のＡ／Ｖ記録通信装置と関連付けられた少なくとも１つの第２のクライアント装置、ならびにネットワーク装置の間で通信するための方法が提供され、方法は、第１のクライアント装置から、第１のＡ／Ｖ記録通信装置の位置を含んだ、第１のＡ／Ｖ記録通信装置と関連付けられた情報を受信することと、第１のクライアント装置から、第１のＡ／Ｖ記録通信装置のシェア機能のためのイネーブル信号を受信することと、第１のクライアント装置から、第１のＡ／Ｖ記録通信装置のシェア機能と関連付けられた通知距離を受信することと、受信した情報及び受信した通知距離でネットワーク装置によって維持される少なくとも１つのデータ構造を更新することと、第２のクライアント装置からシェア信号を受信することと、第２のクライアント装置からシェア信号を受信することに応えて、第２のＡ／Ｖ記録通信装置が、第１のＡ／Ｖ記録通信装置のシェア機能と関連付けられた通知距離内にあると判断することと、第１のクライアント装置にシェア通知信号を送信することとを含む。
【００５７】
第６の態様の１つの実施形態では、方法はさらに、シェア通知信号に応えて第１のクライアント装置からプレイバック要求を受信することを含む。
【００５８】
第６の態様の別の実施形態では、方法はさらに、プレイバック要求信号に応えて第１のクライアント装置に、第２のＡ／Ｖ記録通信装置のカメラによって取り込まれる画像を含んだビデオ信号を送信することを含む。
【００５９】
第６の態様の別の実施形態では、第２のクライアント装置からのシェア信号は、第２のＡ／Ｖ記録通信装置のカメラによって取り込まれる画像を説明するテキストを含む。
【００６０】
第６の態様の別の実施形態では、方法はさらに、第１のクライアント装置にビデオシェア通知信号とともにテキストを送信することを含む。
【００６１】
第６の態様の別の実施形態では、通知距離は、第１のＡ／Ｖ記録通信装置のユーザーによって構成可能である。
【００６２】
第６の態様の別の実施形態では、第１のＡ／Ｖ記録通信装置及び第２のＡ／Ｖ記録通信装置のうちの少なくとも１つは、Ａ／Ｖ記録通信ドアベルである。
【００６３】
第６の態様の別の実施形態では、第１のクライアント装置及び第２のクライアント装置のうちの少なくとも１つは、スマートフォンである。
【００６４】
第６の態様の別の実施形態では、ネットワーク装置はサーバである。
【００６５】
第６の態様の別の実施形態では、ネットワーク装置は、１つ以上のネットワークサービスを含む。
【００６６】
第７の態様では、音声／ビデオ（Ａ／Ｖ）記録通信装置からの記録されたビデオ映像をシェアするためのコンピュータプログラムアプリケーションが提供され、コンピュータプログラムアプリケーションは、クライアント装置のプロセッサによって実行可能なコードで実施され、該コードは、実行時、クライアント装置に、ユーザーアラートを提供させ、クライアント装置のディスプレイにＡ／Ｖ記録通信装置のカメラによって記録されたストリーミングビデオ映像を表示させ、ユーザーアラートに対する回答の入力を受けとり、ユーザーアラートに対する回答に応えて、クライアント装置のディスプレイに近隣シェアボタンを含むライブコール画面を表示させ、ライブコール中に近隣シェアボタンの選択の入力を受け取らせ、近隣シェアボタンの選択の入力に応えて、及びライブコール終了後に、クライアント装置のディスプレイに、ライブコールの記録されたビデオ映像が１つ以上の他のユーザーとシェアされることを示すシェア情報を表示させ、シェアコマンドの入力を受け取らせ、ネットワークが、シェアされた記録ビデオ映像を通知される１人以上の他のユーザーを識別できるようにするための情報を含むシェア信号をネットワークに送信させる。
【００６７】
第７の態様の１つの実施形態では、シェアコマンドの入力を受け取ることは、シェアボタンの選択の入力を受け取ることを含む。
【００６８】
第７の態様の別の実施形態では、クライアント装置はスマートフォンである。
【００６９】
第７の態様の別の実施形態では、ライブコール画面はさらに、コール終了ボタン、音量調整ボタン、ミュートボタン、フルスクリーンボタン、及びメニューボタンのうちの少なくとも１つを含む。
【００７０】
第７の態様の別の実施形態では、コンピュータプログラムアプリケーションコードは、クライアント装置のプロセッサによる実行時、さらにクライアント装置に、近隣シェアボタンの選択の入力に応えて、クライアント装置のディスプレイに、ライブコールの記録されたビデオ映像を１人以上の他のユーザーとシェアするためにプロンプトがライブコール後に提供される旨の通知を表示させる。
【００７１】
第７の態様の別の実施形態では、通知は、ライブコールのバナー部分に表示される。
【００７２】
第７の態様の別の実施形態では、通知はライブコールを中断しない。
【００７３】
第７の態様の別の実施形態では、シェア情報はさらに、記録されたビデオ映像からの静止画像を含む。
【００７４】
第７の態様の別の実施形態では、シェア情報はさらに、記録されたビデオ映像が、記録されたビデオ映像が記録された場所についての一般的な表示とともにシェアされる旨の通知を含む。
【００７５】
第７の態様の別の実施形態では、シェア情報は、さらにテキスト入力ボックスを含む。
【００７６】
第７の態様の別の実施形態では、コンピュータプログラムアプリケーションコードは、クライアント装置のプロセッサによる実行時、さらにクライアント装置に、記録されたビデオ映像のコンテンツを説明するテキストを入力として受信させる。
【００７７】
第７の態様の別の実施形態では、シェア信号はさらに、記録されたビデオ映像のコンテンツを説明するテキストを含む。
【００７８】
第７の態様の別の実施形態では、コンピュータプログラムアプリケーションコードは、クライアント装置のプロセッサによる実行時、さらにクライアント装置に、シェアボタンの選択の入力に応えて、クライアント装置のディスプレイに、記録されたビデオ映像がシェアされている旨の確認を表示させる。
【００７９】
第８の態様では、音声／ビデオ（Ａ／Ｖ）記録通信装置からの記録されたビデオ映像をシェアするための方法が提供され、方法は、ユーザーアラートを提供し、クライアント装置のディスプレイに、Ａ／Ｖ記録通信装置のカメラによって記録されたストリーミングビデオ映像を表示することと、ユーザーアラートに対する回答の入力を受け取ることと、クライアント装置のディスプレイに、近隣シェアボタンを含むライブコール画面を表示することと、ライブコール中に近隣シェアボタンの選択の入力を受け取ることと、近隣シェアボタンの選択の入力に応えて、及びライブコール終了後に、クライアント装置のディスプレイに、ライブコールの記録されたビデオ映像が１人以上の他のユーザーとシェアされることを示すシェア情報を表示することと、シェアコマンドの入力を受け取ることと、ネットワークが、シェアされた記録ビデオ映像を通知される１人以上の他のユーザーを識別できるようにするための情報を含んだシェア信号をネットワークに送信することとを含む。
【００８０】
第８の態様の１つの実施形態では、シェアコマンドの入力を受け取ることは、シェアボタンの選択の入力を受け取ることを含む。
【００８１】
第８の態様の別の実施形態では、クライアント装置はスマートフォンである。
【００８２】
第８の態様の別の実施形態では、ライブコール画面はさらに、コール終了ボタン、音量調整ボタン、ミュートボタン、フルスクリーンボタン、及びメニューボタンのうちの少なくとも１つを含む。
【００８３】
第８の態様の別の実施形態はさらに、近隣シェアボタンの選択の入力に応えて、クライアント装置のディスプレイに、ライブコールの記録されたビデオ映像を１人以上の他のユーザーとシェアするためにプロンプトがライブコール後に提供される旨の通知を表示することを含む。
【００８４】
第８の態様の別の実施形態では、通知は、ライブコールのバナー部分に表示される。
【００８５】
第８の態様の別の実施形態では、通知はライブコールを中断しない。
【００８６】
第８の態様の別の実施形態では、シェア情報はさらに、記録されたビデオ映像からの静止画像を含む。
【００８７】
第８の態様の別の実施形態では、シェア情報はさらに、記録されたビデオ映像が、記録されたビデオ映像が記録された場所についての一般的な表示とともにシェアされる旨の通知を含む。
【００８８】
第８の態様の別の実施形態では、シェア情報は、さらにテキスト入力ボックスを含む。
【００８９】
第８の態様の別の実施形態はさらに、記録されたビデオ映像のコンテンツを説明するテキストを入力として受信することを含む。
【００９０】
第８の態様の別の実施形態では、シェア信号はさらに、記録されたビデオ映像のコンテンツを説明するテキストを含む。
【００９１】
第８の態様の別の実施形態はさらに、シェアボタンの選択の入力に応えて、クライアント装置のディスプレイに、記録されたビデオ映像がシェアされている旨の確認を表示することを含む。
【００９２】
第９の態様では、音声／ビデオ（Ａ／Ｖ）記録通信装置からの記録されたビデオ映像をシェアするためのコンピュータプログラムアプリケーションが提供され、コンピュータプログラムアプリケーションは、クライアント装置のプロセッサによって実行可能なコードで実施され、該コードは、実行時、クライアント装置に、クライアント装置のディスプレイ上の近隣シェアボタンを含むビデオプレイバック画面で、記録されたビデオ映像のうちの少なくとも一部分をプレイバックさせ、近隣シェアボタンの選択の入力を受け取らせ、近隣シェアボタンの選択の入力に応えて、クライアント装置のディスプレイに、記録されたビデオ映像が１人以上の他のユーザーとシェアされることを示すシェア情報を表示させ、シェアコマンドの入力を受け取らせ、ネットワークが、シェアされた記録ビデオを通知される１人以上の他のユーザーを識別できるようにするための情報を含んだシェア信号をネットワークに送信させる。
【００９３】
第９の態様の１つの実施形態では、シェアコマンドの入力を受け取ることは、シェアボタンの選択の入力を受け取ることを含む。
【００９４】
第８の態様の別の実施形態では、クライアント装置はスマートフォンである。
【００９５】
第９の態様の別の実施形態では、ビデオプレイバック画面はさらに、音量調整スライダウィジェット、巻き戻しボタン、再生ボタン、早送りボタン、削除ボタン及びシェアボタンのうちの少なくとも１つを含む。
【００９６】
第９の態様の別の実施形態では、ビデオプレイバック画面はさらに、プログレスバー、及び記録されたビデオ映像のどの部分が現在再生しているのかを示すスライダウィジェットを含む。
【００９７】
第９の態様の別の実施形態では、シェア情報はさらに、記録されたビデオ映像からの静止画像を含む。
【００９８】
第９の態様の別の実施形態では、シェア情報はさらに、記録されたビデオ映像が、記録されたビデオ映像が記録された場所についての一般的な表示とともにシェアされる旨の通知を含む。
【００９９】
第９の態様の別の実施形態では、シェア情報は、さらにテキスト入力ボックスを含む。
【０１００】
第９の態様の別の実施形態では、コンピュータプログラムアプリケーションコードは、クライアント装置のプロセッサによる実行時、さらにクライアント装置に、記録されたビデオ映像のコンテンツを説明するテキストを入力として受け取らせる。
【０１０１】
第９の態様の別の実施形態では、シェア信号はさらに、記録されたビデオ映像のコンテンツを説明するテキストを含む。
【０１０２】
第９の態様の別の実施形態では、コンピュータプログラムアプリケーションコードは、クライアント装置のプロセッサによる実行時、さらにクライアント装置に、シェアボタンの選択の入力に応えて、記録されたビデオ映像がシェアされている旨の確認を表示させる。
【０１０３】
第９の態様の別の実施形態では、コンピュータプログラムアプリケーションコードは、クライアント装置のプロセッサによる実行時、さらにクライアント装置に、シェアコマンドの入力の受け取り後に、記録されたビデオ映像のシェアを解除するオプションを提供するメッセージを表示させる。
【０１０４】
第１０の態様では、音声／ビデオ（Ａ／Ｖ）記録通信装置からの記録されたビデオ映像をシェアするための方法が提供され、方法は、クライアント装置のディスプレイ上の近隣シェアボタンを含むビデオプレイバック画面で、記録されたビデオ映像のうちの少なくとも一部分をプレイバックすることと、近隣シェアボタンの選択の入力を受け取ることと、近隣シェアボタンの選択の入力に応えてクライアント装置のディスプレイに、記録されたビデオ映像が１人以上の他のユーザーとシェアされることを示すシェア情報を表示することと、シェアコマンドの入力を受け取ることと、ネットワークが、シェアされた記録ビデオを通知される１人以上の他のユーザーを識別できるようにするための情報を含んだシェア信号をネットワークに送信することとを含む。
【０１０５】
第１０の態様の１つの実施形態では、シェアコマンドの入力を受け取ることは、シェアボタンの選択の入力を受け取ることを含む。
【０１０６】
第１０の態様の別の実施形態では、クライアント装置はスマートフォンである。
【０１０７】
第１０の態様の別の実施形態では、ビデオプレイバック画面はさらに、音量調整スライダウィジェット、巻き戻しボタン、再生ボタン、早送りボタン、削除ボタン及びシェアボタンのうちの少なくとも１つを含む。
【０１０８】
第１０の態様の別の実施形態では、ビデオプレイバック画面はさらに、プログレスバー、及び記録されたビデオ映像のどの部分が現在再生しているのかを示すスライダウィジェットを含む。
【０１０９】
第１０の態様の別の実施形態では、シェア情報はさらに、記録されたビデオ映像からの静止画像を含む。
【０１１０】
第１０の態様の別の実施形態では、シェア情報はさらに、記録されたビデオ映像が、記録されたビデオ映像が記録された場所についての一般的な表示とともにシェアされる旨の通知を含む。
【０１１１】
第１０の態様の別の実施形態では、シェア情報は、さらにテキスト入力ボックスを含む。
【０１１２】
第１０の態様の別の実施形態では、コンピュータプログラムアプリケーションコードは、クライアント装置のプロセッサによる実行時、さらにクライアント装置に、記録されたビデオ映像のコンテンツを説明するテキストを入力として受信させる。
【０１１３】
第１０の態様の別の実施形態では、シェア信号はさらに、記録されたビデオ映像のコンテンツを説明するテキストを含む。
【０１１４】
第１０の態様の別の実施形態はさらに、クライアント装置が、シェアボタンの選択の入力に応えて、記録されたビデオ映像がシェアされている旨の確認を表示することを含む。
【０１１５】
第１０の態様の別の実施形態はさらに、クライアント装置が、シェアコマンドの入力の受け取り後に、記録されたビデオ映像のシェアを解除するオプションを提供するメッセージを表示することを含む。
【０１１６】
音声／ビデオ（Ａ／Ｖ）記録通信装置からのビデオ映像をシェアするための本装置、本システム、ならびに本方法は、ここで有利な特徴を強調することを重視しながら詳細に説明される。これらの実施形態は、例示目的専用である添付図面に示されるＡ／Ｖ記録通信装置からのビデオ映像をシェアするための新規かつ非自明な装置、システム、及び方法を示す。これらの図面は、類似する数字が類似する部分を示す以下の図面を含む。
【図面の簡単な説明】
【０１１７】
【図１】本実施形態に係る音声／ビデオ（Ａ／Ｖ）記録通信装置によって取り込まれるＡ／Ｖコンテンツをストリーミング配信し、記憶するためのシステムを示す機能ブロック図である。
【図２】本開示の態様に係るＡ／Ｖ記録通信ドアベルの正面図である。
【図３】図２のＡ／Ｖ記録通信装置の背面図である。
【図４】本開示の態様に係る取り付けブラケットに取り付けられた図２のＡ／Ｖ記録通信ドアベルの左側面図である。
【図５】図２のＡ／Ｖ記録通信ドアベルの断面右側面図である。
【図６】図４のＡ／Ｖ記録通信装置及び取り付けブラケットの分解図である。
【図７】図４の取り付けブラケットの背面図である。
【図８Ａ】図４のＡ／Ｖ記録通信ドアベル及び取り付けブラケットの、それぞれ上面図及び下面図である。
【図８Ｂ】図４のＡ／Ｖ記録通信ドアベル及び取り付けブラケットの、それぞれ上面図及び下面図である。
【図９Ａ】図２のＡ／Ｖ記録通信ドアベルの受動赤外線センサホルダの、それぞれ上面図及び正面図である。
【図９Ｂ】図２のＡ／Ｖ記録通信ドアベルの受動赤外線センサホルダの、それぞれ上面図及び正面図である。
【図１０Ａ】図２のＡ／Ｖ記録通信ドアベルの受動赤外線センサホルダアセンブリの、それぞれの上面図及び下面図である。
【図１０Ｂ】図２のＡ／Ｖ記録通信ドアベルの受動赤外線センサホルダアセンブリの、それぞれの上面図及び下面図である。
【図１１】本開示の態様に係る、図１０Ａの受動赤外線センサアセンブリ及びその視野の上面図である。
【図１２】図２のＡ／Ｖ記録通信ドアベルの構成要素の機能ブロック図である。
【図１３】本開示の態様に係るＡ／Ｖ記録通信ドアベルのためのプロセスを示すフローチャートである。
【図１４】本開示の態様に係るＡ／Ｖ記録通信ドアベルのための別のプロセスを示すフローチャートである。
【図１５】は、本開示の態様に係るＡ／Ｖ記録通信ドアベルのための別のプロセスを示すフローチャートである。
【図１６】本実施形態に係る音声／ビデオ記録通信装置からのビデオ映像をシェアするためのシステムを示す機能ブロック図である。
【図１７】本開示の態様に係る複数のＡ／Ｖ記録通信ドアベルを有する近隣の平面図である。
【図１８】本開示の態様に係るＡ／Ｖ記録通信ドアベルからのビデオ映像をシェアするためのプロセスを示すシーケンス図である。
【図１９】本開示の態様に係るＡ／Ｖ記録通信ドアベルからのビデオ映像をシェアするための別のプロセスを示すフローチャートである。
【図２０】本開示の態様に係るＡ／Ｖ記録通信装置からのビデオ映像をシェアするためのプロセスの態様を示すグラフィックユーザーインタフェース（ＧＵＩ）のスクリーンショットである。
【図２１】本開示の態様に係るＡ／Ｖ記録通信装置からのビデオ映像をシェアするためのプロセスの態様を示すグラフィックユーザーインタフェース（ＧＵＩ）のスクリーンショットである。
【図２２】本開示の態様に係るＡ／Ｖ記録通信装置からのビデオ映像をシェアするためのプロセスの態様を示すグラフィックユーザーインタフェース（ＧＵＩ）のスクリーンショットである。
【図２３】本開示の態様に係るＡ／Ｖ記録通信装置からのビデオ映像をシェアするためのプロセスの態様を示すグラフィックユーザーインタフェース（ＧＵＩ）のスクリーンショットである。
【図２４】本開示の態様に係るＡ／Ｖ記録通信装置からのビデオ映像をシェアするためのプロセスの態様を示すグラフィックユーザーインタフェース（ＧＵＩ）のスクリーンショットである。
【図２５】本開示の態様に係るＡ／Ｖ記録通信装置からのビデオ映像をシェアするための別のプロセスの態様を示すグラフィックユーザーインタフェース（ＧＵＩ）のスクリーンショットである。
【図２６】本開示の態様に係るＡ／Ｖ記録通信装置からのビデオ映像をシェアするための別のプロセスの態様を示すグラフィックユーザーインタフェース（ＧＵＩ）のスクリーンショットである。
【図２７】本開示の態様に係るＡ／Ｖ記録通信装置からのビデオ映像をシェアするための別のプロセスの態様を示すグラフィックユーザーインタフェース（ＧＵＩ）のスクリーンショットである。
【図２８】本開示の態様に係るＡ／Ｖ記録通信装置からのビデオ映像をシェアするための別のプロセスの態様を示すグラフィックユーザーインタフェース（ＧＵＩ）のスクリーンショットである。
【図２９】本開示の態様に係るＡ／Ｖ記録通信装置からのビデオ映像をシェアするための別のプロセスの態様を示すグラフィックユーザーインタフェース（ＧＵＩ）のスクリーンショットである。
【図３０】本開示の態様に係るＡ／Ｖ記録通信ドアベルからのビデオ映像をシェアするための別のプロセスを示すシーケンス図である。
【図３１】本開示の態様に係るＡ／Ｖ記録通信ドアベルからのビデオ映像をシェアするための別のプロセスを示すフローチャートである。
【図３２】本開示の態様に係るＡ／Ｖ記録通信ドアベルからのビデオ映像をシェアするための別のプロセスの態様を示すグラフィックユーザーインタフェース（ＧＵＩ）のスクリーンショットである。
【図３３】本開示の態様に係るＡ／Ｖ記録通信ドアベルからのビデオ映像をシェアするための別のプロセスの態様を示すグラフィックユーザーインタフェース（ＧＵＩ）のスクリーンショットである。
【図３４】本開示の態様に係るＡ／Ｖ記録通信ドアベルからのビデオ映像をシェアするための別のプロセスの態様を示すグラフィックユーザーインタフェース（ＧＵＩ）のスクリーンショットである。
【図３５】本開示の態様に係るＡ／Ｖ記録通信ドアベルからのビデオ映像をシェアするための別のプロセスの態様を示すグラフィックユーザーインタフェース（ＧＵＩ）のスクリーンショットである。
【図３６】本開示の態様に係るＡ／Ｖ記録通信ドアベルからのビデオ映像をシェアするための別のプロセスの態様を示すグラフィックユーザーインタフェース（ＧＵＩ）のスクリーンショットである。
【図３７】本開示の態様に係るＡ／Ｖ記録通信ドアベルからのビデオ映像をシェアするための別のプロセスの態様を示すグラフィックユーザーインタフェース（ＧＵＩ）のスクリーンショットである。
【図３８】本開示の態様に係るＡ／Ｖ記録通信ドアベルからのビデオ映像をシェアするための別のプロセスを示すシーケンス図である。
【図３９】本開示の態様に係るＡ／Ｖ記録通信ドアベルからのビデオ映像をシェアするための別のプロセスを示すフローチャートである。
【図４０】本開示の態様に係るＡ／Ｖ記録通信ドアベルからのビデオ映像をシェアするための別のプロセスを示すフローチャートである。
【図４１】本開示の態様に係るＡ／Ｖ記録通信ドアベルからのビデオ映像をシェアするための別のプロセスを示すシーケンス図である。
【図４２】本開示の態様に係るＡ／Ｖ記録通信ドアベルからのビデオ映像をシェアするための別のプロセスを示すフローチャートである。
【図４３】本実施形態に係るＡ／Ｖ記録通信装置からのビデオ映像をシェアするためのシステムを示す機能ブロック図である。
【図４４】本開示の種々の態様に従って本実施形態が実施されてよいクライアント装置の機能ブロック図である。
【図４５】本実施形態が本開示の種々の態様に従って実施されてよい汎用コンピューティングシステムの機能ブロック図である。
【図４６】本開示の態様に係るＡ／Ｖ記録通信装置からのビデオ映像をシェアするための別のプロセスの態様を示すグラフィックユーザーインタフェース（ＧＵＩ）のスクリーンショットである。
【発明を実施するための形態】
【０１１８】
以下の発明を実施するための形態では、図面を参照して本実施形態を説明する。図面において、参照番号は、本実施形態の要素にラベルを付ける。これらの参照番号は、対応する図面の特徴の説明と関連して以下に再現される。
【０１１９】
音声／ビデオ（Ａ／Ｖ）記録通信装置からのビデオ映像をシェアするための本装置、本システム、ならびに本方法の実施形態は、図を参照して以下に説明される。これらの図、及びその書面による説明は、装置の特定の構成要素が一体形成され、特定の他の構成要素が別々の部分として形成されていることを示す。当業者は、本明細書に一体形成されているとして示され、説明される構成要素が、代替実施形態では別々の部分として形成されてよいことを理解する。当業者は、本明細書に別々の部分として形成されているとして示され、説明される構成要素が、代替実施形態では一体形成されてよいことを理解する。さらに、本明細書中で用いるように、一体化されたという用語は、単一の一体的な部分を説明する。
【０１２０】
図１を参照すると、本実施形態は、例えばドアベル１００等の音声／ビデオ（Ａ／Ｖ）記録通信装置を含む。本開示は、Ａ／Ｖ記録通信ドアベルを含んだ方法及びシステムの多数の例を示すが、本実施形態は、ドアベル以外のＡ／Ｖ記録通信装置にも等しく適用できる。例えば、本実施形態は、１つ以上のＡ／Ｖ記録通信ドアベルの代わりにまたは１つ以上のＡ／Ｖ記録通信ドアベルに加えて、１つ以上のＡ／Ｖ記録通信防犯カメラを含んでよい。Ａ／Ｖ記録通信防犯カメラの例は、フロントボタン及び関連する構成要素はないが、本明細書に説明するドアベルの構造及び機能性の実質的にすべてを含んでよい。
【０１２１】
Ａ／Ｖ記録通信ドアベル１００は、例えば住居、会社、保管施設等の建造物（不図示）への入口の近くに位置してよい。Ａ／Ｖ記録通信ドアベル１００は、カメラ１０２、マイク１０４、及びスピーカ１０６を含む。カメラ１０２は、例えば７２０ｐ以上の画像表示解像度でビデオ画像を取り込むことができるビデオカメラ等の高解像度（ＨＤ）ビデオカメラを含んでよい。図示されていないが、Ａ／Ｖ記録通信ドアベル１００は、例えば筐体、１つ以上の運動センサ（及び／または他のタイプのセンサ）、ボタン等の他のハードウェア及び／または構成要素を含んでもよい。Ａ／Ｖ記録通信ドアベル１００はさらに、ともに完全に記載されたかのように参照により本明細書に援用される、米国特許出願公開番号第２０１５／００２２６２０号（出願番号第１４／４９９，８２８号）及び第２０１５／００２２６１８号（出願番号第１４／３３４，９２２号）に記載される無線通信ドアベルに類似した構成部品及び／または機能性を含んでよい。
【０１２２】
さらに図１を参照すると、Ａ／Ｖ記録通信ドアベル１００は、例えば有線ネットワーク及び／または無線ネットワークであってよい、ユーザーのネットワーク１１０と通信する。ユーザーのネットワーク１１０が無線である場合、または無線構成要素を含む場合、ネットワーク１１０は、ＩＥＥＥ８０２．１１．規格及び／または他の無線通信規格（複数可）と互換性のあるＷｉ−Ｆｉネットワークであってよい。ユーザーのネットワーク１１０は、例えばインターネット及び/または公衆交換電話網（ＰＳＴＮ）を含んでよい別のネットワーク１１２に接続される。以下に説明するように、Ａ／Ｖ記録通信ドアベル１００は、ユーザーのネットワーク１１０及びネットワーク１１２（インターネット／ＰＳＴＮ）を介してユーザーのクライアント装置１１４と通信してよい。ユーザーのクライアント装置１１４は、例えば、スマートフォン、携帯情報端末（ＰＤＡ）、または別の通信装置等の（セルラー電話とも呼ばれることがある）携帯電話を含んでよい。ユーザーのクライアント装置１１４は、ストリーミング画像及び／または記録されたビデオ画像を表示できるディスプレイ（不図示）及び関連する構成要素を含む。また、ユーザーのクライアント装置１１４は、ストリーミング音声及び／または記録された音声を放送できるスピーカ及び関連する構成要素を含んでもよく、マイクを含んでもよい。Ａ／Ｖ記録通信ドアベル１００は、ユーザーのネットワーク１１０及びネットワーク１１２（インターネット／ＰＳＴＮ）を介して１つ以上の（「クラウド記憶装置（複数可）」と区別なく呼ばれることがある）リモート記憶装置（複数可）１１６、１つ以上のサーバ１１８、及び／またはバックエンドＡＰＩ（アプリケーションプログラミングインタフェース）１２０と通信してもよい。図１は、記憶装置１１６、サーバ１１８、及びバックエンドＡＰＩ１２０をネットワーク１１２とは別個の構成要素として示しているが、記憶装置１１６、サーバ１１８、及び／またはバックエンドＡＰＩ１２０をネットワーク１１２の構成要素であると見なし得ることが理解されるべきである。
【０１２３】
ネットワーク１１２は、図１に示す上述のモジュール、装置、及びシステムを動作可能なように結合するように構成された任意の無線ネットワークまたは有線ネットワークまたはその組み合わせであってよい。例えば、ネットワーク１１２は、ＰＳＴＮ（公衆交換電話網）、インターネット、ローカルイントラネット、ＰＡＮ（パーソナルエリアネットワーク）、ＬＡＮ（ローカルエリアネットワーク）、ＷＡＮ（広域ネットワーク）、ＭＡＮ（メトロポリタンエリアネットワーク）、仮想プライベートネットワーク（ＶＰＮ）、ストレージエリアンネットワーク（ＳＡＮ）、フレームリレー接続、高度インテリジェントネットワーク（ＡＩＮ）接続、同期型光ネットワーク（ＳＯＮＥＴ）接続、デジタルＴ１、Ｔ３、Ｅ１もしくはＥ３回線、デジタルデータサービス（ＤＤＳ）接続、ＤＳＬ（デジタル加入者回線）接続、イーサネット（登録商標）接続、ＩＳＤＮ（総合デジタル通信網）回線、Ｖ.９０、Ｖ.３４、もしくはＶ.３４ｂｉｓアナログモデム接続等のダイヤルアップポート、ケーブルモデム、ＡＴＭ（非同期転送モード）接続、またはＦＤＤＩ（光ファイバ分散データインタフェース）、またはＣＤＤＩ（銅線分散データインタフェース（Ｃｏｐｐｅｒ  Ｄｉｓｔｒｉｂｕｔｅｄ  Ｄａｔａ  Ｉｎｔｅｒｆａｃｅ））接続のうちの１つ以上を含んでよい。さらに、通信は、ＷＡＰ（ワイヤレスアプリケーションプロトコル）、ＧＰＲＳ（ジェネラルパケットラジオサービス）、ＧＳＭ（登録商標）（グローバルシステムフォーモバイルコミュニケーション）、ＣＤＭＡ（符号分割多元接続）、ＴＤＭＡ（時分割多元接続）、ＦＤＭＡ（周波数分割多元接続）、及び／またはＯＦＤＭＡ（直交周波数分割多元接続）セルラー電話網、ＧＰＳ、ＣＤＰＤ（セルラーデジタルパケットデータ）、ＲＩＭ（リサーチインモーションリミテッド）、全二重ページングネットワーク、Ｂｌｕｅｔｏｏｔｈ（登録商標）無線、またはＩＥＥＥ８０２．１１ベースの無線周波数ネットワークを含んだ様々な無線ネットワークのいずれかへのリンクを含んでもよい。ネットワークは、ＲＳ−２３２直列接続、ＩＥＥＥ−１３９４（Ｆｉｒｅｗｉｒｅ）接続、ファイバチャネル接続、ＩｒＤＡ（赤外線）ポート、ＳＣＳＩ（小型コンピュータ用周辺機器インタフェース）接続、ＵＳＢ（ユニバーサルシリアルバス）接続、または他の無線もしくは有線のデジタルもしくはアナログのインタフェースもしくは接続、メッシュもしくはＤｉｇｉ（登録商標）ネットワーキングのうちの任意の１つ以上を含んでよい、または任意の１つ以上とインタフェースで接続してよい。
【０１２４】
本実施形態の１つ以上の態様によれば、人（「ビジター」と区別なく呼ばれてよい）がＡ／Ｖ記録通信ドアベル１００に達すると、Ａ／Ｖ記録通信ドアベル１００は、ビジターの存在を検出し、カメラ１０２の視野の中でビデオ画像を取り込み始める。また、Ａ／Ｖ記録通信ドアベル１００は、マイク１０４を通して音声を取り込んでもよい。Ａ／Ｖ記録通信ドアベル１００は、運動センサを使用し、及び／またはビジターがＡ／Ｖ記録通信ドアベル１００のボタンを押したことを検出することによってビジターの存在を検出してよい。
【０１２５】
ビジターの検出に応えて、Ａ／Ｖ記録通信ドアベル１００は、ユーザーのネットワーク１１０及びネットワーク１１２を介してユーザーのクライアント装置１１４（図１）にアラートを送信する。また、Ａ／Ｖ記録通信ドアベル１００は、ストリーミングビデオを送信し、ユーザーのクライアント装置１１４にストリーミング音声を送信してもよい。ユーザーがアラートに答える場合、双方向音声通信が、Ａ／Ｖ記録通信ドアベル１００及びユーザーのクライアント装置１１４を通してビジターとユーザーとの間に発生してよい。ユーザーは、コールの持続時間を通してビジターを見ることができるが、ビジターは（Ａ／Ｖ記録通信ドアベル１００が、それがいくつかの実施形態では含む場合があるディスプレイを含んでいない限り）ユーザーを見ることはできない。
【０１２６】
Ａ／Ｖ記録通信ドアベル１００のカメラ１０２によって取り込まれるビデオ画像（ならびにマイク１０４によって取り込まれる音声）は、クラウドにアップロードされ、リモート記憶装置１１６（図１）に記録されてよい。いくつかの実施形態では、ビデオ及び／または音声は、たとえユーザーが自分のクライアント装置１１４に送信されるアラートを無視することを選ぶとしてもリモート記憶装置１１６に記録されてよい。
【０１２７】
さらに図１を参照すると、システムはさらに、１つ以上の構成要素を含んだバックエンドＡＰＩ１２０を含んでよい。以下にさらに詳細に説明するように、バックエンドＡＰＩ（アプリケーションプログラミングインタフェース）は、例えばサーバ（例えば、リアルサーバもしくはバーチャルマシンもしくはサービスとしてクラウドインフラストラクチャで実行中のマシン）、またはそれにアクセスするクライアント（複数可）に少なくとも１つのＡＰＩを曝露する互いにネットワーク化された複数のサーバを含んでよい。
【０１２８】
図２から図４は、本実施形態の態様に係る音声／ビデオ（Ａ／Ｖ）通信ドアベル１３０を示す。図２は正面図であり、図３は背面図であり、図４は、取り付けブラケット１３７と結合されたドアベル１３０の左側面図である。ドアベル１３０は、バックプレート１３９（図３）に取り付けられた銘板１３５を含む。図４を参照すると、銘板１３５は実質的に平らな外形を有する。銘板１３５は、例えば艶消しアルミニウムもしくはステンレス鋼、金属合金等の金属、またはプラスチックを含むが、これに限定されるものではない任意の適切な材料を含んでよい。銘板１３５は、ドアベル１３０の内容物を保護し、ドアベル１３０の外部表面としての役割を果たす。
【０１２９】
図２を参照すると、銘板１３５は、ボタン１３３及びライトパイプ１３６を含む。ボタン１３３及びライトパイプ１３６は、銘板１３５の外形と一致する場合があるまたは一致しない場合がある種々の外形を有してよい。ライトパイプ１３６は、ドアベル１３０の中で生成される光が通過することを可能にする透明プラスチックを含むが、これに限定されない任意の適切な材料を含んでよい。光は、以下にさらに説明するように、ドアベル１３０の中に含まれる、例えば発光ダイオード（ＬＥＤ）等の１つ以上の発光構成要素によって生成されてよい。ボタン１３３は、ボタン１３３がビジターによって押されると、ドアベル１３０の中に位置するボタンアクチュエータ（不図示）と接触してよい。ボタン１３３は、以下にさらに説明するように、押されると、ドアベル１３０の１つ以上の機能をトリガしてよい。
【０１３０】
図２及び図４を参照すると、ドアベル１３０はさらに、銘板１３５と係合するエンクロージャ１３１を含む。示されている実施形態では、エンクロージャ１３１は銘板１３５の上縁１３５Ｔ（図２）に当接するが、代替実施形態では、エンクロージャ１３１と銘板１３５との間の１つ以上の隙間は、ドアベル１３０を通る音および／または光の通過を容易にしてよい。エンクロージャ１３１は、任意の適切な材料を含んでよいが、いくつかの実施形態では、エンクロージャ１３１の材料は、好ましくは赤外線がドアベル１３０内部から環境へ通過することを可能にし、逆の場合も同じである。ドアベル１３０は、さらにレンズ１３２を含む。いくつかの実施形態では、レンズは、入射光をドアベル１３０の中に位置する１つ以上の赤外線センサの中に偏向させるためにパターン化されてよいフレネルレンズを含んでよい。ドアベル１３０は、さらに以下に説明するように、作動時、ビデオデータを取り込むカメラ１３４を含む。
【０１３１】
図３は、本実施形態の態様に係るドアベル１３０の背面図である。示されるように、エンクロージャ１３１は、ドアベル１３０の正面から裏面に伸長してよく、バックプレート１３９の舌状部の回りでぴったり合ってよい。バックプレート１３９は、例えば艶消しアルミニウムもしくはステンレス鋼、金属合金等の金属、またはプラスチックを含むが、これに限定されるものではない任意の適切な材料を含んでよい。バックプレート１３９は、ドアベル１３０の内容物を保護し、ドアベル１３０の外部裏面としての役割を果たす。銘板１３５は、ドアベル１３０の正面から伸長し、少なくとも部分的にバックプレート１３９に巻き付き、それによって銘板１３５とバックプレート１３９との間の結合された接続を可能にしてよい。バックプレート１３９は、結合を容易にするためにその構造の中にくぼみを有してよい。
【０１３２】
さらに図３を参照すると、ばね接点１４０は、電源に接続された他の導電性の接点と結合されるとき、ドアベル１３０に電力を提供してよい。ばね接点１４０は、制限なく、銅を含んだ任意の適切な導電材料を含んでよく、内向きの力、例えば結合要素の挿入によって接触されるとき、偏向可能であってよい。ドアベル１３０はさらに、例えばマイクロＵＳＢまたは他のコネクタ等のコネクタ１６０を含み、それにより電力及び／またはデータは、ドアベル１３０の中で構成要素に及び構成要素から供給されてよい。リセットボタン１５９は、バックプレート１３９に位置してよく、リセットボタン１５９が押されると、ドアベル１３０の中に位置するボタンアクチュエータ（不図示）と接触してよい。リセットボタン１５９は押されると、以下に説明するように、それは１つ以上の機能をトリガしてよい。
【０１３３】
図４は、本実施形態の態様に係る取り付けブラケット１３７に結合されたドアベル１３０の左側面図である。取り付けブラケット１３７は、例えば住宅または事務所等の建物の外部等の表面にドアベル１３０を取り付けることを容易にする。図４に示すように、銘板１３５は、ドアベル１３０の底部からちょうどカメラ１３４の下まで伸長し、上述したように、バックプレート１３９に接続してよい。レンズ１３２は伸長し、ドアベル１３０の側面及び上部に部分的に巻き付いてよい。エンクロージャ１３１は、伸長し、ドアベル１３０の側面及び上部に巻き付いてよく、上述したようにバックプレート１３９に結合されてよい。カメラ１３４は、エンクロージャ１３１を通ってわずかに突出し、それによってカメラ１３４により幅広い視野を与えてよい。取り付けブラケット１３７はバックプレート１３９と結合してよく、それにより取り付けブラケット１３７及びバックプレート１３９は共通の接触面の種々の点で互いと接触し、それによってドアベル１３０及び取り付けブラケット１３７を含んだアセンブリを作り出す。本段落及びどこか他で説明する結合は、例えば及び制限なく、ねじ、締りばめ、接着剤、または他の固締具によって固定されてよい。締りばめは、材料が、異なる要素への接続を支持するために材料の物理的な強さと相まって、圧力及び／または重力に頼る種類の接続を指してよい。
【０１３４】
図５は、取り付けブラケット１３７のないドアベル１３０の右側断面図である。図示の実施形態では、レンズ１３２は、エンクロージャ１３１の正面１３１Ｆと実質的に同一平面上にある。代替実施形態では、レンズ１３２は、エンクロージャ１３１の中に埋め込まれることもあれば、エンクロージャ１３１から外向きに突出することもある。カメラ１３４は、カメラプリント基板（ＰＣＢ）１４７に結合され、カメラ１３４のレンズ１３４ａは、エンクロージャ１３１の開口部を通って突出する。カメラレンズ１３４ａは、明確な画像が撮影され得るようにカメラ１３４の中に光を集中させることができるレンズであってよい。
【０１３５】
カメラＰＣＢ１４７は、例えばねじ、または干渉接続部（ｉｎｔｅｒｆｅｒｅｎｃｅ  ｃｏｎｎｅｃｔｉｏｎｓ）、接着剤等の任意の適切な固締具でドアベルの中で固定されてよい。カメラＰＣＢ１４７は、以下に説明するように、ドアベル１３０のカメラ１３４の機能性を可能にする種々の構成要素を含む。例えば、赤外線ＬＥＤ１６８等の赤外線発光構成要素は、ＰＣＢカメラ１４７に結合され、光センサが低レベルの周辺光を検出すると、作動するようにトリガされてよい。作動時、赤外線ＬＥＤ１６８は、エンクロージャ１３１及び／またはカメラ１３４を通して周囲環境の中へ赤外線を放射してよい。赤外光を検出するように構成されてよいカメラ１３４は、次いで、それがカメラ１３４の視野の中で物体に反射すると、赤外線ＬＥＤ１６８によって発せられる光を取り込んでよく、これによりドアベル１３０は、夜間に画像を明確に取り込むことができる（「暗視能力」と呼ばれてよい）。
【０１３６】
続けて図５を参照すると、ドアベル１３０は、示されている実施形態では、電池１６６に隣接するドアベル１３０の底部に常駐する正面ＰＣＢ１４６をさらに含む。正面ＰＣＢ１４６は、例えばねじ、または干渉接続部、接着剤等の任意の適切な固締具でドアベルの中で固定されてよい。正面ＰＣＢ１４６は、以下にさらに説明するように、音声構成要素及び光構成要素の機能性を可能にする種々の構成要素を含む。電池１６６は、ばね接点１４０から電力を受け取りながらドアベル１３０構成要素に電力を提供し、それによって電力の消費及び供給のトリクル充電方法を行ってよい。代わりに、ドアベル１３０は、ばね接点１４０がすべての機能にとって必要な電力を提供していないときだけ、電池１６６に頼りながら、ばね接点１４０から直接的に電力を引き出してよい。
【０１３７】
続けて図５を参照すると、ドアベル１３０は、示されている実施形態では、カメラＰＣＢ１４７の後方に常駐する電力ＰＣＢ１４８をさらに含む。電力ＰＣＢ１４８は、例えばねじ、または干渉接続部、接着剤等の任意の適切な固締具でドアベル１３０の中に固定されてよい。電力ＰＣＢ１４８は、以下にさらに説明するように、電力構成要素及びデバイス制御構成要素の機能性を可能にする種々の構成要素を含む。
【０１３８】
図５を引き続き参照すると、ドアベル１３０はさらに、電力ＰＣＢ１４８に結合された通信モジュール１６４を含む。通信モジュール１６４は、以下にさらに説明するように、１つ以上の遠隔位置のクライアント装置との通信を容易にする。コネクタ１６０は、電力ＰＣＢ１４８から外向きに突出し、バックプレート１３９内の穴を通って伸長してよい。ドアベル１３０はさらに、ＰＩＲセンサホルダ１４３の上または中に固定される受動赤外線（ＰＩＲ）センサ１４４を含み、アセンブリはレンズ１３２の後方に常駐する。ＰＩＲセンサホルダ１４３は、例えばねじ、または干渉接続部、接着剤等の任意の適切な固締具でドアベル１３０に固定されてよい。ＰＩＲセンサ１４４は、その視野内で熱源の存在を検出し、伝達できる任意のタイプのセンサであってよい。さらに、代替実施形態は、ＰＩＲセンサ１４４の代わりにまたはＰＩＲセンサ１４４に加えてのどちらかで、１つ以上の運動センサを含んでよい。運動センサは、視野の中の熱源の存在を検出することに頼らない方法等の任意の方法を使用し、運動を検出するように構成されてよい。
【０１３９】
図６は、本実施形態の態様に係るドアベル１３０及び取り付けブラケット１３７の分解図である。取り付けブラケット１３７は、例えば住宅または事務所等の建造物の取り付け面に取り付けられるように構成される。図６は、取り付けブラケット１３７の正面１３７Ｆを示す。取り付けブラケット１３７は、その裏面１３７Ｂが取り付け面に向くように取り付け面に取り付けられるように構成される。特定の実施形態では、取り付けブラケット１３７は、例えばねじ、または干渉接続部、接着剤等の任意の適切な固締具で、木材、コンクリート、スタッコ、レンガ、樹脂サイディング、アルミニウムサイディング等を制限なく含んだ種々の組成の表面に取り付けられてよい。ドアベル１３０は、例えばねじ、または干渉接続部、接着剤等の任意の適切な固締具で取り付けブラケット１３７に結合されてよい。
【０１４０】
図６を続けて参照すると、取り付けブラケット１３７の示されている実施形態は、端子ねじ１３８を含む。端子ねじ１３８は、取り付けブラケット１３７が上に取り付けられる建造物の取り付け面に隣接して電気配線を受け入れるように構成され、それによりドアベル１３０は建造物の電気系統から電力を受け取り得る。端子ねじ１３８は、取り付けブラケットの電気接点１７７に電気的に接続される。電力が端子ねじ１３８に供給される場合、次いで電気接点１７７も、端子ねじ１３８を通して電力を受け取る。電気接点１７７は、制限なく、銅を含んだ任意の適切な導電材料を含んでよく、取り付けブラケット１３７の面からわずかに突出してよく、それにより電気接点１７７及はバックプレート１３９に位置するばね接点１４０と結合し得る。
【０１４１】
図６及び（取り付けブラケット１３７の背面図である）図７を参照すると、取り付けブラケット１３７はさらにブラケットＰＣＢ１４９を含む。図７を参照すると、ブラケットＰＣＢ１４９は、ドアベル１３０の外に位置し、したがって例えば加速度計１５０、気圧計１５１、湿度センサ１５２、及び温度センサ１５３等の周囲の状況を測定する種々のセンサのために構成される。これらの構成要素の機能は、以下により詳細に説明する。ブラケットＰＣＢ１４９は、例えばねじ、または干渉接続部、接着剤等の任意の適切な固締具で取り付けブラケット１３７に固定されてよい。
【０１４２】
図８Ａ及び図８Ｂは、それぞれドアベル１３０の上面図及び下面図である。上述したように、エンクロージャ１３１は、ドアベル１３０の正面１３１Ｆから裏面に伸長してよく、裏面でエンクロージャ１３１はバックプレート１３９に接触し、バックプレート１３９をぴったりと取り囲む。カメラ１３４は、エンクロージャ１３１の正面１３１Ｆをわずかに越えて突出し、それによってカメラ１３４により幅広い視野を与えてよい。取り付けブラケット１３７は、実質的に平らな裏面１３７Ｒを含んでよく、それによりドアベル１３０及び取り付けブラケット１３７のアセンブリは、それらが取り付けられている表面にぴったりくっついて位置してよい。図８Ｂを参照すると、エンクロージャ１３１の下端は、ねじまたは他の固締具を受け入れるように構成された安全ねじ開口１４１を含んでよい。
【０１４３】
図９Ａは、ＰＩＲセンサホルダ１４３の平面図である。ＰＩＲセンサホルダ１４３は、金属、金属合金、またはプラスチックを制限なく含む任意の適切な材料を含んでよい。ＰＩＲセンサホルダ１４３は、以下にさらに説明するように、ＰＩＲセンサ１４４がいろいろな角度でレンズ１３２を通って外に向き、それによってＰＩＲセンサ１４４のために広い視野を作り出し、視野をゾーンに分割するように、レンズ１３２の後方にＰＩＲセンサ１４４を取り付けるように構成される。図９Ａをさらに参照すると、ＰＩＲセンサホルダ１４３は、ＰＩＲセンサ１４４が中にまたは上に取り付けられてよい１つ以上の面１７８を含む。示されている実施形態では、ＰＩＲセンサホルダ１４３は３つの面１７８を含み、２つの外面１７８のそれぞれが、面１７８の中心の面に対して５５°の角度になっている。代替実施形態では、面１７８の隣接する面により形成される角度は、ＰＩＲセンサ１４４の視野を改変するために所望されるように増加または減少させてよい。
【０１４４】
図９Ｂは、ＰＩＲセンサホルダ１４３の正面図である。示されている実施形態では、面１７８のそれぞれは、ＰＩＲセンサ１４４が取り付けられてよいスルーホール１８０を含む。互いから間隔を置いて配置された第１の及び第２のブラケット１８２は、ＰＩＲセンサホルダ１４３を横切って横断方向に伸長する。ブラケット１８２のそれぞれは、両方の端部に切欠き１８４を含む。ブラケット１８２は、ドアベル１３０の中にＰＩＲセンサホルダ１４３を固定するために使用されてよい。代替実施形態では、面１７８のスルーホール１８０は、省略されてよい。例えば、ＰＩＲセンサ１４４は、スルーホール１８０なしで面１７８に直接的に取り付けられてよい。概して、面１７８は、ＰＩＲセンサ１４４を適所に配置し、固定するように構成された任意の構造物を含んでよい。
【０１４５】
図１０Ａ及び図１０Ｂはそれぞれ、ＰＩＲセンサホルダ１４３、レンズ１３２、及び可撓電源回路１４５を含んだＰＩＲセンサアセンブリ１７９の上面図及び下面図である。ＰＩＲセンサホルダ１４３は、図示するように、ブラケット１８２でレンズ１３２の後面１３２Ｒに固定されてよく、ブラケット１８２がレンズ１３２の後面１３２Ｒに当接している。電力及び／またはデータをＰＩＲセンサ１４４に及びＰＩＲセンサ１４４から送達できる任意の材料または構成要素であってよい可撓電源回路１４５は、ＰＩＲセンサホルダ１４３の後面１４３Ｒに固定され、ＰＩＲセンサホルダ１４３の角ばった形に一致するように形成されてよい。可撓電源回路１４５は、電力ＰＣＢ１４８（図５）に接続し、電力ＰＣＢ１４８から電力を引き出し、及び／または電力ＰＣＢ１４８に及び／またはもしくは電力ＰＣＢ１４８からデータを送信してよい。
【０１４６】
図１１は、ＰＩＲセンサ１４４の視野を示すＰＩＲセンサアセンブリ１７９の平面図である。各ＰＩＲセンサ１４４は、各ＰＩＲセンサ１４４から外向きに広がる角度を描く、「ゾーン」と呼ばれる視野を含む。ゾーン１は、受動赤外線センサ１４４−１だけに可視である領域である。ゾーン２は、ＰＩＲセンサ１４４−１及び１４４−２だけに可視である領域である。ゾーン３は、受動赤外線センサ１４４−２だけに可視である領域である。ゾーン４は、受動赤外線センサ１４４−２及び１４４−３だけに可視である領域である。ゾーン５は、受動赤外線センサ１４４−３だけに可視である領域である。ドアベル１３０は、どのゾーンが時間系列でトリガされるのかに基づいて、物体が移動している方向を決定できてよい。示されている実施形態では、各ゾーンは１１０°の角度にわたって広がる。代替実施形態では、各ゾーンは、例えば１１０°よりも大きいまたは１１０°未満の角度等の異なる角度にわたって広がってよい。
【０１４７】
図１２は、本実施形態の態様に係るドアベル１３０の中の構成要素またはドアベル１３０と通信している構成要素の機能ブロック図である。上述したように、ブラケットＰＣＢ１４９は、加速度計１５０、気圧計１５１、湿度センサ１５２、及び温度センサ１５３を含んでよい。加速度計１５０は、運動及び／または加速度を検知できる１つ以上のセンサであってよい。気圧計１５１は、ブラケットＰＣＢ１４９が位置してよい周囲環境の大気圧を決定できる１つ以上のセンサであってよい。湿度センサ１５２は、ブラケットＰＣＢ１４９が位置してよい大気環境に存在する水分の量を決定できる１つ以上のセンサであってよい。温度センサ１５３は、ブラケットＰＣＢ１４９が位置してよい周囲環境の温度を決定できる１つ以上のセンサであってよい。上述したように、ブラケットＰＣＢ１４９は、ドアベル１３０の内容物によって生じる熱、圧力、水分、及び／または他の刺激からの干渉を削減するようにドアベル１３０の筐体の外に位置してよい。
【０１４８】
さらに図１２を参照すると、ブラケットＰＣＢ１４９はさらに、端子ねじ１３８を受け入れ、取り付けブラケット１３７（図６）上の電気接点１７７に電力を伝送するように構成されてよい端子ねじインサート１５４を含んでよい。ブラケットＰＣＢ１４９は、端子ねじ１３８、端子ねじインサート１５４、ばね接点１４０、及び電気接点１７７を通して電力ＰＣＢ１４８に電気的に及び／または機械的に結合されてよい。端子ねじ１３８は、例えば、建物の壁等の、ドアベル１３０が取り付けられる表面に位置する電線を受け入れ、それによりドアベル１３０は、建物の電気系統から電力を受け取ることができる。端子ねじ１３８が端子ねじインサート１５４内に固定されると、電力はブラケットＰＣＢ１４９に、及び電気接点１７７を含んだそれと関連付けられた構成要素のすべてに転送されてよい。電気接点１７７は、ばね接点１４０と結合することによって電力ＰＣＢ１４８に電力を転送してよい。
【０１４９】
図１２をさらに参照すると、正面ＰＣＢ１４６は光センサ１５５、ＬＥＤ１５６等の１つ以上の発光構成要素、１つ以上のスピーカ１５７、及びマイク１５８を含んでよい。光センサ１５５は、ドアベル１３０が位置してよい周囲環境の周辺光のレベルを検出できる１つ以上のセンサであってよい。ＬＥＤ１５６は、電力を供給されるとき可視光を生じさせることができる１つ以上の発光ダイオードであってよい。スピーカ１５７は、電気信号入力に応えて音を発生させることができる電気機械装置であってよい。マイク１５８は、音波を電気信号に変換できる音響から電気への変換器またはセンサであってよい。作動時、ＬＥＤ１５６は、光パイプ１３６（図２）を照明してよい。正面ＰＣＢ１４６及びそのすべての構成要素は、電力ＰＣＢ１４８に電気的に結合されてよく、それによってデータ及び／または電力を、電力ＰＣＢ１４８及び正面ＰＣＢ１４６にならびに電力ＰＣＢ１４８及び正面ＰＣＢ１４６から転送できるようにする。
【０１５０】
スピーカ１５７及びマイク１５８は、音声ＣＯＤＥＣ１６１を通してカメラプロセッサ１７０に結合されてよい。例えば、ユーザーのクライアント装置１１４及びスピーカ１５７及びマイク１５８からのデジタル音声の転送は、カメラプロセッサ１７０に結合された音声ＣＯＤＥＣ１６１を使用し、圧縮及び展開されてよい。ＣＯＤＥＣ１６１によって圧縮されると、デジタル音声データは、通信モジュール１６４を通してネットワーク１１２に送信され、１つ以上のサーバ１１８によって送られ、ユーザーのクライアント装置１１４に送達されてよい。ユーザーが話すとき、ネットワーク１１２を通して転送された後、デジタル音声データは、音声ＣＯＤＥＣ１６１によって展開され、スピーカ１５７を介してビジターに発せられる。
【０１５１】
図１２をさらに参照すると、電力ＰＣＢ１４８はさらに、電力管理モジュール１６２、マイクロコントローラ１６３、通信モジュール１６４、及び電力ＰＣＢ不揮発性メモリ１６５を含んでよい。特定の実施形態では、電力管理モジュール１６２は、複数の電圧レール間で仲裁し、それによってドアベル１３０のための電源を選択できる集積回路を含んでよい。電池１６６、ばね接点１４０、及び／またはコネクタ１６０は、それぞれ電力管理モジュール１６２に電力を提供してよい。電力管理モジュール１６２は、電池１６６、ばね接点１４０、及びコネクタ１６０専用の別々の電力レールを有してよい。本開示の一態様では、電力管理モジュール１６２は、ドアベル１３０に電力を供給するために電池１６６から連続的に電力を引き出してよく、一方、同時にばね接点１４０及び／またはコネクタ１６０から電池１６６に電力を送り、それによって電池１６６が実質的に一定レベルの電荷を維持できるようにする。代わりに、電力管理モジュール１６２は、ばね接点１４０及び／またはコネクタ１６０からの電力が低いまたは不十分であるときに電池１６６だけから引き出しながら、ドアベル１３０に電力を供給するためにばね接点１４０及び／またはコネクタ１６０から電力を連続的に引き出してよい。電力管理モジュール１６２は、コネクタ１６０とマイクロコントローラ１６３との間のデータ用のルートとしての機能を果たしてもよい。
【０１５２】
図１２をさらに参照すると、特定の実施形態では、マイクロコントローラ１６３は、プロセッサコア、メモリ、及びプログラム可能入出力周辺装置を含んだ集積回路を含んでよい。マイクロコントローラ１６３は、ＰＩＲセンサ１４４、ブラケットＰＣＢ１４９、電力管理モジュール１６２、光センサ１５５、マイク１５８、及び／または通信モジュール１６４から、例えばデータ及び／または電力等の入力信号を受信してよく、以下にさらに説明するように、種々の機能を実行してよい。マイクロコントローラ１６３がＰＩＲセンサ１４４によってトリガされるとき、マイクロコントローラ１６３は、例えば図１４を参照して以下に説明する機能等の１つ以上の機能を実行するためにトリガされてよい。光センサ１５５は、低レベルの周辺光を検出するとき、光センサ１５５は、以下にさらに説明するように、「暗視能力」を可能にするためにマイクロコントローラ１６３をトリガしてよい。マイクロコントローラ１６３は、種々の構成要素と通信モジュール１６４との間のデータ通信のためのルートとしての機能を果たしてもよい。
【０１５３】
図１２をさらに参照すると、通信モジュール１６４は、プロセッサコア、メモリ、及びプログラム可能入出力周辺装置を含んだ集積回路を含んでよい。また、通信モジュール１６４は、リモートネットワーク装置に無線でデータを送信するように構成されてもよく、１つ以上のトランシーバ（不図示）を含んでよい。無線通信は、例えば制限なくＷｉ−Ｆｉ（登録商標）ネットワーク、セルラーネットワーク、Ｂｌｕｅｔｏｏｔｈ（登録商標）ネットワーク、及び／または衛星ネットワークをなどの１つ以上の無線ネットワークを含んでよい。通信モジュール１６４は、カメラＰＣＢ１４７、マイクロコントローラ１６３、ボタン１３３、リセットボタン１５９、及び／または電力ＰＣＢ不揮発性メモリ１６５から、例えば電力及び／またはデータ等の入力を受け取ってよい。ボタン１３３が押されるとき、通信モジュール１６４は、図１３を参照して以下に説明する機能等の１つ以上の機能を実行するためにトリガされてよい。リセットボタン１５９が押されるとき、通信モジュール１６４は、電力ＰＣＢ不揮発性メモリ１６５に及び／またはカメラＰＣＢメモリ１６９に記憶される任意のデータを消去するためにトリガされてよい。また、通信モジュール１６４は、種々の構成要素とマイクロコントローラ１６３との間で通信されるデータのためのルートの機能を果たしてもよい。電力ＰＣＢ不揮発性メモリ１６５は、データを記憶する及び／または送信するように構成されたフラッシュメモリを含む。例えば、特定の実施形態では、電力ＰＣＢ不揮発性メモリ１６５は、シリアルペリフェラルインタフェース（ＳＰＩ）フラッシュメモリを含んでよい。
【０１５４】
図１２をさらに参照すると、カメラＰＣＢ１４７は、カメラ１３４の動作を容易にする構成要素を含んでよい。例えば、イメージャー１７１は、ビデオ記録センサ及び／またはカメラチップを含んでよい。本開示の一態様では、イメージャー１７１は、相補型金属酸化物半導体（ＣＭＯＳ）アレイを含んでよく、高解像度（７２０ｐ以上）のビデオファイルを記録できてよい。カメラプロセッサ１７０は、符号化及び圧縮チップを含んでよい。いくつかの実施形態では、カメラプロセッサ１７０はブリッジプロセッサを含んでよい。カメラプロセッサ１７０は、イメージャー１７１によって記録されたビデオ及びマイク１５８によって記録された音声を処理してよく、このデータを、通信モジュール１６４によるネットワークへの無線転送に適した形式に変換してよい。カメラＰＣＢ１６９は、データがカメラプロセッサ１７０によってバッファに入れられているまたは符号化されているときに使用されてよい揮発性メモリを含んでよい。例えば、特定の実施形態では、カメラＰＣＢメモリ１６９は、同期ダイナミックランダムアクセスメモリ（ＳＤ  ＲＡＭ）を含んでよい。ＩＲ  ＬＥＤ１６８は、赤外光を放射できる発光ダイオードを含んでよい。赤外線カットフィルタ１６７は、トリガ時、イメージャー
１７１を、可視光と対照的におもに赤外光を見るように構成するシステムを含んでよい。光センサ１５５が（可視スペクトル内でのイメージャー１７１の性能を妨げるレベルを含む場合がある）低レベルの周辺光を検出するとき、ＩＲ  ＬＥＤ１６８は、ドアベル１３０エンクロージャを通して外部環境に向かって赤外光を照らしてよく、ＩＲカットフィルタ１６７は、イメージャー１７１がこの赤外光を、それがドアベルの視野内部の物体に反射するまたは屈折するときに見ることができるようにしてよい。このプロセスは、ドアベル１３０に上述した「暗視能力」を与えてよい。
【０１５５】
図１３は、本開示の態様に係るプロセスの一実施形態を示すフローチャートである。ブロックＢ２００で、ビジターはドアベル１３０上のボタン１３３を押す。ブロックＢ２０２で、通信モジュール１６４は、ネットワーク装置に要求を送信する。ネットワーク装置が要求を受信すると、ブロックＢ２０４で、ネットワーク装置は、ユーザーのネットワーク１１０及びネットワーク１１２を通じてドアベル１３０をユーザーのクライアント装置１１４に接続する。ブロックＢ２０６で、ドアベル１３０は、カメラ１３４、マイク１５８、及び／または利用可能な任意の他のセンサを使用し、音声データ及び／またはビデオデータを記録してよい。ブロックＢ２０８で、音声データ及び／またはビデオデータは、ユーザーのクライアント装置１１４に送信される。ブロックＢ２１０で、ユーザーは、自分のクライアント装置１１４で、ユーザーに受け入れるまたは拒否するかのどちらかを行うようにプロンプトを出す通知を受け取ってよい。ユーザーが通知を拒否する場合、次いでプロセスはブロックＢ２１４に進み、そこで音声データ及び／またはビデオデータは記録され、クラウドサーバに記憶される。セッションはＢ２１６で終了し、ドアベル１３０とユーザーのクライアント装置１１４との間の接続は終了する。しかしながら、ユーザーが通知を受け入れることを選ぶ場合、次いでブロックＢ２１２で、ユーザーは、カメラ１３４、マイク１５８、及び／または他のセンサによって取り込まれた音声データ及び／またはビデオデータを提供されながら、ユーザーのクライアント装置１１４を通してビジターと通信する。コールの最後に、ユーザーは、ユーザーのクライアント装置１１４とドアベル１３０との間の接続を終了してよく、セッションはブロックＢ２１６で終了する。いくつかの実施形態では、音声データ及び／またはビデオデータは、たとえユーザーが通知を受け入れ、ユーザーのクライアント装置１１４を通してビジターと通信するとしても、記録され、クラウドサーバに記憶されてよい。
【０１５６】
図１４は、本開示の態様に係るプロセスの別の実施形態を示すフローチャートである。ブロックＢ３００で、物体は、ＰＩＲセンサ１４４の１つ以上の視野の中に移動してよい。ブロックＢ３０２で、ＰＩＲセンサ１４４はマイクロコントローラ１６３をトリガしてよく、マイクロコントローラ１６３は次いでネットワーク装置に要求を送信するために通信モジュール１６４をトリガしてよい。ブロックＢ３０４で、ネットワーク装置は、ユーザーのネットワーク１１０及びネットワーク１１２を通じてドアベル１３０をユーザーのクライアント装置１１４に接続してよい。ブロックＢ３０６で、ドアベル１３０は、カメラ１３４、マイク１５８、及び／または利用可能な任意の他のセンサを使用し、音声データ及び／またはビデオデータを記録し、ユーザーのクライアント装置１１４にデータをストリーム配信してよい。ブロックＢ３０８で、ユーザーは、ユーザーに受け入れるまたは拒否するかのどちらかを行うようにプロンプトを出す通知を受け取ってよい。通知が受け入れられる場合、次いでブロックＢ３１０ａで、ライブの音声データ／ビデオデータがユーザーのクライアント装置１１４に表示され、それによってドアベル１３０の視点からのユーザー監視を可能にしてよい。ユーザーがこの機能に満足するとき、ユーザーは、ブロックＢ３１２で接続を切断してよく、それによってセッションは終了する。しかしながら、ブロックＢ３０８で、ユーザーが通知を拒否するまたは通知を無視し、指定された時間間隔が経過すると、次いでドアベル１３０とユーザーのクライアント装置１１４との間の接続は終了され、音声データ／ビデオデータは、ブロックＢ３１０ｂで記録され、クラウドサーバに記憶され、これによりユーザーは、後で都合のいいときに音声データ／ビデオデータを見てよい。ドアベル１３０は、ブロックＢ３０８で通知が拒否されるまたは無視される場合に指定の期間記録するように構成されてよい。係る期間が設定される場合、ドアベル１３０は、ブロックＢ３１２で動作を止め、それによってセッションを終了する前にその期間データを記録してよい。
【０１５７】
図１５は、本開示の態様に係るプロセスの別の実施形態を示すフローチャートである。ブロックＢ４００で、ユーザーは、例えば通知が受け入れられる、または拒否される／無視されるかのどちらか等、操作が実行された後、ドアベル１３０が動作を停止させるまたはそれ以外の場合（例えば、光、音、または熱のシグナチャ等の）刺激に反応しないでよい期間である「スヌーズタイムアウト」を選択してよい。例えば、ユーザーは、１５分のスヌーズタイムアウトを設定してよい。ブロックＢ４０２で、物体は、ＰＩＲセンサ１４４の１つ以上の視野の中に移動する。ブロックＢ４０４で、マイクロコントローラ１６３は、ネットワーク装置に要求を送信するために通信モジュール１６４をトリガしてよい。ブロックＢ４０６で、ネットワーク装置は、ユーザーのネットワーク１１０及びネットワーク１１２を通じてドアベル１３０をユーザーのクライアント装置１１４に接続してよい。ブロックＢ４０８で、ドアベル１３０によって取り込まれる音声データ及び／またはビデオデータは、ユーザーのクライアント装置１１４にストリーム配信されてよい。ブロックＢ４１０で、ユーザーは、ユーザーに要求を受け入れるまたは拒否するかのどちらかを行うようにプロンプトを出す通知を受け取ってよい。要求が拒否されるまたは無視される場合、次いでブロックＢ４１２ｂで、音声データ／ビデオデータは記録され、クラウドサーバに記憶されてよい。ドアベル１３０が記録を終了した後、ブロックＢ４１４で、物体はＰＩＲセンサ１４４の視野にとどまってよい。ブロックＢ４１６で、マイクロコントローラ１６３は、ネットワーク装置に別の要求を提出するために通信モジュール１６４をトリガする前に、例えば１５分の「スヌーズタイム」が経過するのを待機する。例えば１５分のスヌーズタイムが経過した後、プロセスは、ブロックＢ４０４に戻り、上述したように進行する。サイクルは、ブロックＢ４１０でユーザーが通知要求を受け入れるまで、このように続行してよい。プロセスは、次いでブロックＢ４１２ａに移動し、ブロックＢ４１２ａで、ライブの音声データ／ビデオデータはユーザーのクライアント装置１１４に表示され、それによってドアベル１３０の視点からのユーザー監視を可能にする。ユーザーの要求時、接続は切断されてよく、セッションはブロックＢ４１８で終了する。この点で、ユーザーは、プロセスがブロックＢ４１６に戻ることを選んでよく、これによって例えば１５分のスヌーズタイムが前のセッションの最後から経過するまで追加の応答はなくてよい、またはユーザーは、プロセスがブロックＢ４０２に戻り、次回ＰＩＲセンサ１４４の１つ以上によって物体が知覚されるときに通知を受け取ることを選んでよい。
【０１５８】
上述したように、本開示は、Ａ／Ｖ記録通信ドアベルを含んだ方法及びシステムの多数の例を示すが、本実施形態は、ドアベル以外のＡ／Ｖ記録通信装置にも等しく適用できる。例えば、本実施形態は、１つ以上のＡ／Ｖ記録通信ドアベルの代わりにまたは１つ以上のＡ／Ｖ記録通信ドアベルに加えて、１つ以上のＡ／Ｖ記録通信防犯カメラを含んでよい。Ａ／Ｖ記録通信防犯カメラの例は、フロントボタン１３０、ボタンアクチュエータ１３３、及び／またはライトパイプ１３６はないが、ドアベルの構造及び機能性の実質的にすべてを含んでよい。Ａ／Ｖ記録通信防犯カメラの例はさらに、例えばブラケットＰＣＢ１４９及びその構成要素等の他の構成要素を省略してよい。
【０１５９】
上述したように、本実施形態の一態様は、音声／ビデオ（Ａ／Ｖ）記録通信装置のユーザーがときおり自分の装置によって記録されるビデオ映像のシェアリングを所望する場合があるという理解を含む。例えば、Ａ／Ｖ記録通信装置が、疑わしい活動または犯罪活動のビデオ映像をも記録するとき、フィルム映像を見るユーザーは、隣人に疑わしい活動または犯罪活動に関与する人（複数可）が呈する危険の可能性を警告することを所望する場合がある。そのとき、係る装置によって記録されたビデオ映像の隣人との容易なシェアリングを促進することによってＡ／Ｖ記録通信装置の機能性を強化することは有利であろう。別の例では、Ａ／Ｖ記録通信装置は、ユーザーの友人及び家族にとって関心がある場合がある活動のビデオ映像（例えば、庭で遊んでいる子供たちの画像）を記録してよい。そのとき、係る装置によって記録されたビデオ映像の友人及び家族との容易なシェアリングを促進することによってＡ／Ｖ記録通信装置の機能性を改善することは有利であろう。本実施形態は、以下に詳細に説明するように、これらの強化及び他の拡張機能を提供する。特に、本実施形態は、Ａ／Ｖ記録通信装置によって取り込まれたビデオ映像を、クラウドに容易にアップロードし、隣人、友人、及び家族を含んだユーザーの選ぶ誰とでもシェアリングを可能にする。
【０１６０】
図１６は、本実施形態に係るＡ／Ｖ記録通信装置からのビデオ映像をシェアするためのシステム５００を示す。示されているシステム５００は、（「Ａ／Ｖドアベル＃１」とラベルが付けられた）第１の記録通信ドアベル５０２を含む。第１のＡ／Ｖドアベル５０２は、例えば、本明細書に説明されるドアベル１３０に類似する構成要素及び／または機能性を有してよい。代わりに、第１のＡ／Ｖドアベル５０２は、ドアベル１３０とは異なる構成要素及び／または機能性を有してよいが、それにも関わらずビデオ映像及び／または音声を記録し、記録したビデオ映像及び／または音声を無線で送信できる場合がある。特定の実施形態では、第１のＡ／Ｖドアベル５０２は、まったくドアベルではない場合があるが、例えばＡ／Ｖ記録通信防犯カメラであってよい。
【０１６１】
図１６をさらに参照すると、システム５００はさらに、第１のＡ／Ｖドアベル５０２と関連付けられた（「クライアント装置＃１」とラベルが付けられた）第１のクライアント装置５０４を含む。第１のクライアント装置５０４及び第１のＡ／Ｖドアベル５０２は、同じユーザーによって所有されてよい、及び／または制御されてよい。第１のクライアント装置５０４は、例えば、本明細書に説明されるユーザーのクライアント装置１１４に類似する構成要素及び／または機能性を有してよく、例えばスマートフォン、携帯情報端末（ＰＤＡ）、または別の通信装置等の（セルラー電話とも呼ばれることがある）携帯電話を含んでよい。システム５００はさらにネットワーク５０６を含む。例えばインターネット及び/または公衆交換電話網（ＰＳＴＮ）を含んでよいネットワーク５０６は、例えば１つ以上のサーバ、ルータ、スイッチ、記憶装置等（不図示）の複数のネットワーク装置を含む。システム５００はさらに、（「Ａ／Ｖドアベル＃２」から「Ａ／Ｖドアベル＃Ｎ」とラベルを付けられた）複数の他のＡ／Ｖドアベル５０８、５１０、及び（「クライアント装置＃２」から「クライアント装置＃Ｎ」とラベルが付けられた）複数の他のクライアント装置５１２、５１４を含む。他のクライアント装置５１２、５１４は、それぞれ他のＡ／Ｖドアベル５０８、５１０のうちの対応する１つと関連付けられる。他のＡ／Ｖドアベル５０８、５１０は、例えば第１のＡ／Ｖドアベル５０２に類似する構成要素及び／または機能性を有してよく、他のクライアント装置５１２、５１４は、例えば第１のクライアント装置５０４に類似する構成要素及び／または機能性を有してよい。
【０１６２】
図１６のシステム５００では、Ａ／Ｖドアベルのうちのいずれかが、それぞれのドアベルの視野の中の領域からビデオ映像を記録してよい。ビデオ映像を記録したドアベルの所有者（またはユーザー）は、他のＡ／Ｖドアベルの１人以上の他の所有者／ユーザーとビデオ映像をシェアしてよい。どのユーザーが、シェアされるビデオ映像の通知を受け取るのかの決定は、異なるユーザーと関連付けられたＡ／Ｖドアベルの相対的な位置に基づいてよい。より詳細には、所与のユーザー（ユーザーＸ）は、シェアされるビデオ映像が、ユーザーＸ自身のＡ／Ｖドアベルの所定距離内に位置するＡ／Ｖドアベルのうちの１つによって記録された場合、シェアされるビデオ映像の通知を受け取ってよい。さらに、特定の実施形態では、所定距離はユーザーＸによって構成可能であってよい。記録されたビデオ映像の係るシェアリングの例のプロセスは、図１７〜図１９に関して以下に説明する。
【０１６３】
図１７は、例えば住宅、事務所、小売業、倉庫等の複数の建物５１８を含んだ近傍５１６を示す。建物５１８のうちの少なくともいくつかは、例えば玄関口に隣接する等、外部表面に固定されたＡ／Ｖ記録通信ドアベルを含む。例えば、図１７は、異なる３つの建物と関連付けられた３つのＡ／Ｖドアベル（Ａ／Ｖドアベル＃１  ５２０、Ａ／Ｖドアベル＃２  ５２２、Ａ／Ｖドアベル＃３  ５２４）を示す。Ａ／Ｖドアベル５２０、５２２、５２４のそれぞれは、その回りに３つの重複する円（領域＃１  ５２６、領域＃２  ５２８、領域＃３  ５３０）で表される画定された領域を有する。各円５２６、５２８、５３０は、円の中心のＡ／Ｖドアベルの所有者／ユーザーが、領域の中の他のＡ／Ｖドアベルによって記録されるシェアビデオ映像の通知を受け取る領域を表す。
【０１６４】
例えば、Ａ／Ｖドアベル＃１  ５２０がビデオ映像を記録し、Ａ／Ｖドアベル＃１  ５２０の所有者／ユーザーが記録されたビデオ映像をシェアする場合、次いでＡ／Ｖドアベル＃３  ５２４の所有者／ユーザーは、Ａ／Ｖドアベル＃１  ５２０が領域＃３  ５３０の中に位置しているためシェアビデオ映像の通知を受け取るが、Ａ／Ｖドアベル＃２  ５２２の所有者／ユーザーは、Ａ／Ｖドアベル＃１  ５２０が領域＃２  ５２８の外に位置しているため、シェアビデオ映像の通知を受け取らない。別の例では、Ａ／Ｖドアベル＃２  ５２２がビデオ映像を記録し、Ａ／Ｖドアベル＃２  ５２２の所有者／ユーザーが記録されたビデオ映像をシェアする場合、次いでＡ／Ｖドアベル１及び３の所有者／ユーザーは、Ａ／Ｖドアベル＃２  ５２２が領域＃１  ５２６と領域＃３  ５３０の両方の中に位置しているため、シェアビデオ映像の通知をともに受信する。別の例では、Ａ／Ｖドアベル＃３  ５２４がビデオ映像を記録し、Ａ／Ｖドアベル＃３  ５２４の所有者／ユーザーが記録されたビデオ映像をシェアする場合、次いでＡ／Ｖドアベル１及び２の所有者／ユーザーのいずれも、Ａ／Ｖドアベル＃３  ５２４が領域＃１  ５２６及び領域＃２  ５２８の外に位置するため、シェアビデオ映像の通知を受け取らない。どの所有者／ユーザーがシェア通知を受け取るのか、及びどの所有者／ユーザーがシェア通知を受け取らないのかの決定は、図１７の下部の表に要約されている。
【０１６５】
図１８は、本開示の態様に係るＡ／Ｖ記録通信ドアベル（または他のＡ／Ｖ記録通信装置）からのビデオ映像をシェアするためのプロセスを示すシーケンス図である。Ａ／Ｖドアベル５２０（Ａ／Ｖドアベル＃１、図１７及び図１８）は、音声を含む場合もあるビデオ映像を記録してよい。例えば、ドアベル５２０は、ビジターがドアベル５２０で検出されるときビデオ映像を記録し始めてよく、これは、例えばドアベル５２０が動きを検出するとき、またはビジターがドアベル５２０のフロントボタンを押すとき発生する場合がある。図１８をさらに参照すると、ドアベル５２０は、ネットワーク５４２に第１のアラート信号及び第１のビデオ信号５４０を送信し、ネットワーク５４２は第１のアラート信号及び第１のビデオ信号５４０を受信する。ネットワーク５４２は、例えば１つ以上のサーバ、ルータ、スイッチ、記憶装置等（不図示）等の１つ以上のネットワーク装置を含む。ネットワーク装置のうちの少なくともいくつかは、プロセッサ及びメモリを含む。第１のビデオ信号は、ドアベル５２０のカメラによって取り込まれる画像（ビデオ映像）を含む。
【０１６６】
ネットワーク５４２は、第１のアラート信号及び第１のビデオ信号５４０を受信することに応えて、第１のクライアント装置５４４（ユーザーのクライアント装置＃１）に第２のアラート信号及び第２のビデオ信号５４６を送信する。第２のアラート信号は、例えばプッシュ通知であってよい。サーバプッシュ通知とも呼ばれるプッシュ通知は、クライアントからの特定の要求のない、ソフトウェアアプリケーションからコンピューティングデバイスへの情報の送達である。第２のビデオ信号は、ドアベル５２０のカメラによって取り込まれる画像を含む。クライアント装置５４４と関連付けられたユーザーは、ドアベル５２０（Ａ／Ｖドアベル＃１）の所有者／ユーザーであってよい。ユーザーは、第２のアラート信号を受信すると、第２のアラート信号に答えることを選んでよく、これが、例えばドアベル５２０でユーザーとビジターとの間のライブコールを開いてよい。代わりに、ユーザーは、第２のアラート信号を無視してよい（例えば、コールに答えないことを選んでよい）。ユーザーが第２のアラート信号を無視する場合も、ユーザーは、後で第２のビデオ信号のビデオ映像を見ることができる。
【０１６７】
ユーザーが、自分のクライアント装置５４４のディスプレイでビデオ映像を見た後（または見ている間）、他のユーザーとビデオ映像のシェアリングを決定する場合がある。例えば、ユーザーは、自分のクライアント装置５４４で実行中のアプリケーションの中から「シェア」ボタンをタップしてよい。第１のクライアント装置５４４は、次いでネットワーク５４２にシェア信号５４８を送信し、ネットワーク５４２は第１のクライアント装置５４４からシェア信号５４８を受信する。第１のクライアント装置５４４からシェア信号５４８を受信することに応えて、ネットワーク５４２内のネットワーク装置のうちの少なくとも１つは、シェアビデオ映像の通知を受け取る他のユーザーを決定する。例えば、ネットワーク装置（複数可）は、シェアビデオ映像を記録したドアベル５２０が、複数の他のＡ／Ｖ記録通信ドアベル（または他のＡ／Ｖ記録通信装置）の中から、少なくとも１つの他のＡ／Ｖ記録通信ドアベル（または他のＡ／Ｖ記録通信装置）から所定距離内にあると判断してよい。例えば、図１７を参照すると、シェアビデオ映像を記録したドアベルがＡ／Ｖドアベル＃１  ５２０である場合、次いでネットワーク装置（複数可）は、例えばＡ／Ｖドアベル＃３  ５２４等の、その回りに、シェアビデオ映像を記録したドアベル５２０の位置を取り囲む画定領域（領域＃３  ５３０）を有する少なくとも１つの他のドアベルを識別してよい。他のドアベル（複数可）が識別されると、ネットワーク装置（複数可）は、（少なくともユーザーのクライアント装置＃３  ５５２を含んだ）識別された他のドアベル（複数可）と関連付けられた各クライアント装置にシェア通知信号５５０を送信してよい。シェア通知信号５５０は、例えばプッシュ通知であってよい。他のユーザー（複数可）は、シェア通知信号５５０を受信すると、シェアビデオ映像を見ることを選んでよい。代わりに、他のユーザー（複数可）は、シェア通知信号５５０を無視してよい。他のユーザー（複数可）がシェア通知信号５５０を無視する場合も、ユーザーは、後でシェアビデオ映像を見ることができる。
【０１６８】
図１８に関して上述したプロセスは、有利なことにＡ／Ｖ記録通信装置のユーザーが互いにビデオ映像をシェアできるようにする。この特徴は、疑わしい活動の社会の認識を高めることによって犯罪の削減に役立つ場合がある。例えば、第１のユーザーは、自分のドアベルによって記録されたビデオ映像を見て、ビデオ映像の中の１人または複数の人が犯罪活動に関与しているまたは関与する場合があると判断してよい。第１のユーザーは、次いでそのビデオ映像を、シェアビデオ映像を見た後に、シェアビデオ映像の中の１人または複数の人に対して警戒するように警告され得る他のユーザーとシェアしてよく、係る１人以上の他のユーザーがさらなる疑わしい活動に関与するシェアビデオ映像の中の１人または複数の人を観察する場合、彼らは該１人または複数の人を法執行機関に報告する可能性が高い。
【０１６９】
本明細書に説明される他のプロセスにおいてだけではなく、図１８のプロセスにおいても、どの他のユーザーが第１のユーザーによってシェアされるビデオ映像の通知を受け取るのかに関する決定が下される。決定は、ユーザーのそれぞれと関連付けられたＡ／Ｖ記録通信装置の相対的な位置に基づく。そして、図１７に関して上述したように、所与のユーザー（ユーザーＸ）がシェア通知を受け取るかどうかは、ユーザーＸによってユーザーＸ自身のＡ／Ｖ記録通信装置（複数可）に関して設定される距離（アラート半径）に依存する。シェアビデオを記録した装置が、ユーザーＸ自身のＡ／Ｖ記録通信装置（複数可）の回りでユーザーＸによって画定された領域（複数可）内に位置する場合、次いでユーザーＸは、シェア通知を受け取る。シェアビデオを記録した装置が、ユーザーＸ自身のＡ／Ｖ記録通信装置（複数可）の回りでユーザーＸによって画定された領域（複数可）の外に位置する場合、次いでユーザーＸは、シェア通知を受け取らない。したがって、どのユーザーが、シェア通知を受け取るのかの決定は、シェアビデオを記録したＡ／Ｖ記録通信装置の所有者／ユーザーによって設定されるアラート半径に依存しない。むしろ、その決定は、シェアビデオを記録した装置以外のＡ／Ｖ記録通信装置の所有者／ユーザーによって設定されるアラート半径に基づき、これらのアラート半径の多くは互いに異なる場合がある。すなわち、ユーザーＸ１は、自分のドアベルの回りに２分の１マイルのアラート半径を設定してよい。一方、ユーザーＸ２は、自分のドアベルの回りに３マイルのアラート半径を設定してよい。シェアビデオを記録した装置が、ユーザーＸ１のドアベルの２分の１マイル内にある場合、次いでユーザーＸ１はシェア通知を受け取り、シェアビデオを記録した装置がユーザーＸ２のドアベルの３マイル内にある場合、次いでユーザーＸ２はシェア通知を受け取る。
【０１７０】
さらに、いくつかの例では、第１のユーザーはシェア通知を受け取らない場合があるが、一方第２のユーザーは、たとえ第１のユーザーのドアベルが、第２のユーザーのドアベルよりもシェアビデオを記録したドアベルにより近く位置するとしても、シェア通知を受け取る場合がある。例えば、再びユーザーＸ１が、自分のドアベルの回りに２分の１マイルのアラート半径を設定し、一方、ユーザーＸ２が、自分のドアベルの回りに３マイルのアラート半径を設定したと仮定する。ユーザーＸ１のドアベルが、シェアビデオを記録したドアベルから１マイル離れており、ユーザーＸ２のドアベルが、シェアビデオを記録したドアベルから２マイル離れている場合、次いでユーザーＸ１は、シェアビデオを記録したドアベルがユーザーＸ１のアラート半径の外にあるため、シェア通知を受け取らないが、ユーザーＸ２は、シェアビデオを記録したドアベルがユーザーＸ２のアラート半径の内側にあるためシェア通知を受け取る。
【０１７１】
なおさらに、所与のユーザーは、２つ以上のＡ／Ｖ記録通信装置を有してよく、それらの装置のうちの少なくとも２つは、異なる場所（例えば、同じ敷地にではない、または同じ建造物に取り付けられていない）にある場合がある。係る場合、それぞれの装置は独自のアラート半径、したがってシェア通知を受け取るためのそれ自体の画定された距離／領域を有してよい。したがって、ユーザーは、たとえシェアビデオを記録した装置が、同じユーザーの装置のうちの少なくとも１つの他の装置の回りの画定された領域の外にあっても、シェアビデオを記録した装置が、そのユーザーの装置のうちの少なくとも１つの回りの画定された領域内にあるときにシェア通知を受け取ってよい。
【０１７２】
いくつかの実施形態では、ユーザーは、同じ場所に２つ以上のＡ／Ｖ記録通信装置を有してよい（例えば、同じ建造物に取り付けられる、または同じ敷地に位置する別々の構造物に取り付けられる）。係る場合、互いに近接する装置は、アラート領域をシェアしてよい。例えば、ユーザーは、自分の玄関口近くにＡ／Ｖ記録通信ドアベルを設置させ、自分の住宅の後部にＡ／Ｖ記録通信防犯カメラを設置させてよい。これらの装置は、１つのアラート半径／アラート領域をシェアしてよい。
【０１７３】
なおさらに、ユーザーは、自分のＡ／Ｖ記録通信装置（複数可）の回りの所定の領域（複数可）のサイズを、所望されるように、調整してよい。Ａ／Ｖ記録通信装置の所与のセット内の各Ａ／Ｖ記録通信装置についての情報は、１つ以上のデータ構造に記憶されてよく、第１のユーザーが記録されたビデオ映像をシェアするたびに、どのユーザーがシェア通知を受け取るのかを判断するために、必要時にアクセスされてよい。ユーザーが自分のＡ／Ｖ記録通信装置（複数可）の回りの画定された領域（複数可）のサイズを調整すると、データ構造（複数可）に記憶された情報は相応して更新されてよい。
【０１７４】
図１９は、本開示の態様に係るＡ／Ｖ記録通信ドアベル（または他のＡ／Ｖ記録通信装置）からのビデオ映像をシェアするための別のプロセスを示すフローチャートである。図１９のプロセスは、ネットワーク装置（複数可）の視点から説明する。したがって、ブロックＢ５６０で、ネットワーク装置（複数可）は、第１のＡ／Ｖドアベルから第１のアラート信号及び第１のビデオ信号を受信する。ブロックＢ５６２で、ネットワーク装置（複数可）は、第１のクライアント装置に第２のアラート信号及び第２のビデオ信号を送信する。ブロックＢ５６４で、ネットワーク装置（複数可）は、第１のクライアント装置からシェア信号を受信する。ブロックＢ５６６で、ネットワーク装置（複数可）は、第１のＡ／Ｖドアベルから少なくとも１つの所定距離内の少なくとも１つの第２のＡ／Ｖドアベルを決定する。ブロックＢ５６８で、ネットワーク装置（複数可）は、少なくとも１つの決定された第２のＡ／Ｖドアベルに対応する少なくとも１つの第２のクライアント装置にシェア通知信号を送信する。
【０１７５】
図２０〜図２４は、本開示の態様に係るＡ／Ｖ記録通信装置からのビデオ映像をシェアするためのプロセスの態様を示すグラフィックユーザーインタフェース（ＧＵＩ）５７０のスクリーンショットである。図２０〜図２４のプロセスは、自分のクライアント装置でアラート信号及びビデオ信号を受信するユーザーの視点から説明する。したがって、図２０〜図２４に示すＧＵＩ５７０は、例えばスマートフォン等のユーザーのクライアント装置のディスプレイに表示されるように構成される。
【０１７６】
図２０を参照すると、ライブコール画面５７２が示されている。ユーザーのＡ／Ｖ記録通信装置が運動を検出するとき、またはドアベルの場合、ビジターがドアベルのフロントボタンを押すとき、ユーザーは、自分のクライアント装置に、Ａ／Ｖ記録通信装置のカメラによって記録されるストリーミングビデオ映像とともにアラートを受信する。ユーザーがアラートに答える場合、例えば図２０に示されるライブコール画面等のライブコール画面５７２が、ユーザーのクライアント装置に表示されてよい。ライブコール画面５７２は、例えば（コールを終了するまたは切断するための）終了ボタン５７４、ボリューム調整ボタン５７６、ミュートボタン５７８、（ビデオが表示画面全体を満たすようにビデオを拡大するための）フルスクリーンボタン５８０、及び／またはメニューボタン５８２等の１つ以上のボタンを含んでよい。
【０１７７】
ライブコール画面５７２はさらに、近隣シェアボタン５８４を含んでよい。ユーザーがライブコール中に近隣シェアボタン５８４を選択する場合、ＧＵＩ５７０は、コールのビデオを、ユーザーの「近傍」の他のユーザー、例えば図１８及び図１９を参照して上述したプロセスに従って決定されるそれらのユーザーとシェアするために、ライブコール後にユーザーがプロンプトを出される通知５８６を表示してよい。例えば、図２１に示すように、通知５８６は、ライブコール画面５７２のバナー部分５８８に表示されてよい。有利なことに、バナー５８８に通知５８６を表示することは、ライブコールを中断せず、これによりユーザー及びビジターは所望される限り互いに話し続けることができる。
【０１７８】
ユーザーがライブコール中に近隣シェアボタン５８４を選択する場合、例えばユーザーがライブコール画面５７２（図２０）で終了ボタン５７４を選択するとき等、コールが終了した後に、図２２に示すように、シェア情報画面５９０がＧＵＩ５７０に表示されてよい。示されている実施形態では、シェア情報画面５９０は、ライブコール中に記録されたビデオからの静止画像５９２及びテキスト情報５９４を含む。例えば、テキスト５９４は、ユーザーに、ユーザーが記録されたビデオ映像を１人以上の他のユーザーとシェアしようとしていることを、ユーザーに知らせる（または思い出させる）、例えば「近隣住民に警告してください」等の句を含んでよい。さらに、テキスト５９４はさらに、ビデオが記録された場所についての一般的な表示とともに、ビデオ映像がシェアされる旨の通知を含んでよい。例えば、場所情報は、例えば「第１４通りの１３００ブロック」等の通りの名前及びブロック番号を識別してよい、及び／または例えば「第１４通りとサンタモニカブルーバードとの交差点近く」等の最寄りの交差点を識別してよい。例えば疑問符等のアイコン５９６も表示されてよい。ユーザーが疑問符アイコン５９６を選択する場合、シェア機能についての追加の情報が表示されてよい、及び／またはヘルプメニューが表示されてよい。
【０１７９】
シェア情報画面５９０はさらに、テキスト入力ボックス５９８を含んでよい。ユーザーのクライアント装置が、タッチスクリーンディスプレイを含む場合に、例えばその上をタップすることによって等、テキスト入力ボックス５９８を選択する場合、図２３に示すように、キーボード６００がディスプレイに表示されてよい。ユーザーは、次いでシェアビデオのコンテンツを説明するためにテキストを入力してよい。ユーザーは、テキスト入力後、シェアボタン６０２を選択してよく、この後、シェア信号（図１８）はネットワークに送信され、ネットワークは、シェアビデオを通知される１人以上の他のユーザーを識別し、識別された他のユーザーに通知を送出する。シェア信号は、図２３に示すＧＵＩ５７０のテキスト入力ボックス５９８にユーザーによって入力されるテキストを含んでよい、またはテキストに伴われてよい。また、ユーザーは、テキスト入力ボックス５９８にテキストを入力するのを断ってもよく、代わりに図２２のシェア情報画面５９０からシェアボタン６０２を単に選択してよく、この後にシェア信号（図１８）はネットワークに送信され、シェアビデオを通知される１人以上の他のユーザーを識別し、識別された他のユーザーに通知を送出する。
【０１８０】
ユーザーがシェアボタン６０２を、テキスト入力ボックス５９８にテキストを入力して、またはテキスト入力ボックス５９８にテキストを入力しないで選択した後、確認画面６０４が、図２４に示すように、ユーザーのクライアント装置のディスプレイに表示されてよい。確認画面６０４は、例えばビデオがシェアされたことを確認するメッセージ（「あなたのビデオはシェアされました」）及び／または感謝のメッセージ（「近隣を安全に保つのを助けてくれてありがとうございます」）等のテキスト６０６を含んでよい。確認画面６０４は、選択されたとき、ユーザーのクライアント装置で実行されているアプリケーションのメニュー画面などの別の画面へユーザーを戻してもよいＯＫボタン６０８のようなボタンをさらに含んでもよい。例えばビデオが共用されたことを確認するメッセージ（「あなたのビデオは共用されました」）及び／または感謝のメッセージ（「近傍を安全に保つのを助けてくれてありがとうございます」）等のテキスト６０６を含んでよい。図２２〜図２４を参照すると、シェア情報画面５９０（図２２）、テキスト入力画面６１０（図２３）、及び／または確認画面６０４（図２４）は、閉じるボタン６１２（右上角の「Ｘ」）を含んでよい。ユーザーが閉じるボタン６１２を選択する場合、シェア動作は、ライブコールからのビデオ映像をシェアせずに終了されてよい。さらに、ユーザーが閉じるボタン６１２を選択する場合、ユーザーに、シェア動作を終了することを確認するように依頼するポップアップウィンドウ（不図示）がディスプレイに示されてよい。
【０１８１】
図２５〜図２９は、本開示の態様に係るＡ／Ｖ記録通信装置からのビデオ映像をシェアするための別のプロセスを示すグラフィックユーザーインタフェース（ＧＵＩ）６２０のスクリーンショットである。図２５〜図２９のプロセスは、自分のクライアント装置で早期に記録されたビデオを見るユーザーの視点から説明する。したがって、図２５〜図２９に示すＧＵＩ６２０は、例えばスマートフォン等のユーザーのクライアント装置のディスプレイに表示されるように構成される。本実施形態では、ユーザーのクライアント装置に表示されるビデオはライブコールではなく、むしろ時間内に早期で発生したビジターイベントの記録である。しかしながら、記録は、ユーザーとビジターとの間の早期のライブコールの記録であってよい。
【０１８２】
図２５を参照すると、ビデオプレイバック画面６２２が示されている。ユーザーのＡ／Ｖ記録通信装置が運動を検出するとき、またはドアベルの場合、ビジターがドアベルのフロントボタンを押すとき、ユーザーは、自分のクライアント装置に、Ａ／Ｖ記録通信装置のカメラによって記録されるストリーミングビデオ映像とともにアラートを受信する。ユーザーが通知を無視する場合、それにもかかわらず運動イベントまたはボタン押下イベントが記録され、リモートネットワーク装置に記憶されてよい。ユーザーが記憶されたビデオ映像にアクセスするとき、ビデオは、図２５に示すように、ユーザーのクライアント装置のビデオプレイバック画面６２２に表示されてよい。代わりに、ユーザーがアラートに答え、ビジターと通信するが、（図２０〜図２４に関して上述したように）ライブコールの中からビデオをシェアしない場合も、ユーザーは、以下に説明するように、メニューから記録されたビデオ映像にアクセスすることによってそれを見ることができる。
【０１８３】
図２５をさらに参照すると、ビデオプレイバック画面６２２は、例えばボリューム調整スライダウィジェット６２４、巻き戻しボタン６２６、再生ボタン６２８、早送りボタン６３０、削除ボタン６３２、及び／またはシェアボタン６３４等の１つ以上のボタンまたは制御手段を含んでよい。さらに、ユーザーがシェアボタン６３４を選択する場合、ユーザーに、ポップアップメニュー（不図示）がディスプレイに示されてよく、ユーザーに、自分の接点で及び／またはソーシャルメディアを介してビデオをシェアするための１つ以上のオプションを提供する。例えば、ポップアップメニュー（または任意の他の適切なタイプのインタフェース）は、ｅーメールを介して、テキストメッセージを介して、及び／または例えばＮＥＸＴＤＯＯＲ（登録商標）、ＦＡＣＥＢＯＯＫ（登録商標）、ＩＮＳＴＡＧＲＡＭ（登録商標）、ＴＷＩＴＴＥＲ（登録商標）他等のソーシャルメディアを介してビデオをシェアするためのオプションを含んでよい。ユーザーがオプションのうちの１つを選択すると、シェアされるビデオへのリンクを含んだ新しいメッセージ（またはポスト等）が次いで作成されてよい。例えば、ユーザーがそれを通じてビデオをシェアするためのソーシャルメディアネットワークを選択する場合、プロセスは、シェアされるビデオへのリンクを有するソーシャルメッセージポストを作成してよい。１つ以上のソーシャルネットワークにビデオを投稿することは、ビデオが記録された近隣に住む他者を含んだ他者がビデオを見ることを可能にしてよい。それらの人は、ビデオの中の人を認識してよく、その人を識別するのを助けることができる場合がある。さらに、ソーシャルネットワークのポストは、ビデオが記録された近隣に住む他者に警告を提供してよく、それらの人々がビデオの中の人（複数可）に対して警戒するように奨励する。
【０１８４】
本実施形態は、任意の特定のソーシャルネットワークまたはソーシャルネットワークのタイプとの使用に限定されていないが、本実施形態は、それにも関わらず、例えばＮＥＸＴＤＯＯＲ（登録商標）等の近傍指向ソーシャルネットワークとの使用のために十分に適応されてよい。近傍指向ソーシャルネットワークは、ポストへのアクセスを、投稿者と同じ近傍または近くの人々にアクセスを制限することによって、ユーザーが、その近傍に及び／またはすぐ近くの近傍に住む人と連絡することを可能にする。上述したように、いくつかの態様では、本発明の実施形態は、ユーザーがソーシャルネットワークにビデオをシェアできるようにする。ビデオが近隣のためにソーシャルネットワーキングサービスに掲載されると、ビデオは、ビデオが記録された近隣に住む人々によって見られる可能性が高い。それらの人々はビデオ内の人（複数可）を見た可能性が高いため、ビデオはこのようにして、近隣指向ソーシャルネットワークで人々に関連する可能性が高い。したがって、近隣指向ソーシャルネットワークのメンバーは、例えばそれらも近隣の人（複数可）を見たのを確認する、及び／またはビデオ中の人（複数可）を識別するのを助ける等、ビデオの中の人（複数可）についての追加の情報を提供できてよい。ビデオの中の人（複数可）が近隣で犯罪行為をした場合、人（複数可）を識別することは、彼らの捕獲及び確信につながるのを支援してよい。
【０１８５】
図２５をさらに参照すると、ビデオプレイバック画面６２２はさらに、プログレスバー６３６、及びビデオのどの部分が現在再生しているのかを示すスライダウィジェット６３８を含む。例えば、プログレスバー６３６の第１の端部６４２のタイマー６４０は、ビデオがどのくらい経過したのかを示し、プログレスバー６３６の第２の端部６４６のタイマー６４４は、ビデオのどのくらい多くが再生するために残されているのかを示す。ビデオが再生するにつれ、プログレススライダウィジェット６３８は、プログレスバー６３６の第１の端部６４２から第２の端部６４６に移動する。ユーザーがビデオの特定の部分にジャンプすることを望む場合、ユーザーは、スライダウィジェット６３８を選択し、プログレスバー６３６に沿ってそれを摺動させ、それを放すことによってスライダウィジェット６３８を左右に移動させ得る。ビデオプレイバック画面６２２はさらに、選択時、ビデオを閉じ、ユーザーをユーザーのクライアント装置で実行中のアプリケーションの中の前の画面に戻す実行済みボタン６４８を含んでよい。
【０１８６】
図２５をさらに参照すると、ビデオプレイバック画面６２２はさらに、近隣シェアボタン５８４を含んでよい。ユーザーが近隣シェアボタン５８４を選択する場合、ＧＵＩ６２０は、図２６に示すようにテキスト情報５９４を表示してよい。例えば、テキスト５９４は、ユーザーに、ユーザーが記録されたビデオ映像を１人以上の他のユーザーとシェアしようとしていることを、ユーザーに知らせる（または思い出させる）、例えば「近隣住民に警告してください」等の句を含んでよい。さらに、テキスト５９４はさらに、ビデオが記録された場所についての一般的な表示とともに、ビデオ映像がシェアされる旨の通知を含んでよい。例えば、場所情報は、例えば「第１４通りの１３００ブロック」等の通りの名前及びブロック番号を識別してよく、及び／または例えば「第１４通りとサンタモニカブルーバードとの交差点近く」等の最寄りの交差点を識別してよい。例えば疑問符等のアイコン５９６も表示されてよい。ユーザーが疑問符アイコン５９６を選択する場合、シェア機能についての追加の情報が表示されてよい、及び／またはヘルプメニューが表示されてよい。
【０１８７】
図２６のＧＵＩ６２０はさらに、テキスト入力ボックス５９８を含んでよい。ユーザーのクライアント装置が、タッチスクリーンディスプレイを含む場合に、例えばその上をタップすることによって等、テキスト入力ボックス５９８を選択する場合、図２７に示すように、キーボード６００がディスプレイに表示されてよい。ユーザーは、次いでシェアビデオのコンテンツを説明するためにテキストを入力してよい。ユーザーは、テキスト入力後、シェアボタン６０２を選択してよく、この後、シェア信号（図１８）はネットワークに送信され、ネットワークは、シェアビデオを通知される１人以上の他のユーザーを識別し、識別された他のユーザーに通知を送出する。シェア信号は、図２７に示すＧＵＩ６２０のテキスト入力ボックス５９８にユーザーによって入力されるテキストを含んでよい、またはテキストに伴われてよい。また、ユーザーは、テキスト入力ボックス５９８にテキストを入力するのを断ってもよく、代わりに図２６のシェア画面６５０からシェアボタン６０２を単に選択してよく、この後にシェア信号（図１８）はネットワークに送信され、シェアビデオを通知される１人以上の他のユーザーを識別し、識別された他のユーザーに通知を送出する。
【０１８８】
ユーザーがシェアボタン６０２を、テキスト入力ボックス５９８にテキストを入力して、またはテキスト入力ボックス５９８にテキストを入力しないで選択した後、確認メッセージ６５２が、図２８に示すように、ユーザーのクライアント装置のＧＵＩ６２０に表示されてよい。確認メッセージ６５２は、例えばビデオがシェアされたことを確認するメッセージ（「あなたのビデオは投稿され、あなたの近隣住民は警告されました」）等のテキストを含んでよい。図２９を参照すると、ユーザーに、ユーザーがビデオを「共用解除」したいかどうかを尋ねるポップアップメッセージ６５４も示されてよい。ポップアップメッセージ６５４は、例えば「すでに近隣住民とこのビデオをシェアしています」等のテキスト６５６、ならびに例えば取消ボタン６５８及び／またはイエス（もしくはＯＫ）ボタン６６０等の１つ以上のボタンを含んでよい。ユーザーが取消ボタン６５８を選択する場合、シェアビデオが「共用解除」されないのに対し、ユーザーがイエスボタン６６０を選択する場合、シェアビデオは「共用解除」されてよい。図２６〜図２８を参照すると、ＧＵＩ６２０は閉じるボタン６１２（右上角の「Ｘ」）を含んでよい。ユーザーが閉じるボタン６１２を選択する場合、シェア動作は、ビデオ映像をシェアせずに終了されてよい。さらに、ユーザーが閉じるボタン６１２を選択する場合、ユーザーに、シェア動作を終了することを確認するように依頼するポップアップウィンドウ（不図示）がディスプレイに示されてよい。
【０１８９】
いくつかの実施形態では、ユーザーのＡ／Ｖ記録通信装置によって記録されたビデオ映像は、長期にリモートネットワーク装置に記憶されない場合がある。係る実施形態でも、ユーザーは例えば図２０〜図２４を参照して上述したプロセスに従ってライブコールからだけである（及び図２５〜図２９を参照して上述されたプロセス等のビデオプレイバックプレスからではない）が、自分のＡ／Ｖ記録通信装置からのビデオ映像を他のユーザーとシェアし得る。本態様を可能にするためには、ユーザーのＡ／Ｖ記録通信装置によって記録されるすべてのビデオは、それが、ユーザーがライブコールからのビデオ映像をシェアする場合にシェアリングに利用可能であるようにリモートネットワーク装置で一時的に記憶されてよい。例えば、ビデオは、ライブコールが進行中である限りリモートネットワーク装置に一時的に記憶されてよいが、ライブコールが、ユーザーが近隣シェアボタン５８４（図２０）を選択しないで終了する場合、リモートネットワーク装置に一時的に記憶されたビデオは次いで削除される場合がある。
【０１９０】
図３０は、本開示の態様に係るＡ／Ｖ記録通信ドアベルからのビデオ映像をシェアするための別のプロセスを示すシーケンス図である。図３０のプロセスは、ドアベル５２０が、ネットワークに第１のアラート信号及び第１のビデオ信号５４０を送信する（及びネットワークが第１のアラート信号及び第１のビデオ信号５４０を受信する）ことと、ネットワーク５４２が、第１のアラート信号及び第１のビデオ信号を受信することに応えて、第１のクライアント装置（ユーザーのクライアント装置＃１）に第２のアラート信号及び第２のビデオ信号５４６を送信することと、第１のクライアント装置５４４が、ネットワークにシェア信号５４８を送信する（及びネットワークが第１のクライアント装置からシェア信号５４８を受信する）ことと、ネットワーク装置（複数可）５４２が、（少なくともユーザーのクライアント装置＃３  ５５２を含んだ）識別された他のドアベル（複数可）と関連付けられた各クライアント装置にシェア通知信号５５０を送信することとを含んだ図１８のプロセスの態様を含む。
【０１９１】
図３０のプロセスはさらに、第３のクライアント装置５５２がネットワーク５４２にプレイバック要求信号６６２を送信する（及びネットワーク５４２が、第３のクライアント装置５５２からプレイバック要求信号６６２を受信する）ことと、ネットワーク装置（複数可）５４２が、第３のクライアント装置５５２からプレイバック要求信号６６２を受信することに応えて、第３のクライアント装置５５２に第３のビデオ信号６６４を送信することであって、第３のビデオ信号６６４が、Ａ／Ｖドアベル  ＃１  ５２０によって記録されるシェアビデオ映像を含む、該送信することと、を含む。例えば、ユーザーのクライアント装置＃３  ５５２は、例えばプッシュ通知であってよいシェア通知信号５５０を受信してよい。ユーザーのクライアント装置＃３  ５５２と関連付けられたユーザーは、次いで例えばプッシュ通知内の「いま見る」ボタン（または「ＯＫ」ボタン等）を選択することによってシェアビデオ映像を見ることを選んでよい。代わりに、ユーザーは、シェア通知信号５５０を無視してよいが、その後、以下に説明するように、ユーザーのクライアント装置＃３  ５５２で実行中のアプリケーションの中の１つ以上の画面／メニューを通してシェアビデオ映像を見ることを要求してよい。プレイバック要求信号６６２は、次いでネットワーク５４２に送信され、シェアビデオ映像は、第３のビデオ信号６６４でユーザーのクライアント装置＃３  ５５２に送信される。
【０１９２】
図３１は、本開示の態様に係るＡ／Ｖ記録通信ドアベルからのビデオ映像をシェアするための別のプロセスを示すフローチャートである。図３１のプロセスは、ネットワーク装置（複数可）の視点から説明する。したがって、ブロックＢ５６０で、ネットワーク装置（複数可）は、第１のＡ／Ｖドアベルから第１のアラート信号及び第１のビデオ信号を受信する。ブロックＢ５６２で、ネットワーク装置（複数可）は、第１のクライアント装置に第２のアラート信号及び第２のビデオ信号を送信する。ブロックＢ５６４で、ネットワーク装置（複数可）は、第１のクライアント装置からシェア信号を受信する。ブロックＢ５６６で、ネットワーク装置（複数可）は、第１のＡ／Ｖドアベルから少なくとも１つの所定距離内の少なくとも１つの第２のＡ／Ｖドアベルを決定する。ブロックＢ５６８で、ネットワーク装置（複数可）は、少なくとも１つの決定された第２のＡ／Ｖドアベルに対応する少なくとも１つの第２のクライアント装置にシェア通知信号を送信する。ブロックＢ６７０で、ネットワーク装置（複数可）は、第２のクライアント装置からプレイバック要求信号を受信する。ブロックＢ６７２で、ネットワーク装置（複数可）は、第２のクライアント装置に第３のビデオ信号を送信する。
【０１９３】
図３２〜図３５は、本開示の態様に係るＡ／Ｖ記録通信装置からのビデオ映像をシェアするための別のプロセスの態様を示すグラフィックユーザーインタフェース（ＧＵＩ）のスクリーンショットである。図３２〜図３５は、自分のクライアント装置を操作するユーザーの視点から以下に説明する。したがって、図３２〜図３５に示すＧＵＩは、例えばスマートフォン等のユーザーのクライアント装置のディスプレイに表示されるように構成される。
【０１９４】
図３２を参照すると、ＧＵＩ６８０は、ユーザーのＡ／Ｖ記録通信装置のそれぞれのためのボタンを含む。例えば、図３２のボタンＧＵＩ６８０は、ユーザーの玄関口に隣接して位置するドアベルのための第１のボタン６８２、及びユーザーの裏口に隣接して位置するドアベルのための第２のボタン６８４を含む。ユーザーは、各装置に対応するボタン６８２、６８４の中から選択することによって自分の装置によって記録されるビデオ映像を見ることができる。ユーザーはさらに、複数のフィルタボタン６８６、６８８、６９０の中から選択することによってタイプ別にまとめられたビデオ映像を見ることができる。例えば、図３２のＧＵＩ６８０は、全活動のための第１のフィルタボタン６８６、コール（ユーザーのドアベルのフロントボタンが押されるとき記録されるビデオ）のための第２のフィルタボタン６８８、及び動き（ユーザーのドアベルが動きを検出するとき記録されるビデオ）のための第３のフィルタボタン６９０を含む。ユーザーが全活動フィルタボタン６８６を選択すると、例えば図１８及び図１９に関して上述したプロセスに従って決定されたそれらの装置等のユーザーの「近隣」の他のユーザーの装置によって記録されるすべてのシェアビデオのためのエントリだけではなく、ユーザーの装置（複数可）によって記録されるすべてのビデオのためのエントリも含むリスト６９１が、ＧＵＩ６８０に表示されてよい。例えば、図３２のリスト６９１は、ドアベル（複数可）のボタンが押されていることに応えて、ユーザーのドアベル（複数可）によって記録されるビデオに対応する「受け付けた呼び鈴」６９２及び「出られなかった呼び鈴」６９４とラベルが付けられたエントリを含む。リスト６９１はさらに、動きが検出されるのに応えてユーザーの装置（複数可）によって記録されるビデオに対応する「見逃した動き」６９６とラベルが付けられたエントリを含む。
【０１９５】
図３２のリスト６９１はさらに、「近隣アラート［疑わしい活動］」６９８とラベルが付けられたエントリを含む。近隣アラートエントリ６９８はさらに、ユーザーの「近隣」の別のユーザーの装置からのシェアビデオに対応するとしてエントリ６９８を識別する近隣イベントアイコン７００を含んでよい。近隣アラートエントリ６９８はさらに、シェアビデオについての、それが記録されたおおよその位置７０２、それが記録された日時７０４、及び装置がビデオを記録した、ユーザーによって提供されるビデオのテキスト説明７０６を含んだ情報を含んでよい。ユーザーが近隣アラートエントリ６９８を選択する場合、プレイバック要求信号６６２は、ユーザーのクライアント装置からネットワーク（図３０）に送信され、要求されたビデオを含んだビデオ信号６６４は、ネットワークからユーザーのクライアント装置に送信される。図２５に示されるＧＵＩに類似する（が、近隣シェアボタンがない）ＧＵＩが次いで、ユーザーのクライアント装置のディスプレイに示されてよく、ユーザーはシェアビデオを見ることができる。
【０１９６】
図３３をさらに参照すると、ＧＵＩ６８０はさらに、サイドメニュー７０８を含んでよい。サイドメニュー７０８は、例えばユーザーのクライアント装置のディスプレイに触れ、（ユーザーのクライアント装置のディスプレイがタッチスクリーンである場合）右にスワイプすることによってアクセスされてよい。サイドメニュー７０８は、近隣ボタン７１４だけではなく、種々の設定のためのボタン７１０、ユーザーのＡ／Ｖ記録通信装置のそれぞれのためのボタン７１２を含んでよい。近隣ボタン７１４はさらに、上記段落に説明する近隣イベントアイコン７００を含んでよい。ユーザーが近隣ボタン７１４を選択すると、図３４に示す近隣活動画面７１６が、ユーザーのクライアント装置のディスプレイに表示されてよい。
【０１９７】
図３４を参照すると、近隣活動画面７１６は、近隣ボタン７１８及びアラート設定ボタン７２０を含んでよい。ユーザーが近隣ボタン７１８を選択すると、近隣活動リスト７２２が、近隣アラートエントリ６９８（そのコンテンツ及び機能性は、図３２に関して上述される）を含むＧＵＩ６８０に表示されてよい。図３４をさらに参照すると、ユーザーがアラート設定ボタン７２０を選択するとき、ユーザーが２つ以上の位置にＡ／Ｖ記録通信装置を有する場合、次いで図３５に示すように、ユーザーのクライアント装置のディスプレイに近隣選択画面７２４が表示されてよい。近隣選択画面７２４は、ユーザーが少なくとも１つのＡ／Ｖ記録通信装置を有する各位置（例えば、各「近隣」）に対応するエントリを有するリスト７２６を含んでよい。例えば、図３５のリスト７２６は、ユーザーの自宅「近隣」のための第１のエントリ７２８及びユーザーの事務所「近隣」のための第２のエントリ７３０を含む。特定の実施形態では、ユーザーが所与の位置に２つ以上のＡ／Ｖ記録通信装置を有する場合、位置ごとに１つのエントリしか表示されない場合がある。例えば、ユーザーが所与の住所に２つのドアベル及び１つの防犯カメラを有する場合、その位置のためのリスト７２６にはただ１つのエントリしか表示されず、エントリがその位置の３つすべての装置をカバーする。ユーザーが別の位置に１つ以上のＡ／Ｖ記録通信装置を有する場合、その他の位置のためのリスト７２６に別のエントリが表示される。また、特定の実施形態では、リスト７２６のエントリは、名前よりむしろ、または名前に加えて住所を含んでよい。例えば、第１のエントリ７２８が「住居」とラベルが付けられ、第２のエントリ７３０が「事務所」とラベルが付けられるよりむしろ、第１のエントリ７２８は「本通り１２３」とラベルが付けられてよく、第２のエントリ７３０は「第１通り４５６」とラベルを付けられてよい。
【０１９８】
しかしながら、ユーザーが２つ以上の位置にＡ／Ｖ記録通信装置を有さない場合、次いでユーザーがアラート設定ボタン７２０（図３４）を選択するとき、近隣アラート設定画面７３２が図３６及び図３７に示すように、ユーザーのクライアント装置のディスプレイに表示されてよい。さらに、ユーザーが２つ以上の位置にＡ／Ｖ記録通信装置を有する場合、次いでユーザーが図３５の近隣活動画面７１６でリスト７２６から位置のうちの１つを選択すると、次いで図３６及び図３７の近隣アラート設定画面７３２はユーザーのクライアント装置のディスプレイにも表示されてよい。
【０１９９】
図３６を参照すると、近隣アラート設定値画面７３２は、ユーザーがビデオシェアリング機能をオン及びオフにトグルできるようにするオン／オフスライダウィジェット７３４を含む。オン／オフスライダウィジェット７３４が、図３６に示すようにオン位置にあるとき、ユーザーは、ユーザーの「近隣」の他のユーザーがビデオをシェアするときシェアリング通知（アラート）を受け取ってよく、シェアビデオは、ユーザーの近隣活動画面７１６（図３４）上のイベントのリスト７２２内だけではなく、ユーザーの全活動画面７３６（図３２）上のイベントのリスト６９１にも表示されてよい。特定の実施形態では、オン／オフスライダウィジェット７３４は、デフォルトでオン位置にあってよい。オン／オフスライダウィジェット７３４が、図３７に示すようにオフ位置にあるとき、ユーザーは、ユーザーの「近隣」の他のユーザーがビデオをシェアするときシェアリング通知（アラート）を受け取らない場合があり、シェアビデオは、ユーザーの全活動画面７３６（図３２）のイベントのリスト６９１に表示さない場合があるが、シェアビデオは、ユーザーの近隣活動画面７１６（図３４）のイベントのリスト７２２に表示されてよい。近隣アラート設定画面７３２はさらに、オン／オフスライダウィジェット７３４がオン位置にあるとき（図３６）及びオン／オフスライダウィジェット７３４がオフ位置にあるとき（図３７）にビデオシェアリング機能がどのように機能するのかを説明するテキストバナー７３８を含む。
【０２００】
図３６を参照すると、近隣アラート設定値画面７３２はさらに、マップ７４０を含む。マップ７４０のインジケータ７４２は、図３５のリスト７２４から選択された位置に対応する（またはユーザーが、２つ以上の位置にＡ／Ｖ記録通信装置を有さない場合、ユーザーが少なくとも１つのＡ／Ｖ記録通信装置を有する単一の位置に対応する）ユーザーのＡ／Ｖ記録通信装置（複数可）の位置を示す。示されている実施形態では、インジケータ７４２は点を含むが、他の実施形態では、インジケータ７４２は、例えばピン等の任意の他のタイプのインジケータを含んでよい。近隣アラート設定画面７３２はさらに、マップ７４０のインジケータ７４２に対応する位置の所在地住所を提供するテキストバナー７４４を含む。
【０２０１】
図３６をさらに参照すると、近隣アラート設定値画面７３２はさらに、マップ７４０に示される位置のユーザーのＡ／Ｖ記録通信装置（複数可）の回りのアラート半径を調整するためのスライダウィジェット７４６を含む。マップ７４０のインジケータ７４２の回りの円７４８はユーザーが他のユーザーからシェア通知を受け取る領域７５０の外側境界を識別する。円７４８の中の領域７５０は、図３６に示すように陰影を付けられてよい。領域７５０のサイズを調整するために、ユーザーは、スライダウィジェット７４６を上下に移動することによってアラート半径の長さを調整する。示されている実施形態では、スライダウィジェット７４６を上に移動させると、領域７５０（及びアラート半径）のサイズが増加する。一方、スライダウィジェットを下方に移動させると、領域７５０（及びアラート半径）のサイズは減少する。スライダウィジェット７４６を上下に移動するにつれ、インジケータ７４２の回りの円７４８のサイズは増減して、ユーザーにアラート半径の長さが増減するにつれカバーされる領域７５０の視覚表示を与えてよい。いくつかの実施形態では、マップ７４０はデフォルトの縮尺を有してよい。ユーザーがスライダウィジェット７４６を上方に移動させてアラート半径のサイズを増加させるにつれ、円７４８がマップ７４０の端縁に達する場合、次いでマップ７４０は、アラート領域７５０全体がつねにマップ７４０で可視となるように縮小し始めてよい。
【０２０２】
ユーザーがアラート半径のサイズを調整すると、ユーザーのクライアント装置はネットワークにアラート半径調整信号を送信してよく、ネットワークは、ユーザーのアラート半径の変更したサイズでデータ構造を更新してよい。例えば、図３６をさらに参照すると、ユーザーは、スライダウィジェット７４６を上下に移動させることによってアラート半径のサイズを調整してよい。変更を確認するために、ユーザーは、ユーザーのクライアント装置上で実行中のアプリケーションの中の以前の画面に戻るためにＧＵＩ６８０の戻る矢印７５２を選択してよい。ユーザーが戻る矢印７５２を選択すると、アラート半径調整信号がネットワークに送信され、ネットワークは、ユーザーのアラート半径の変更したサイズでデータ構造を更新してよい。いくつかの実施形態では、ユーザーが戻る矢印７５２を選択せずにアプリケーションを終了する場合、次いでアラート半径の調整は破棄されてよい（アラート半径のサイズは、未変更のままであってよい）。
【０２０３】
図３６をさらに参照すると、アラート半径の大きさは、スライダウィジェット７４６上の数字で示されてよい。例えば、図３６では、アラート半径は、スライダウィジェット７４６上の数字．２によって示すように、０．２マイルで設定される。アラート半径の最大の大きさ及び／最小の大きさは、スライダウィジェット７４６上の両端の数字で示されてよい。例えば、図３６では、最大アラート半径は、スライダウィジェット７４６の上端に１０マイルとして示され、一方最小アラート半径は、スライダウィジェット７４６の下端に．１マイルとして示される。図３６及び図３７に示す最大の大きさ及び最小の大きさは例にすぎず、制限的ではないことが理解されるべきである。
【０２０４】
特定の実施形態では、アラート半径の大きさは、マップ７４０に示される位置の回りの他のＡ／Ｖ記録通信装置の数に基づいて動的に設定されてよい。例えば、アラート半径は、ユーザーのＡ／Ｖ記録通信装置の回りの結果として画定された領域７５０が、少なくとも最小閾値数の他のＡ／Ｖ記録通信装置を取り囲むように設定されてよい。代わりに、アラート半径は、ユーザーのＡ／Ｖ記録通信装置の回りの結果として画定された領域７５０が、最大閾値数の他のＡ／Ｖ記録通信装置しか取り囲まないように設定されてよい。なおさらに、アラート半径は、ユーザーのＡ／Ｖ記録通信装置の回りの結果として画定された領域７５０が、定められた範囲に含まれるいくつかの他のＡ／Ｖ記録通信装置を取り囲むように設定されてよい。特定の実施形態では、アラート半径の大きさは、ユーザーの装置の回りの他のＡ／Ｖ記録通信装置の数が変化するにつれ、動的に調整されてよい。したがって、より多くのＡ／Ｖ記録通信装置がユーザーの装置の回りに追加されるにつれ、アラート半径のサイズは、画定された領域７５０内の他のＡ／Ｖ記録通信装置の数がほぼ同じままとなるように縮小されてよい。逆に、Ａ／Ｖ記録通信装置が、ユーザーの装置の回りの領域７５０から撤去される（または動作を停止される）につれ、アラート半径のサイズは、画定された領域７５０内の他のＡ／Ｖ記録通信装置の数がほぼ同じままとなるように拡大されてよい。特定の実施形態では、ユーザーは、図３６に関して上述したように、スライダウィジェット７４６を移動させることによりアラート半径の大きさを手動で選択することによってアラート半径の大きさの動的な設定及び／または調整を無効にしてよい。
【０２０５】
いくつかの実施形態では、ユーザーのＡ／Ｖ記録通信装置の回りで画定されたアラート領域は、円形の外側境界を有さない場合がある。例えば、ユーザーは、不規則な多角形を含んだ、正方形、矩形、または任意の他の形状等の非円形の形状を有する自分のＡ／Ｖ記録通信装置の回りにアラート領域を画定してよい。また、アラート領域の形状は、別の方向でより、ある方向でＡ／Ｖ記録通信装置からより大きい距離、広がってもよい。例えば、Ａ／Ｖ記録通信装置が、沿海部に、または湖岸に、または（例えば砂漠等の）無人地帯の端縁に、または（例えば軍事基地等の）立入禁止区域の端縁に位置する場合、次いでユーザーは、アラート領域が水上に、または砂漠に、または軍事基地等に広がることを望むのではなく、ユーザーは、アラート領域が水、または砂漠、または軍事基地等から離れた方向で相当な距離広がることを望む場合がある。係る実施形態では、Ａ／Ｖ記録通信装置は、画定されたアラート領域の中心に位置しないであろう。
【０２０６】
図３８は、本開示の態様に係るＡ／Ｖ記録通信ドアベルからのビデオ映像をシェアするための別のプロセスを示すシーケンス図である。図３８のプロセスでは、新しいＡ／Ｖ記録通信装置が作動され、ネットワークに接続される。特定の実施形態では、作動／セットアップ／接続プロセスは、ユーザーのクライアント装置で実行中のアプリケーションを使用し、実施されてよい。したがって、図３８を参照すると、ユーザーのクライアント装置７５４（ユーザーのクライアント装置＃１）は、ユーザーのＡ／Ｖ記録通信装置（Ａ／Ｖドアベル＃１）と関連付けられた情報７５８をネットワーク７５６に送信してよく、ネットワーク７５６は、ユーザーのクライアント装置７５４から受信してよい。情報７５８は、例えばユーザーのＡ／Ｖ記録通信装置の位置を含んでよい。位置は、例えば固定されている等、ユーザーのＡ／Ｖ記録通信装置が関連付けられる建物の所在地住所を含んでよい。ユーザーのクライアント装置７５４はさらに、ユーザーのＡ／Ｖ記録通信装置のビデオシェアリング機能のためのイネーブル信号７６０をネットワーク７５６に送信してよく、ネットワーク７５６はさらに、ユーザーのクライアント装置７５４から受信してよい。例えば、セットアッププロセス中、ユーザーは、図３６に示すＧＵＩ等のＧＵＩを使用し、ビデオシェアリング機能を有効に（オンにして）よい。いくつかの実施形態では、ビデオシェアリング機能は、デフォルトで有効にされてよく、これによりユーザーは、ビデオシェアリング機能を有効にするためのいずれの積極的なステップも講じる必要はない。
【０２０７】
図３８をさらに参照すると、ユーザーのクライアント装置７５４はさらに、ユーザーのＡ／Ｖ記録通信装置のビデオシェアリング機能と関連付けられた通知距離（アラート半径）７６２をネットワーク７５６に送信してよく、ネットワーク７５６はさらに、ユーザーのクライアント装置７５４から通知距離７６２を受信してよい。例えば、セットアッププロセス中、ユーザーは、図３６に示すＧＵＩ等のＧＵＩを使用し、アラート半径７６２を選択してよい。いくつかの実施形態では、アラート半径７６２は、自動的にデフォルト値に設定されることもあれば、上述した基準に従って自動的に設定されることもあり、これによりユーザーは、アラート半径を設定するためのいずれの積極的なステップも講じる必要はない。アラート半径７６２は、この例ではＡ／Ｖドアベル＃２と呼ばれる少なくとも１つの他のユーザーのＡ／Ｖ記録通信装置を取り囲む、ユーザーのＡ／Ｖ記録通信装置の回りに領域を画定する。Ａ／Ｖドアベル＃２は、ビデオ映像を記録してよく、Ａ／Ｖドアベル＃２と関連付けられたユーザーは、本明細書に説明するプロセスに従って記録されたビデオ映像をシェアしてよい。したがって、図３８をさらに参照すると、Ａ／Ｖドアベル＃２（ユーザーのクライアント装置＃２  ７６４）と関連付けられたクライアント装置は、シェア信号７６６をネットワーク７５６に送信してよく、ネットワーク７５６は、ユーザーのクライアント装置＃２  ７６４からシェア信号７６６を受信してよい。ネットワーク７５６は、Ａ／Ｖドアベル  ＃２  ７６４がＡ／Ｖドアベル＃１の回りに画定されたアラート領域内にあると判断した後、次いでＡ／Ｖドアベル＃１（ユーザーのクライアント装置＃１  ７５４）と関連付けられたクライアント装置にシェア通知信号７６８を送信してよい。
【０２０８】
図３９及び図４０は、本開示の態様に係るＡ／Ｖ記録通信ドアベルからのビデオ映像をシェアするための他のプロセスを示すフローチャートである。図３９は、ユーザーの視点から説明し、一方図４０は、ネットワーク装置（複数可）の視点から説明する。図３９を参照すると、ブロックＢ７７０でユーザーは新しいＡ／Ｖ記録通信装置を作動させ、それをネットワークに接続してよい。上述したように、作動／セットアップ／接続プロセスのいくつかの態様は、ユーザーのクライアント装置で実行中のアプリケーションを使用し、実施されてよい。ブロックＢ７７２で、ユーザーは、ユーザーＡ／Ｖ記録通信装置のビデオシェアリング機能を有効にしてよく、ブロックＢ７７４で、ユーザーは、ユーザーのＡ／Ｖ記録通信装置のビデオシェアリング機能と関連付けられた通知距離（アラート半径）を設定してよい。上述したように、作動／セットアップ／接続プロセスのこれらの態様は自動化されてよく、これによりユーザーはいずれの積極的なステップも講じなくてもよい。アラート半径は、この例では第２のＡ／Ｖドアベルと呼ばれる少なくとも１つの他のユーザーのＡ／Ｖ記録通信装置を取り囲む、ユーザーのＡ／Ｖ記録通信装置の回りに領域を画定する。第２のＡ／Ｖドアベルは、ビデオ映像を記録してよく、第２のＡ／Ｖドアベルと関連付けられたユーザーは、本明細書に説明するプロセスに従って記録されたビデオ映像をシェアしてよい。第２のＡ／Ｖドアベルと関連付けられたクライアント装置は、シェア信号をネットワークに送信してよく、ネットワークは、第２のＡ／Ｖドアベルから受信してよい。ネットワークは、第２のＡ／ＶドアベルがＡ／Ｖドアベル＃１の回りに画定されたアラート領域内にあると判断した後、次いでＡ／Ｖドアベル＃１（第１のクライアント装置）と関連付けられたクライアント装置にシェア通知信号を送信してよい。したがって、ブロックＢ７７６で、第１のクライアント装置は、第１のＡ／Ｖドアベル通知距離（アラート半径）内にある第２のＡ／Ｖ記録通信装置のカメラによって記録されるビデオ映像に対するリンクを含んだ、シェア通知信号を受信してよい。
【０２０９】
図４０を参照すると、ブロックＢ７７８で、ネットワークは、ユーザーのクライアント装置からユーザーのＡ／Ｖ記録通信装置（第１のＡ／Ｖドアベル）と関連付けられた情報を受信してよい。情報は、例えば第１のＡ／Ｖドアベルの位置を含んでよい。位置は、例えば固定されている等、第１のＡ／Ｖドアベルが関連付けられる建物の所在地住所を含んでよい。ブロックＢ７８０で、ネットワークはさらに、ユーザーのクライアント装置から、第１のＡ／Ｖドアベルのビデオシェアリング機能のためのイネーブル信号を受信してよい。例えば、セットアッププロセス中、ユーザーは、図３６に示すＧＵＩ等のＧＵＩを使用し、ビデオシェアリング機能を有効に（オンにして）よい。いくつかの実施形態では、ビデオシェアリング機能は、デフォルトで有効にされてよく、これによりユーザーは、ビデオシェアリング機能を有効にするためのいずれの積極的なステップも講じる必要はない。
【０２１０】
図４０をさらに参照すると、ブロックＢ７８２で、ネットワークはさらに、ユーザーのクライアント装置から第１のＡ／Ｖドアベルのビデオシェアリング機能と関連付けられた通知距離（アラート半径）を受信してよい。例えば、セットアッププロセス中、ユーザーは、図３６に示すＧＵＩ等のＧＵＩを使用し、アラート半径を選択してよい。いくつかの実施形態では、アラート半径は、自動的にデフォルト値に設定されることもあれば、上述した基準に従って自動的に設定されることもあり、これによりユーザーは、アラート半径を設定するためのいずれの積極的なステップを講じる必要もない。ブロックＢ７８４で、ネットワークは、第１のＡ／Ｖドアベルについての、その位置及び／またはそのアラート半径を含んだ受信された情報で１つ以上のデータ構造（アラート領域）を更新してよい。
【０２１１】
アラート半径は、この例では第２のＡ／Ｖドアベルと呼ばれる少なくとも１つの他のユーザーのＡ／Ｖ記録通信装置を取り囲む、第１のＡ／Ｖドアベルの回りに領域を画定する。第２のＡ／Ｖドアベルは、ビデオ映像を記録してよく、第２のＡ／Ｖドアベルと関連付けられたユーザーは、本明細書に説明するプロセスに従って記録されたビデオ映像をシェアしてよい。したがって、図４０をさらに参照すると、ブロックＢ７８６で、ネットワークは、第２のクライアント装置からシェア信号を受信してよい。ネットワークは、ブロックＢ７８８で、第２のＡ／Ｖドアベルが第１のＡ／Ｖドアベルの回りに画定されたアラート領域内にあると判断した後、次いでブロックＢ７９０で、第１のＡ／Ｖドアベルと関連付けられたクライアント装置にシェア通知信号を送信してよい。
【０２１２】
図４１は、本開示の態様に係るＡ／Ｖ記録通信ドアベルからのビデオ映像をシェアするための別のプロセスを示すシーケンス図である。図４１のプロセスは、ユーザーのクライアント装置７５４（ユーザーのクライアント装置＃１）が、ユーザーのＡ／Ｖ記録通信装置（Ａ／Ｖドアベル＃１）と関連付けられた情報７５８をネットワーク７５６に送信する（及びネットワーク７５６がユーザーのクライアント装置７５４から受信する）ことと、ユーザーのクライアント装置７５４がさらに、ユーザーのＡ／Ｖ記録通信装置のビデオシェアリング機能のためのイネーブル信号７６０をネットワーク７５６に送信する（及びネットワーク７５６がさらに、ユーザーのクライアント装置７５４から受信する）ことと、ユーザーのクライアント装置７５４がさらに、ユーザーのＡ／Ｖ記録通信装置のビデオシェアリング機能と関連付けられた通知距離（アラート半径）７６２をネットワーク７５６に送信する（及びネットワーク７５６がさらに、ユーザーのクライアント装置７５４から受信する）ことと、第２のクライアント装置７６４（ユーザーのクライアント装置＃２）が、シェア信号７６６をネットワーク７５６に送信する（及びネットワーク７５６が、第２のクライアント装置７６４からシェア信号７６６を受信する）ことと、ネットワーク装置（複数可）７５６が、ユーザーのクライアント装置７５４にシェア通知信号７６８を送信することと、を含んだ、図３８のプロセスの態様を含む。
【０２１３】
図４１のプロセスはさらに、ユーザーのクライアント装置７５４がネットワーク７５６にプレイバック要求信号７９２を送信する（及びネットワーク７５６が、ユーザーのクライアント装置７５４からプレイバック要求信号を受信する）ことと、ネットワーク装置（複数可）７５６が、ユーザーのクライアント装置７５４からプレイバック要求信号７９２を受信することに応えて、ユーザーのクライアント装置７５４にビデオ信号７９４を送信することであって、ビデオ信号７９４が、Ａ／Ｖドアベル  ＃２によって記録されるシェアビデオ映像を含む、該送信することと、を含む。例えば、ユーザーのクライアント装置＃１  ７５４は、例えばプッシュ通知であってよいシェア通知信号７６８を受信してよい。ユーザーのクライアント装置＃１  ７５４と関連付けられたユーザーは、次いで例えばプッシュ通知内の「いま見る」ボタン（または「ＯＫ」ボタン等）を選択することによってシェアビデオ映像を見ることを選んでよい。代わりに、ユーザーは、シェア通知信号７６８を無視してよいが、その後、上記に説明したように、ユーザーのクライアント装置＃１  ７５４で実行中のアプリケーションの中の１つ以上の画面／メニューを通してシェアビデオ映像を見ることを要求してよい。プレイバック要求信号７６８は、次いでネットワーク７５６に送信され、シェアビデオ映像は、ビデオ信号７９４でユーザーのクライアント装置＃１  ７５４に送信される。
【０２１４】
図４２は、本開示の態様に係るＡ／Ｖ記録通信ドアベルからのビデオ映像をシェアするための別のプロセスを示すフローチャートである。図４２のプロセスは、ネットワーク装置（複数可）の視点から説明する。したがって、ブロックＢ７７８で、ネットワークは、ユーザーのクライアント装置からユーザーのＡ／Ｖ記録通信装置（第１のＡ／Ｖドアベル）と関連付けられた情報を受信する。情報は、例えば第１のＡ／Ｖドアベルの位置を含んでよい。位置は、例えば固定されている等、第１のＡ／Ｖドアベルが関連付けられる建物の所在地住所を含んでよい。ブロックＢ７８０で、ネットワークはさらに、ユーザーのクライアント装置から、第１のＡ／Ｖドアベルのビデオシェアリング機能のためのイネーブル信号を受信してよい。例えば、セットアッププロセス中、ユーザーは、図３６に示すＧＵＩ等のＧＵＩを使用し、ビデオシェアリング機能を有効に（オンにして）よい。いくつかの実施形態では、ビデオシェアリング機能は、デフォルトで有効にされてよく、これによりユーザーは、ビデオシェアリング機能を有効にするためのいずれの積極的なステップも講じる必要はない。
【０２１５】
図４２をさらに参照すると、ブロックＢ７８２で、ネットワークはさらに、ユーザーのクライアント装置から第１のＡ／Ｖドアベルのビデオシェアリング機能と関連付けられた通知距離（アラート半径）を受信してよい。例えば、セットアッププロセス中、ユーザーは、図３６に示すＧＵＩ等のＧＵＩを使用し、アラート半径を選択してよい。いくつかの実施形態では、アラート半径は、自動的にデフォルト値に設定されることもあれば、上述した基準に従って自動的に設定されることもあり、これによりユーザーは、アラート半径を設定するためのいずれの積極的なステップを講じる必要もない。ブロックＢ７８４で、ネットワークは、第１のＡ／Ｖドアベルについての、その位置及び／またはそのアラート半径を含んだ受信された情報で１つ以上のデータ構造（アラート領域）を更新してよい。
【０２１６】
アラート半径は、この例では第２のＡ／Ｖドアベルと呼ばれる少なくとも１つの他のユーザーのＡ／Ｖ記録通信装置を取り囲む、第１のＡ／Ｖドアベルの回りに領域を画定する。第２のＡ／Ｖドアベルは、ビデオ映像を記録してよく、第２のＡ／Ｖドアベルと関連付けられたユーザーは、本明細書に説明するプロセスに従って記録されたビデオ映像をシェアしてよい。したがって、図４０をさらに参照すると、ブロックＢ７８６で、ネットワークは、第２のクライアント装置からシェア信号を受信してよい。ネットワークは、ブロックＢ７８８で、第２のＡ／Ｖドアベルが第１のＡ／Ｖドアベルの回りに画定されたアラート領域内にあると判断した後、次いでブロックＢ７９０で、第１のＡ／Ｖドアベルと関連付けられたクライアント装置にシェア通知信号を送信してよい。ブロックＢ７９６で、ネットワークは、第１のクライアント装置からプレイバック要求信号を受信する。ブロックＢ７９８で、ネットワークは、第１のクライアント装置にビデオ信号を送信する。
【０２１７】
図４３は、本実施形態に係る音声／ビデオ記録通信装置からのビデオ映像をシェアするためのシステム８００を示す機能ブロック図である。システム８００はさらに、１つ以上の構成要素を含んだバックエンドＡＰＩ８０２を含んでよい。バックエンドＡＰＩ（アプリケーションプログラミングインタフェース）は、例えばサーバ（例えば、リアルサーバもしくはバーチャルマシンもしくはサービスとしてクラウドインフラストラクチャで実行中のマシン）、またはそれにアクセスするクライアント（複数可）に少なくとも１つのＡＰＩを曝露する互いにネットワーク化された複数のサーバを含んでよい。これらのサーバは、例えばキャッシュ層、またはデータベース層、または他の構成要素等、どんな他の構成要素が含まれるのかに応じて、例えばアプリケーションサーバ（例えば、ソフトウェアサーバ）等の構成要素を含んでよい。バックエンドＡＰＩは、例えば多くの係るアプリケーションを含んでよく、そのそれぞれが、パブリックなＡＰＩを使用し、互いと通信する。いくつかの実施形態では、ＡＰＩバックエンドは、ユーザーデータの大半を保持し、ユーザー管理機能を提供し、クライアントに非常に限られた状態を有させておいてよい。
【０２１８】
図４３に示すバックエンドＡＰＩ８０２は、１つ以上のＡＰＩ８０４を含んでよい。ＡＰＩは、ソフトウェア及びアプリケーションを構築するためにルーチン、プロトコル、及びツールのセットである。ＡＰＩは、その動作、入力、出力、及び基底型に関してソフトウェア構成要素を表し、そのそれぞれの実施態様とは無関係である機能性を定義し、これが、定義及び実施態様がインタフェースを損なうことなく変わることを可能にする。有利なことに、ＡＰＩは、プログラマがアプリケーション自体を修正する必要なくアプリケーションの機能性へのアクセスを提供してよい、またはアプリケーションがどのように機能するのかを理解してもよい。ＡＰＩは、ウェブベースのシステム、オペレーティングシステム、またはデータベースシステム用であってよく、ＡＰＩは、所与のプログラミング言語を使用し、そのシステムのためにアプリケーションを開発するためのファシリティを提供する。データベースまたはハードディスクドライブもしくはビデオカードのようなコンピュータハードウェアにアクセスすることに加えて、ＡＰＩは、ＧＵＩ構成要素をプログラムする作業を軽減できる。例えば、ＡＰＩは、新しい機能の既存のアプリケーションへの統合を促進できる（いわゆる「プラグインＡＰＩ］）。また、ＡＰＩは、それ以外の場合、別個のアプリケーションがデータをシェアするのを支援することもでき、これは、アプリケーションの機能性を統合し、強化するのに役立つ場合がある。
【０２１９】
図４３に示すバックエンドＡＰＩ８０２はさらに、（ネットワークサービスとも呼ばれる）１つ以上のサービス８０６、８０８を含んでよい。ネットワークサービスは、データの記憶、操作、提示、通信、及び／または他の機能を提供するアプリケーションである。ネットワークサービスは、多くの場合、アプリケーション層ネットワークプロトコルに基づいてクライアント―サーバアーキテクチャを使用し、実装される。各サービスは、（例えば、複数のサービスを提供する専用のサーバコンピュータ等の）１つ以上のコンピュータで実行中のサーバ構成要素によって提供され、他の装置で実行中のクライアント構成要素によってネットワークを介してアクセスされてよい。しかしながら、クライアント構成要素及びサーバ構成要素は両方とも同じマシンで実行できる。クライアント及びサーバは、ユーザーインタフェース及びときにはそれらと関連付けられた他のハードウェアを有してよい。
【０２２０】
図４３に示すバックエンドＡＰＩ８０２は、アラート領域サービス８０６を含む。アラート領域サービス８０６は、複数のＡ／Ｖ記録通信装置についての情報を記憶する１つ以上のデータ構造８１０を含んでよい。例えば、情報は（各装置の所在地住所等の）各装置の位置、及び各装置の回りのアラート半径のサイズを含んでよい。アラート領域サービス８０６は、以下にさらに説明するように、第１のユーザーが記録されたビデオ映像をシェアするときに、どのユーザーがシェア通知を受け取るのかを判断するために、必要時にデータ構造（複数可）８１０内の情報にアクセスしてよい。また、アラート領域サービス８０６は、新しいＡ／Ｖ記録通信装置が作動されるとき、既存のＡ／Ｖ記録通信装置が機能を停止されるとき、及び／または既存のＡ／Ｖ記録通信装置の回りのアラート半径が変更されるとき、データ構造（複数可）８１０に情報を維持し、データ構造（複数可）８１０内の情報を更新してもよい。
【０２２１】
図４３のシステム８００では、第１のＡ／Ｖ記録通信装置８１２（Ａ／Ｖドアベル８１２  ＃１）が、音声を含む場合もあるビデオ映像を記録してよい。ドアベル８１２は、ＡＰＩ８０４に第１のアラート信号及び第１のビデオ信号８１４を送信し、ＡＰＩ８０４は第１のアラート信号及び第１のビデオ信号８１４を受信する。第１のビデオ信号は、ドアベル８１２のカメラによって取り込まれる画像（ビデオ映像）を含む。ＡＰＩ８０４は、第１のアラート信号及び第１のビデオ信号８１４を受信することに応えて、第１のクライアント装置８１６（ユーザーのクライアント装置＃１）に第２のアラート信号及び第２のビデオ信号８１８を送信する。第２のアラート信号は、例えばプッシュ通知であってよい。第２のビデオ信号は、ドアベル８１２のカメラによって取り込まれる画像を含む。第１のクライアント装置８１６と関連付けられたユーザーは、ドアベル８１２（Ａ／Ｖドアベル＃１）の所有者／ユーザーであってよい。ユーザーは、第２のアラート信号を受信すると、第２のアラート信号に答えることを選んでよく、これが、例えばドアベル８１２でユーザーとビジターとの間のライブコールを開いてよい。代わりに、ユーザーは、第２のアラート信号を無視してよい（例えば、コールに答えないことを選んでよい）。ユーザーが第２のアラート信号を無視する場合も、ユーザーは、後で第２のビデオ信号のビデオ映像を見ることができる。ユーザーが、自分のクライアント装置８１６のディスプレイでビデオ映像を見た後（または見ている間）、他のユーザーとビデオ映像のシェアリングを決定する場合がある。例えば、ユーザーは、自分のクライアント装置８１６で実行中のアプリケーションの中から「シェア」ボタンをタップしてよい。第１のクライアント装置８１６は、次いでＡＰＩ８０４にシェア信号８２０を送信し、ＡＰＩ８０４は第１のクライアント装置８１６からシェア信号８２０を受信する。シェア信号８２０は、ドアベル８１２（Ａ／Ｖドアベル＃１）のカメラによって取り込まれる画像を説明するテキストを含んでよい。第１のクライアント装置８１６からシェア信号８２０を受信することに応えて、ＡＰＩ８０４は、アラート領域サービス８０６に識別情報８２２を送信する。例えば、識別情報８２２は、Ａ／Ｖドアベル＃１と関連付けられたユーザーのための識別子、及び他のユーザーとシェアされるビデオ映像のための識別子を含んでよい。代わりに、識別情報８２２は、（Ａ／Ｖドアベル＃１と関連付けられたユーザーのための識別子よりもむしろ）Ａ／Ｖドアベル＃１のための識別子、及び他のユーザーとシェアされるビデオ映像のための識別子を含んでよい。アラート領域サービス８０６は、アラート領域データ構造（複数可）８１０にアクセスし、識別情報８２２に基づいて、シェアビデオ映像の通知を受け取る他のユーザーを決定する。例えば、アラート領域サービス８０６は、アラート領域データ構造（複数可）８１０に記憶される情報を使用し、Ａ／Ｖドアベル＃１  ８１２が、少なくとも１つの他のＡ／Ｖ記録通信装置の回りに画定されたアラート半径内にあると判断してよい。他の装置（複数可）が識別されると、アラートサービス８０６は、プッシュ通知サービス８０��にシェア通知信号８２４を送信してよい。シェア通知信号８２４は、ドアベル８１２（Ａ／Ｖドアベル＃１）のカメラによって取り込まれる画像を説明するテキストを含んでよい。プッシュ通知サービス８０８は、次いで複数のプロバイダプッシュ通知サービス８２６に１つ以上のプッシュ通知８２５を転送してよい。プロバイダプッシュ通知サービス８２６は、異なるオペレーティングシステムを実行するクライアント装置にプッシュ通知を送信するように構成される。例えば、Ａｎｄｒｏｉｄデバイスは、Ａｎｄｒｏｉｄプッシュ通知サービス８２６からプッシュ通知を受け取ってよく、ｉＯＳデバイスは、ｉＯＳプッシュ通知サービス８２６からプッシュ通知を受け取ってよい。Ａｎｄｒｏｉｄは、Ｌｉｎｕｘ（登録商標）カーネルに基づいてＧｏｏｇｌｅによって開発されたモバイルオペレーティングシステム（ＯＳ）である。一方、ｉＯＳは、Ａｐｐｌｅ  Ｉｎｃ．によって作成され、開発されたモバイルオペレーティングシステムであり、Ａｐｐｌｅハードウェアのために独占的に流通されている。プロバイダプッシュ通知サービス８２６は、アラート領域サービス８０６によって識別される他のドアベル（複数可）と関連付けられたクライアント装置８３０にプッシュ通知８２８を送信する。他のユーザー（複数可）は、プッシュ通知８２８を受信すると、シェアビデオ映像を見ることを選んでよい。代わりに、他のユーザー（複数可）は、プッシュ通知８２８を無視してよい。他のユーザー（複数可）がプッシュ通知８２８を無視する場合も、ユーザーは、後でシェアビデオ映像を見ることができる。（すぐにシェアビデオ映像を見るまたは後でシェアビデオ映像を見る）どちらの場合も、クライアント装置８３０の１つ以上はバックエンドＡＰＩ８０２にプレイバック要求信号（不図示）を送信する（及びバックエンドＡＰＩ８０２は、クライアント装置８３０の１つ以上からプレイバック要求信号を受信する）。クライアント装置８３０の１つ以上からプレイバック要求信号を受信することに応えて、バックエンドＡＰＩ８０２は、クライアント装置８３０の１つ以上にビデオ信号（不図示）を送信する。ビデオ信号は、シェアビデオ映像を含む。特定の実施形態では、アラート領域サービス８０６は、１つ以上のクライアント装置８３０からプレイバック要求信号を受信し、クライアント装置８３０の１つ以上のビデオ信号を送信してよい。他のユーザー（複数可）が、シェアビデオ映像に対する参照を含んでよいプッシュ通知を開く場合、他のユーザー（複数可）のクライアント装置８３０は、シェアビデオ映像をプレイバックできるようにシェアビデオ映像についてシェアビデオ映像のＵＲＬ（ユニフォームリソールロケータ）及び（存在する場合）任意の他のメタデータを得るためにＡＰＩ８０４を使用してよい。他のユーザー（複数可）が、近隣活動画面７１６（図３４）からシェアビデオ映像を開く場合、類似するプロセスが発生する場合があるが、シェアビデオ映像への参照は活動フィード項目であってよい。
【０２２２】
いくつかの実施形態では、Ａ／Ｖ記録通信装置は、ビジターが検出されることに応えてではなく、むしろユーザーが、自分のクライアント装置を使用し、ライブビデオ映像を見るために装置のカメラにアクセスするとき（例えば、「オンデマンド」表示）、ビデオ映像の記録を開始してよい。係る実施形態では、ビデオをシェアするためのプロセスは、ユーザーがライブビデオ映像のシェアリングが後に続く、ユーザーが、自分のクライアント装置を使用し、ライブビデオ映像を見る（例えば、「オンデマンド」表示）ために装置のカメラにアクセスするステップを含んでよい。例えば、ユーザーは、（図２０及び図２１に関して上述したシェアボタン５８４と同様に）ユーザーのクライアント装置で実行中のアプリケーションの中からシェアボタンを選択してよく、（図１８に関して上述したステップ５４８と同様に）シェア信号は次いで、ユーザーのクライアント装置から送信され、ネットワーク装置（複数可）によって受信されてよく、（図１８に関して上述したステップ５５０と同様に）シェア通知信号は次いでネットワーク装置（複数可）から送信され、別のクライアント装置（複数可）によって受信されてよい。ビデオオンデマンドの例の実施形態は、米国特許出願第６２／２６７，７６２号及び第６２／２８９，１１４号に記載され、その両方とも完全に記載されたかのようにその全体が参照により本明細書に援用される。
【０２２３】
上述したように、本実施形態は、有利なことにＡ／Ｖ記録通信装置のユーザーが互いとビデオ映像をシェアできるようにする。この特徴は、疑わしい活動の社会の認識を高めることによって犯罪の削減に役立つ場合がある。ユーザーは、独自のＡ／Ｖ記録通信装置（複数可）の回りのアラート半径のサイズを増加及び減少させることによって、ユーザーが受け取るアラート（シェアビデオの通知）の数及び頻度を調整できる。ユーザーは、ユーザーが設定したアラート領域内に位置する他のＡ／Ｖ記録通信装置によって記録されたビデオから生じるアラートだけを受け取る。ユーザーは、所望されるほど頻繁に、または所望されるほどまれに他のユーザーからのシェアビデオをシェアしてよく、ユーザーは、所望されるほど頻繁にまたは所望されるほどまれに他のユーザーからのシェアビデオを見てよい。ユーザーがアラートを受け取ると、ユーザーは直ちに添付のビデオを見ることまたはアラートを無視することを選ぶことができる。ユーザーがアラートを無視する場合も、ユーザーは、ユーザーのクライアント装置で実行中のアプリケーションの中の１つ以上のメニュー画面を使用し、後でビデオを見ることができる。本実施形態は、有利なことにこのようにして、犯罪率を削減するために使用できる、及びユーザーの個人的な好みを満たすために各ユーザーによって調整できるツールを提供する。
【０２２４】
本実施形態は、ソーシャルメディア及び／またはソーシャルネットワーク（複数可）を介するビデオのシェアリングを含んだ、ビデオをシェアするための多数の方法を説明する。ソーシャルネットワークは、例えばＮＥＸＴＤＯＯＲ（登録商標）、ＦＡＣＥＢＯＯＫ（登録商標）、ＩＮＳＴＡＧＲＡＭ（登録商標）、ＴＷＩＴＴＥＲ（登録商標）等を含んでよい。また、ソーシャルネットワークは、例えばビデオドアベル及び防犯カメラ等のＡ／Ｖ記録通信装置のユーザーから成るネットワークを含んでもよい。例えば、ユーザーが図２０、図２１、図２５、及び図２６に関して上述した近隣シェアボタン５８４を介してビデオをシェアするとき、ビデオは、ソーシャルネットワークのメンバーが、例えばビデオドアベル及び防犯カメラ等のＡ／Ｖ記録通信装置を有するユーザーである、ソーシャルネットワークとシェアされる。本実施形態は、任意の特定の種類またはタイプのソーシャルネットワークに限定されない。さらに、ソーシャルネットワークの参加者は、任意の特定の種類またはタイプのＡ／Ｖ記録通信装置のユーザーに限定されない。
【０２２５】
本実施形態では、シーケンス図及び／またはフローチャートの１つ以上に示すいくつかのステップを省略してよい。例えば、例えば図１８及び図１９に示すような第１のＡ／Ｖ記録通信装置からビデオ映像をシェアするためのプロセスでは、例えば、第１のアラート信号及び第１のビデオ信号を送信する／受信するステップと、第２のアラート信号及び第２のビデオ信号を送信する／受信するステップは、省略されてよい。したがって、係る実施形態は、シェア信号を送信する／受信するステップ、及びシェア通知信号を送信する／受信するステップだけしか含まない可能性がある。
【０２２６】
図４４は、本開示の種々の態様に従って本実施形態が実施されてよいクライアント装置８５０の機能ブロック図である。図１を参照して説明するユーザーのクライアント装置１１４は、クライアント装置８５０の構成要素及び／または機能性のいくつかまたはすべてを含んでよい。クライアント装置８５０は、例えば、スマートフォンを含んでよい。
【０２２７】
図４４を参照すると、クライアント装置８５０は、プロセッサ８５２、メモリ８５４、ユーザーインタフェース８５６、通信モジュール８５８、及びデータポート８６０を含む。これらの構成要素は、相互接続バス８６２によって互いに通信で結合される。プロセッサ８５２は、例えばＡＲＭプロセッサ（Ａｄｖａｎｃｅｄ  ＲＩＳＣ  Ｍａｃｈｉｎｅｓ（ＡＲＭ）によって開発されたＲＩＳＣ（縮小命令セットコンピュータ）アーキテクチャをベースにしたプロセッサ）等のスマートフォン及び／または携帯用コンピューティングシステムで使用される任意のプロセッサを含んでよい。いくつかの実施形態では、プロセッサ８５２は、例えば１つ以上の従来のマイクロプロセッサ等の１つ以上の他のプロセッサ、及び／または例えば数値演算コプロセッサ等の１つ以上の補足的なコプロセッサを含んでよい。
【０２２８】
メモリ８５４は、例えば読み取り専用メモリ（ＲＯＭ）、ハードドライブ、フラッシュメモリ、または任意の他の適切なメモリエレメント／ストレージエレメント等のデータストレージだけではなく、例えばランダムアクセスメモリ（ＲＡＭ）等のオペレーティングメモリも含んでよい。メモリ８５４は、例えばＣｏｍｐａｃｔＦｌａｓｈカード、ＭｕｌｔｉＭｅｄｉａＣａｒｄ（ＭＭＣ）、及び／またはセキュアデジタル（ＳＤ）カード等のリムーバブルメモリエレメントを含んでよい。いくつかの実施形態では、メモリ８５４は、磁気メモリ、光メモリ、及び／または半導体メモリの組み合わせを含んでよく、例えばＲＡＭ、ＲＯＭ、フラッシュドライブ、及び／またはハードディスクもしくはドライブを含んでよい。プロセッサ８５２及びメモリ８５４は、それぞれ例えば完全に単一の装置の中に位置することもあれば、例えばＵＳＢポート、シリアルポートケーブル、同軸ケーブル、Ｅｔｈｅｒｎｅｔタイプケーブル、電話回線、無線周波トランシーバ、または他の類似した無線媒体もしくは有線媒体、または上記の組み合わせ等の通信媒体によって互いに接続されてよい。例えば、プロセッサ８５２は、データポート８６０を介してメモリ８５４に接続されてよい。
【０２２９】
ユーザーインタフェース８５６は、スマートフォン及び／または例えばキーパッド、表示画面、タッチスクリーン、マイク、及びスピーカ等の携帯用コンピューティングデバイスに適した任意のユーザーインタフェースまたは表示要素を含んでよい。通信モジュール８５８は、クライアント装置８５０と他の外部装置または受信機との間の通信リンクを扱う、及び入信データ／発信データを適切に送るように構成される。例えば、データポート８６０からのインバウンドデータは、プロセッサ８５２に向けられる前に通信モジュール８５８を通して送られてよく、プロセッサ８５２からのアウトバウンドデータは、データポート８６０に向けられる前に通信モジュール８５８を通して送られてよい。通信モジュール８５８は、データを送信及び／または受信し、例えばＧＳＭ（登録商標）、ＵＭＴＳ（３ＧＳＭ）、ＩＳ−９５（ＣＤＭＡ  ｏｎｅ）、ＩＳ−２０００（ＣＤＭＡ  ２０００）、ＬＴＥ、ＦＤＭＡ、ＴＤＭＡ、Ｗ−ＣＤＭＡ，ＣＤＭＡ，ＯＦＤＭＡ、Ｗｉ−Ｆｉ、ＷｉＭＡＸ等の１つ以上のプロトコル及び／または技術、または任意の他のプロトコル及び／または技術を使用することができる１つ以上のトランシーバモジュールを含んでよい。
【０２３０】
データポート８６０は、例えばミニＵＳＢポートまたはＩＰＨＯＮＥ（登録商標）／ＩＰＯＤ（登録商標）３０−ピンコネクタまたはＬＩＧＨＴＮＩＮＧ（登録商標）コネクタ等のスマートフォン及び／または携帯用コンピューティングデバイスと物理的にインタフェースをとるために使用される任意のタイプのコネクタであってよい。他の実施形態では、データポート８６０は、例えば他のプロセッサ、サーバ、及び／またはクライアント端末との同時通信のための複数の通信チャネルを含んでよい。
【０２３１】
メモリ８５４は、例えばコンピュータ等の他のシステムと通信するための命令を記憶してよい。メモリ８５４は、例えば本実施形態に従ってプロセッサ８５２に指示するように適応されたプログラム（例えばコンピュータプログラムコード）を記憶してよい。命令は、例えばオペレーティングシステム等のプログラム要素を含んでもよい。プログラム内の一連の命令の実行により、プロセッサ８５２は、本明細書に説明するプロセスステップを実行するが、ハードワイヤードの回路網が、本実施形態のプロセスの実装のためにソフトウェア／ファームウェア命令の代わりにまたはソフトウェア／ファームウェア命令と組み合わせて使用されてよい。したがって、本実施形態は、ハードウェアとソフトウェアの任意の特定の組み合わせに限定されない。
【０２３２】
図４５は、本実施形態が本開示の種々の態様に従って実施されてよい汎用コンピューティングシステムの機能ブロック図である。コンピュータシステム９００は、上述した操作のうちの少なくともいくつかを実行してよい。コンピュータシステム９００は、（デスクトップコンピュータとも呼ばれる）パーソナルコンピュータ９００Ａ、（ラップトップコンピュータまたはノートパソコンとも呼ばれる）ポータブルコンピュータ９００Ｂ、及び／またはサーバ９００Ｃの内の少なくとも１つで実施されてよい。サーバは、他のマシンまたはソフトウェア（クライアント）からの要求を待機し、要求に応えるコンピュータプログラム及び／またはマシンである。サーバは、通常データを処理する。サーバの目的は、クライアントの間でデータ及び／またはハードウェアリソース及び／またはソフトウェアリソースのシェアリングである。このアーキテクチャは、クライアント―サーバモデルと呼ばれる。クライアントは、同じコンピュータで実行することもあれば、ネットワークを介してサーバに接続することもある。コンピューティングサーバの例は、データベースサーバ、ファイルサーバ、メールサーバ、プリントサーバ、ウェブサーバ、ゲームサーバ、及びアプリケーションサーバを含む。用語サーバは、１つ以上のクライアントプロセスに対してリソースをシェアする任意のコンピュータ化されたプロセスを含むと幅広く解釈されてよい。
【０２３３】
コンピュータシステム９００は、少なくとも１つのプロセッサ９１０、メモリ９２０、少なくとも１つの記憶装置９３０、及び入出力（Ｉ／Ｏ）装置９４０を含んでよい。構成要素９１０、９２０、９３０、９４０のうちのいくつかまたはすべては、システムバス９５０を介して相互接続されてよい。プロセッサ９１０は、シングルスレッドコアまたはマルチスレッドコアであってよく、１つ以上のコアを有してよい。プロセッサ９１０は、メモリ９２０に、及び／または記憶装置９３０に記憶される命令等の命令を実行してよい。情報は、１つ以上のＩ／Ｏ装置９４０を使用し、受け取られ、出力されてよい。
【０２３４】
メモリ９２０は、情報を記憶してよく、例えば揮発性メモリまたは不揮発性メモリ等のコンピュータ可読媒体であってよい。記憶装置（複数可）９３０は、システム９００に記憶域を提供してよく、コンピュータ可読媒体であってよい。種々の態様では、記憶装置（複数可）９３０は、フラッシュメモリデバイス、ハードディスクデバイス、光ディスクデバイス、テープデバイス、または任意の他のタイプの記憶装置であってよい。
【０２３５】
Ｉ／Ｏ装置９４０は、システム９００に入出力動作を提供してよい。Ｉ／Ｏ装置９４０は、キーボード、ポインティングデバイス、及び／またはマイクを含んでよい。Ｉ／Ｏ装置９４０はさらに、グラフィックユーザーインタフェースを表示するために表示装置、スピーカ、及び／またはプリンタを含んでよい。外部データは、１つ以上のアクセス可能な外部データベース９６０に記憶されてよい。
【０２３６】
いくつかの実施形態では、ユーザーは、他のユーザーと自分のビデオをシェアするとき、ビデオにタグを付けてよい、または分類してよく、ユーザーは、ユーザーがシェア通知を受け取ることを希望するビデオのタイプ（複数可）に１つ以上の好みを設定してよい。例えば、図４６は、ユーザーがシェア通知を受け取ることを希望するビデオのタイプ（複数可）に１つ以上のユーザーの好みを設定するためのグラフィックユーザーインタフェース（ＧＵＩ）９７０の実施形態を示す。近隣アラート設定画面９７０は、例えば疑わしい活動９７４、住宅侵入窃盗９７６、住宅侵入窃盗未遂９７８、器物損壊９８０、窃盗９８２、及び他９８４を含んだ複数のカテゴリを有するリスト９７２を含む。ユーザーは、示されているカテゴリのうちの１つ以上を選択することによって、そのユーザーとシェアされるビデオのタイプ（複数可）を制限し得る。例えば、ユーザーは、ユーザーが選択したカテゴリのうちの１つ以上に含まれるシェアビデオのためのシェア通知だけを受け取ってよい。図４６に示すＧＵＩに類似したＧＵＩ（不図示）は、ビデオシェアリングプロセス中にユーザーに提供されてよく、これによりシェアビデオにタグをつけるまたは分類することがでる。いくつかの実施形態では、ユーザーは、シェアビデオを分類しないことを選んでよい。いくつかの実施形態では、ユーザーが通知されることを希望するビデオのタイプに好みを設定したユーザーは、未分類のシェアビデオのシェア通知を受け取ってよい。代替実施形態では、ユーザーが通知されることを希望するビデオのタイプに好みを設定したユーザーは、未分類のシェアビデオのシェア通知を受け取らない場合がある。
【０２３７】
いくつかの実施形態では、ユーザーは、自身のＡ／Ｖ記録通信装置がどこに位置するのかに関係なく、シェアビデオを見ることができてよい。さらに追加の実施形態では、自身のＡ／Ｖ記録通信装置を所有していないユーザーでさえ、シェアビデオを見ることができてよい。例えば、シェアビデオは、例えばウェブサイト等の公的にアクセス可能なフォーラムを通じて利用可能であってよい。別の例では、シェアビデオは、自分のクライアント装置でアプリケーションを実行しているユーザーによってアクセスされてよい。ビデオをシェアしているユーザーは、シェアビデオを公けに利用可能にする、またはシェアビデオを、例えば図１６〜図１９のプロセス等の上述したプロセスを通じて識別されたそれらのユーザーだけに制限するオプションを有してよい。さらに追加の実施形態では、ユーザーは、マップで位置を選択し、位置の回りにアラート半径を指定することによって、ユーザーが指定する任意の領域からシェアビデオを見ることができてよい。さらに追加の実施形態では、ユーザーは、「私の回りのアラート」を有効にしてよい。この機能は、ユーザーの現在位置の所与の半径の中からユーザーにアラートを提供するためにリアルタイムで機能してよい。ユーザーの現在位置は、例えばＧＰＳ技術、及びスマートフォン等のユーザーのモバイルクライアント装置を使用し、決定されてよい。
【０２３８】
いくつかの実施形態では、シェアビデオは、法執行機関によってアクセスされる場合がある。例えば、ビデオをシェアしているユーザーは、ウェブポータルを通じて法執行機関がシェアビデオを利用できるようにするオプションを有してよい。法執行機関は、シェアビデオを見るためにウェブポータルを通してログインできる場合がある。例えば、ウェブポータルは、シェアビデオのすべての位置を示すマップビューを含んでよい。マップビューは、シェアビデオの位置に対応する選択可能なマーカーまたはアイコンを含んでよい。アイコンのうちの１つを選択すると、ビデオプレーヤーが開かれ、選択したアイコンに対応するシェビデオのプレイバックが始まってよい。異なる法執行機関、部門、またはグループは、各機関、部署、またはグループの管轄範囲内にある地理的な位置等の特定のゾーンへのアクセスを許可する異なるログインを有してよい。
【０２３９】
いくつかの実施形態では、ユーザーは、特定の他のユーザーから、及び／または特定の位置からビデオを遮断できてよい。
【０２４０】
いくつかの実施形態では、ユーザーがビデオのシェアを試みるとき、ビデオは他のユーザーとシェアされる前に審査を受ける場合がある。例えば、図１８を参照すると、ネットワーク５４２がシェア信号５４８を受信するとき、管理者はその後、シェア通知信号５５０が他のユーザーのうちの任意のクライアント装置に送信されてよい前にビデオを見直す場合がある。ビデオが任意の方針に違反する場合、管理者は、シェア通知信号５５０が他のユーザーの任意のクライアント装置に送信されるのを防いでよい。ビデオが１つ以上の方針または指針に準拠していなかったことを説明する例えばｅ―メール等の通知が、ビデオをシェアしたユーザーに送信されてよい。管理者審査の要件は、すべてのユーザーに、または例えば１つ以上の不適切なビデオのシェアを試みたことのあるユーザー等の一部のユーザーだけに選択的に適用する場合がある。追加の実施形態では、管理者は、（例えば、１つ以上の不適切なビデオのシェアを試みる等）繰り返される方針違反等のためにユーザーがビデオをシェアするのを禁じる場合がある。
【０２４１】
本明細書に説明する本実施形態の特徴は、デジタル電子回路網で、及び／またはコンピュータハードウェア、ファームウェア、ソフトウェアで、及び／またはその組み合わせで実施される場合がある。本実施形態の特徴は、プログラム可能なプロセッサによる実行のために、例えばマシン可読記憶装置として、及び／または伝播される信号で等、情報担体で有形に実施されるコンピュータプログラム製品で実施されてよい。本方法ステップの実施形態は、プログラム可能なプロセッサが、入力データに作用し、出力を生じさせることによって、説明する実施態様の機能を実行する命令のプログラムを実行することによって実行されてよい。
【０２４２】
本明細書に記載する本実施形態の特徴は、データストレージシステムからのデータ及び／または命令を受信し、データストレージシステムにデータ及び／または命令を送信するように結合された少なくとも１つのプログラム可能なプロセッサ、少なくとも１つの入力装置、及び少なくとも１つの出力装置を含んだプログラム可能なシステムで実行可能である１つ以上のコンピュータプログラムで実施されてよい。コンピュータプログラムは、特定の活動を実行するためにまたは特定の結果を引き出すためにコンピュータで直接的にまたは間接的に使用されてよい命令のセットを含んでよい。コンピュータプログラムは、コンパイル型言語もしくはインタプリタ型言語を含んだ任意の形式のプログラミング言語で作成されてよく、コンピュータプログラムは、スタンドアロンプログラムまたはモジュール、構成要素、サブルーチン、もしくはコンピューティング環境での使用に適した他のユニットとしてを含んだ任意の形式で展開されてよい。
【０２４３】
命令のプログラムの実行に適したプロセッサは、例えば汎用プロセッサと特殊目的プロセッサの両方、及び／または単独のプロセッサもしくは任意の種類のコンピュータの複数のプロセッサのうちの１つを含んでよい。概して、プロセッサは、読み出し専用メモリ（ＲＯＭ）またはランダムアクセスメモリ（ＲＡＭ）または両方から命令及び／データを受け取ってよい。係るコンピュータは、命令を実行するためのプロセッサ、ならびに命令及び／またはデータを記憶するための１つ以上のメモリを含んでよい。
【０２４４】
概して、コンピュータは、データファイルを記憶するための１つ以上の大量記憶装置を含む場合もあれば、該１つ以上の大量記憶装置と通信するために動作可能なように結合される場合もある。係る装置は、例えば、内部ハードディスク及び／またはリムーバブルディスク、光磁気ディスク等の磁気ディスク、及び／または光ディスクを含む。コンピュータプログラム命令及び／またはデータを有形に実施するのに適した記憶装置は、例えばＥＰＲＯＭ、ＥＥＰＲＯＭ、及びフラッシュメモリデバイス等の半導体メモリデバイス、例えば内部ハードディスク及びリムーバブルディスク、光磁気ディスク等の磁気ディスク、ならびにＣＤ−ＲＯＭディスク及びＤＶＤ−ＲＯＭディスクを含んだすべての形式の不揮発性メモリを含んでよい。プロセッサ及びメモリは、１つ以上のＡＳＩＣ（特定用途向け集積回路）によって補足されてよい、または１つ以上のＡＳＩＣ（特定用途向け集積回路）に組み込まれてよい。
【０２４５】
ユーザーとの対話を提供するために、本実施形態の特徴は、ユーザーに情報を提供するための、例えばＬＣＤ（液晶ディスプレイ）モニタ等の表示装置を有するコンピュータで実施されてよい。コンピュータはさらに、キーボード、例えばマウスもしくはトラックボール等のポインティングデバイス、及び／またはそれによりユーザーがコンピュータに入力を提供し得るタッチスクリーンを含んでよい。
【０２４６】
本実施形態の特徴は、例えばデータサーバ等の、バックエンド構成要素を含む、及び／または例えばアプリケーションサーバもしくはインターネットサーバとして等のミドルウェア構成要素を含む、及び／または例えばグラフィックユーザーインタフェース（ＧＵＩ）及び／またはインターネットブラウザを有するクライアントコンピュータ等のフロントエンド構成要素を含むコンピュータシステムで、またはこれらの任意の組み合わせで実施されてよい。システムの構成要素は、例えば通信ネットワーク等のデジタル通信の任意の形式または媒体によって接続されてよい。通信ネットワークの例は、例えば、ＬＡＮ（ローカルエリアネットワーク）、ＷＡＮ（広域ネットワーク）、及び／またはインターネットを形成するコンピュータ及びネットワークを含んでよい。
【０２４７】
コンピュータシステムは、クライアント及びサーバを含んでよい。クライアント及びサーバは、互いに遠く離れ、例えば本明細書に説明するネットワーク等のネットワークを通して対話してよい。クライアントとサーバの関係は、それぞれのコンピュータ上で動作し、互いに対してクライアントとサーバの関係を有するコンピュータプログラムにより生じてよい。
【０２４８】
上記説明は、実施形態が属する分野の任意の当業者がこれらの実施形態を実施できるようにするために、係る完全、明白、簡潔、及び正確な用語で、本実施形態を実施するために意図された最善の態様、ならびに本実施形態を実施する方法及びプロセスの最善の態様を提示する。しかしながら、本実施形態は、完全に同等である、上述した実施形態からの修正及び代替構造の影響を受けやすい。結果的に、本発明は開示する特定の実施形態に限定されない。それどころか、本発明は、本開示の精神及び範囲内のすべての修正及び代替構成をカバーする。例えば、本明細書に説明するプロセスのステップは、それらが提示されたのと同じ順序で実行される必要はなく、任意の順序（複数可）で実行されてよい。さらに、別々に実行されるとして提示されたステップは、代替実施形態では同時に実行されてよい。同様に、同時に実行されるとして提示されたステップは、代替実施形態で別々に実行されてよい。
【図１】
2019514239.tif 000003
【図２】
2019514239.tif 000004
【図３】
2019514239.tif 000005
【図４】
2019514239.tif 000006
【図５】
2019514239.tif 000007
【図６】
2019514239.tif 000008
【図７】
2019514239.tif 000009
【図８Ａ】
2019514239.tif 000010
【図８Ｂ】
2019514239.tif 000011
【図９Ａ】
2019514239.tif 000012
【図９Ｂ】
2019514239.tif 000013
【図１０Ａ】
2019514239.tif 000014
【図１０Ｂ】
2019514239.tif 000015
【図１１】
2019514239.tif 000016
【図１２】
2019514239.tif 000017
【図１３】
2019514239.tif 000018
【図１４】
2019514239.tif 000019
【図１５】
2019514239.tif 000020
【図１６】
2019514239.tif 000021
【図１７】
2019514239.tif 000022
【図１８】
2019514239.tif 000023
【図１９】
2019514239.tif 000024
【図２０】
2019514239.tif 000025
【図２１】
2019514239.tif 000026
【図２２】
2019514239.tif 000027
【図２３】
2019514239.tif 000028
【図２４】
2019514239.tif 000029
【図２５】
2019514239.tif 000030
【図２６】
2019514239.tif 000031
【図２７】
2019514239.tif 000032
【図２８】
2019514239.tif 000033
【図２９】
2019514239.tif 000034
【図３０】
2019514239.tif 000035
【図３１】
2019514239.tif 000036
【図３２】
2019514239.tif 000037
【図３３】
2019514239.tif 000038
【図３４】
2019514239.tif 000039
【図３５】
2019514239.tif 000040
【図３６】
2019514239.tif 000041
【図３７】
2019514239.tif 000042
【図３８】
2019514239.tif 000043
【図３９】
2019514239.tif 000044
【図４０】
2019514239.tif 000045
【図４１】
2019514239.tif 000046
【図４２】
2019514239.tif 000047
【図４３】
2019514239.tif 000048
【図４４】
2019514239.tif 000049
【図４５】
2019514239.tif 000050
【図４６】
2019514239.tif 000051
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
第１のユーザーと関連する音声／ビデオ（Ａ／Ｖ）記録通信装置からの記録されたビデオ映像をシェアするためのコンピュータプログラムアプリケーションであって、前記コンピュータプログラムアプリケーションが、クライアント装置のプロセッサによって実行可能なコードで実施され、該コードが、実行時、前記クライアント装置に、
ユーザーアラートを提供し、前記クライアント装置のディスプレイに、前記第１のユーザーと関連する前記Ａ／Ｖ記録通信装置のカメラによって記録されるストリーミングビデオ映像を表示させ、
前記ユーザーアラートに対する回答の入力を受け取らせ、
前記ユーザーアラートに対する前記回答に応えて、前記クライアント装置の前記ディスプレイに、前記第１のユーザーにライブコールが記録されたビデオ映像を前記Ａ／Ｖ記録通信装置に関連する１人以上の他のユーザーとシェアすることを可能とする近隣シェアボタンを含む、ライブコール画面を表示させ、
前記ライブコール中に、前記近隣シェアボタンの選択の入力を受け取らせ、
前記近隣シェアボタンの前記選択の前記入力に応えて、及び前記ライブコール終了後に、前記クライアント装置の前記ディスプレイに、前記ライブコールの記録された前記ビデオ映像が前記Ａ／Ｖ記録通信装置に関連する１人以上の他のユーザーとシェアされることを示すシェア情報を表示させ、
シェアコマンドの入力を受け取らせ、
ネットワークが前記シェアされた記録ビデオ映像を通知される前記１人以上の他のユーザーを識別できるようにするための情報を含んだシェア信号を前記ネットワークに送信させる、
クライアント装置のプロセッサによって実行可能なコードで実施される、コンピュータプログラムアプリケーション。
【請求項２】
前記ライブコール画面がさらに、コール終了ボタン、音量調整ボタン、ミュートボタン、フルスクリーンボタン、及びメニューボタンのうちの少なくとも１つを含む、請求項１に記載のコンピュータプログラムアプリケーション。
【請求項３】
前記コンピュータプログラムアプリケーションコードが、前記クライアント装置の前記プロセッサによる実行時、さらに前記クライアント装置に、前記近隣シェアボタンの前記選択の前記入力に応えて前記クライアント装置の前記ディスプレイに、前記ライブコールの前記記録されたビデオ映像を前記１人以上の他のユーザーとシェアするためにプロンプトが前記ライブコール後に提供される旨の通知を表示させる、請求項１に記載のコンピュータプログラムアプリケーション。
【請求項４】
前記通知が、前記ライブコールのバナー部分に表示される、請求項３に記載のコンピュータプログラムアプリケーション。
【請求項５】
前記通知が前記ライブコールを中断しない、請求項３に記載のコンピュータプログラムアプリケーション。
【請求項６】
第１のユーザーと関連する音声／ビデオ（Ａ／Ｖ）記録通信装置からの記録されたビデオ映像をシェアするためのコンピュータプログラムアプリケーションであって、前記コンピュータプログラムアプリケーションが、クライアント装置のプロセッサによって実行可能なコードで実施され、該コードが、実行時、前記クライアント装置に、
前記クライアント装置のディスプレイの近隣シェアボタンを含んだビデオプレイバック画面に、前記記録されたビデオ映像の少なくとも一部分をプレイバックさせ、前記近隣シェアボタンは前記第１のユーザーにライブコールが記録されたビデオ映像を前記Ａ／Ｖ記録通信装置に関連する１人以上の他のユーザーとシェアすることを可能とし、
前記近隣シェアボタンの選択の入力を受け取らせ、
前記近隣シェアボタンの前記選択の前記入力に応えて、前記クライアント装置の前記ディスプレイに、前記記録されたビデオ映像が前記Ａ／Ｖ記録通信装置に関連する前記１人以上の他のユーザーとシェアされることを示すシェア情報を表示させ、
シェアコマンドの入力を受け取らせ、
ネットワークが前記シェアされた記録ビデオ映像を通知される前記１人以上の他のユーザーを識別できるようにするための情報を含んだシェア信号を前記ネットワークに送信させる、
クライアント装置のプロセッサによって実行可能なコードで実施される、前記コンピュータプログラムアプリケーション。
【請求項７】
前記シェア情報がさらに、前記記録されたビデオ映像からの静止画像を含む、請求項６に記載のコンピュータプログラムアプリケーション。
【請求項８】
前記シェア情報がさらに、前記記録されたビデオ映像が、前記記録されたビデオ映像が記録された場所についての一般的な表示とともにシェアされる旨の通知を含む、請求項６に記載のコンピュータプログラムアプリケーション。
【請求項９】
前記コンピュータプログラムアプリケーションコードが、前記クライアント装置の前記プロセッサによる実行時、さらに前記クライアント装置に、前記シェアコマンドの前記入力の受け取り後に、前記記録されたビデオ映像のシェアを解除するオプションを提供するメッセージを表示させる、請求項１に記載のコンピュータプログラムアプリケーション。
【請求項１０】
前記シェアコマンドの前記入力を受け取ることが、シェアボタンの選択の入力を受け取ることを含む、請求項１又は６に記載のコンピュータプログラムアプリケーション。
【請求項１１】
前記クライアント装置がスマートフォンである、請求項１又は６に記載のコンピュータプログラムアプリケーション。
【請求項１２】
前記シェア情報がさらに、前記記録されたビデオ映像からの静止画像を含む、請求項１又は６に記載のコンピュータプログラムアプリケーション。
【請求項１３】
前記シェア情報がさらに、前記記録されたビデオ映像が、前記記録されたビデオ映像が記録された場所についての一般的な表示とともにシェアされる旨の通知を含む、請求項１又は６に記載のコンピュータプログラムアプリケーション。
【請求項１４】
前記シェア情報が、さらにテキスト入力ボックスを含む、請求項１又は６に記載のコンピュータプログラムアプリケーション。
【請求項１５】
前記コンピュータプログラムアプリケーションコードが、前記クライアント装置の前記プロセッサによる実行時、さらに前記クライアント装置に、前記記録されたビデオ映像のコンテンツを説明するテキストを入力として受け取らせる、請求項１４に記載のコンピュータプログラムアプリケーション。
【請求項１６】
前記シェア信号がさらに、前記記録されたビデオ映像の前記コンテンツを説明する前記テキストを含む、請求項１５に記載のコンピュータプログラムアプリケーション。
【請求項１７】
前記コンピュータプログラムアプリケーションコードが、前記クライアント装置の前記プロセッサによる実行時、さらに前記クライアント装置に、前記シェアボタンの前記選択の前記入力に応えて、前記記録されたビデオ映像がシェアされている旨の確認を表示させる、請求項１又は６に記載のコンピュータプログラムアプリケーション。
【手続補正書】
【提出日】平成31年1月28日(2019.1.28)
【手続補正１】
【補正対象書類名】特許請求の範囲
【補正対象項目名】請求項１７
【補正方法】変更
【補正の内容】
【請求項１７】
前記コンピュータプログラムアプリケーションコードが、前記クライアント装置の前記プロセッサによる実行時、さらに前記クライアント装置に、前記近隣シェアボタンの前記選択の前記入力に応えて、前記記録されたビデオ映像がシェアされている旨の確認を表示させる、請求項１又は６に記載のコンピュータプログラムアプリケーション。
【国際調査報告】
2019514239.tif 000052
2019514239.tif 000053
2019514239.tif 000054